(57)【要約】【課題】スポーツ運動学習をより良く支援する。【解決手段】左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬し、該一方側の下肢とは反対側の下肢相当部位を滅却し、該一方側の下肢とは反対側の上肢相当部位を滅却し、該一方側の下肢とは反対側の胴側部相当部位以外の胴部相当部位を滅却した構成と成した人体模型を、本発明の態様に応じた連結構成、結合構成、枢結構成、軸架構成等により形成する手段によって解決を図る。【選択図】図１
2010274090.tif 000002
【特許請求の範囲】
【請求項１】
左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬し、
該一方側の下肢とは反対側の下肢相当部位を滅却し、
該一方側の下肢とは反対側の上肢相当部位を滅却し、
該一方側の下肢とは反対側の胴側部相当部位以外の胴部相当部位を滅却した構成と成した構成体を、
該一方側の下肢の足部位を表現する部材、
該一方側の下肢の下腿部位を表現する部材、
該一方側の下肢の大腿部位を表現する部材、
骨盤部位を表現する部材、
該一方側の下肢とは反対側の胴側部部位を表現する部材、
両肩を橋架する部位及び両肩部位を表現する部材、
該一方側の下肢とは同側の上腕部位を表現する部材、
該一方側の下肢とは同側の前腕部位を表現する部材、
該一方側の下肢とは同側の手部位を表現する部材、
該一方側の下肢の足部位を表現する部材と該一方側の下肢の下腿部位を表現する部材とを連結する第一の連結機構、
該一方側の下肢の下腿部位を表現する部材と該一方側の下肢の大腿部位を表現する部材とを連結する第二の連結機構、
該一方側の下肢の大腿部位を表現する部材と該骨盤部位を表現する部材とを連結する第三の連結機構、
該骨盤部位を表現する部材と該一方側の下肢とは反対側の胴側部部位を表現する部材とを連結する第四の連結機構、
該一方側の下肢とは反対側の該胴側部部位を表現する部材と該両肩を橋架する部位及び両肩部位を表現する部材とを連結する第五の連結機構、
該両肩を橋架する部位及び両肩部位を表現する部材と該一方側の下肢とは同側の上腕部位を表現する部材とを連結する第六の連結機構、
該一方側の下肢とは同側の上腕部位を表現する部材と該一方側の下肢とは同側の前腕部位を表現する部材とを連結する第七の連結機構、
該一方側の下肢とは同側の前腕部位を表現する部材と該一方側の下肢とは同側の手部位を表現する部材とを連結する第八の連結機構より形成し、
上記該第一の連結機構〜該第八の連結機構の８つの連結機構は、各連結機構とも、
各連結機構の連結に係る２つの部材同士を固結する連結機構であるか、
または、各連結機構の連結に係る２つの部材同士を、該２つの部材同士の連結に係る連結機構廻りに、該２つの部材の一方を他方に対し３自由度もしくは２自由度もしくは１自由度の回転運動たる回動自在に成して連結する連結機構であり、
前記人体部位の連なりを擬した構成体の、
該一方側の下肢とは反対側の股関節相当部分と該一方側の下肢とは反対側の肩関節相当部分とを結ぶ線分からの、
該線分の垂直方向の、
該一方側の下肢とは反対側の胴側部部位を表現する部材の中心線上の一点の最大乖離距離が、
該線分の長さの２５％以下であり、
前記人体部位の連なりを擬した構成体の人体の左右相当方向の肩幅相当寸法が、
前記人体部位の連なりを擬した構成体の人体の左右相当方向の腰幅相当寸法よりも大きい
人体模型であることを特徴とするスポーツ力学構造モデル。
【請求項２】
前記該大腿部位を表現する部材を短手方向に於いて分断し、該分断した大腿部位を表現する部材の一方と他方の相互の位置関係、また前記該大腿部位を表現する部材以外の部材との位置関係を分断する以前の状態に保ちながら該分断した大腿部位を表現する部材の一方と他方とを各々の分断面を対峙させて枢結し、該分断した大腿部位を表現する部材の一方が他方に対し該大腿部位を表現する部材の長手方向中心線廻りに１自由度回転運動たる回動自在に枢結したるところの第一の枢結機構、
前記該胴側部部位を表現する部材を短手方向に於いて分断し、該分断した胴側部部位を表現する部材の一方と他方の相互の位置関係、また前記該胴側部部位を表現する部材以外の部材との位置関係を分断する以前の状態に保ちながら該分断した胴側部部位を表現する部材の一方と他方とを各々の分断面を対峙させて枢結し、該分断した胴側部部位を表現する部材の一方が他方に対し該胴側部部位を表現する部材の長手方向中心線廻りに１自由度回転運動たる回動自在に枢結したるところの第二の枢結機構、
前記該両肩を橋架する部位及び両肩部位を表現する部材を短手方向に於いて分断し、該分断した両肩を橋架する部位及び両肩部位を表現する部材の一方と他方の相互の位置関係、また前記該両肩を橋架する部位及び両肩部位を表現する部材以外の部材との位置関係を分断する以前の状態に保ちながら該分断した両肩を橋架する部位及び両肩部位を表現する部材の一方と他方とを各々の分断面を対峙させて枢結し、該分断した両肩を橋架する部位及び両肩部位を表現する部材の一方が他方に対し該両肩を橋架する部位及び両肩部位を表現する部材の長手方向中心線廻りに１自由度回転運動たる回動自在に枢結したるところの第三の枢結機構
の第一の枢結機構、第二の枢結機構、第三の枢結機構の３つの枢結機構のうち
少なくとも１つ以上の枢結機構を具備して形成した人体模型であることを特徴とする請求項１に記載のスポーツ力学構造モデル。
【請求項３】
左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬し、
該一方側の下肢とは反対側の下肢相当部位を滅却し、
該一方側の下肢とは反対側の上肢相当部位を滅却し、
該一方側の下肢とは反対側の胴側部相当部位以外の胴部相当部位を滅却した構成と成した構成体を、
該一方側の下肢の足部位を表現する部材、
該一方側の下肢の下腿部位を表現する部材、
該一方側の下肢の大腿部位を表現する部材、
骨盤部位を表現する部材、
該一方側の下肢とは反対側の胴側部部位を表現する部材、
両肩を橋架する部位及び両肩部位を表現する部材、
該一方側の下肢とは同側の上腕部位を表現する部材、
該一方側の下肢とは同側の前腕部位を表現する部材、
該一方側の下肢とは同側の手部位を表現する部材より、
該一方側の下肢の足部位を表現する部材と該一方側の下肢の下腿部位を表現する部材とを結合し、
該一方側の下肢の下腿部位を表現する部材と該一方側の下肢の大腿部位を表現する部材とを結合し、
該一方側の下肢の大腿部位を表現する部材と該骨盤部位を表現する部材とを結合し、
該骨盤部位を表現する部材と該一方側の下肢とは反対側の胴側部部位を表現する部材とを結合し、
該一方側の下肢とは反対側の胴側部部位を表現する部材と該両肩を橋架する部位及び両肩部位を表現する部材とを結合し、
該両肩を橋架する部位及び両肩部位を表現する部材と該一方側の下肢とは同側の上腕部位を表現する部材とを結合し、
該大腿部位を表現する部材を短手方向に於いて分断し、該分断した大腿部位を表現する部材の一方と他方の相互の位置関係、また該大腿部位を表現する部材以外の部材との位置関係を分断する以前の状態に保ちながら該分断した大腿部位を表現する部材の一方と他方とを各々の分断面を対峙させて枢結し、該分断した大腿部位を表現する部材の一方が他方に対し該大腿部位を表現する部材の長手方向中心線廻りに１自由度回転運動たる回動自在に枢結したるところの第一の枢結機構、
該胴側部部位を表現する部材を短手方向に於いて分断し、該分断した胴側部部位を表現する部材の一方と他方の相互の位置関係、また該胴側部部位を表現する部材以外の部材との位置関係を分断する以前の状態に保ちながら該分断した胴側部部位を表現する部材の一方と他方とを各々の分断面を対峙させて枢結し、該分断した胴側部部位を表現する部材の一方が他方に対し該胴側部部位を表現する部材の長手方向中心線廻りに１自由度回転運動たる回動自在に枢結したるところの第二の枢結機構、
該両肩を橋架する部位及び両肩部位を表現する部材を短手方向に於いて分断し、該分断した両肩を橋架する部位及び両肩部位を表現する部材の一方と他方の相互の位置関係、また該両肩を橋架する部位及び両肩部位を表現する部材以外の部材との位置関係を分断する以前の状態に保ちながら該分断した両肩を橋架する部位及び両肩部位を表現する部材の一方と他方とを各々の分断面を対峙させて枢結し、該分断した両肩を橋架する部位及び両肩部位を表現する部材の一方が他方に対し該両肩を橋架する部位及び両肩部位を表現する部材の長手方向中心線廻りに１自由度回転運動たる回動自在に枢結したるところの第三の枢結機構、
該上腕部位を表現する部材と該前腕部位を表現する部材とを肘関節相当部位に於いて該肘関節相当部位廻りに該上腕部位を表現する部材と該前腕部位を表現する部材の一方が他方に対し１自由度回転運動たる回動自在に枢結したるところの第四の枢結機構、
該前腕部位を表現する部材と該手部位を表現する部材とを前腕と手を連結する手関節相当部位に於いて該前腕と手を連結する手関節相当部位廻りに該前腕部位を表現する部材と該手部位を表現する部材の一方が他方に対し１自由度回転運動たる回動自在に枢結したるところの第五の枢結機構を具備して形成し、
前記人体部位の連なりを擬した構成体の、
該一方側の下肢とは反対側の股関節相当部分と該一方側の下肢とは反対側の肩関節相当部分とを結ぶ線分からの、
該線分の垂直方向の、
該一方側の下肢とは反対側の胴側部部位を表現する部材の中心線上の一点の最大乖離距離が、
該線分の長さの２５％以下であり、
前記人体部位の連なりを擬した構成体の人体の左右相当方向の肩幅相当寸法が、
前記人体部位の連なりを擬した構成体の人体の左右相当方向の腰幅相当寸法よりも大きい
人体模型であることを特徴とするスポーツ力学構造モデル。
【請求項４】
前記該第三の枢結機構に係る回転運動の回転中心線、前記該第四の枢結機構に係る回転運動の回転中心線、前記該第五の枢結機構に係る回転運動の回転中心線の３つの回転中心線のうち少なくとも２つ以上の回転中心線が平行の位置関係にある構成であることを特徴とする請求項３に記載のスポーツ力学構造モデル。
【請求項５】
左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬し、
該一方側の下肢とは反対側の下肢相当部位を滅却し、
該一方側の下肢とは反対側の上肢相当部位を滅却し、
該一方側の下肢とは反対側の胴側部相当部位以外の胴部相当部位を滅却した構成と成した構成体を、
該一方側の下肢の足部位を表現する部材、
該一方側の下肢の下腿部位を表現する部材、
該一方側の下肢の大腿部位を表現する部材、
骨盤部位を表現する部材、
該一方側の下肢とは反対側の胴側部部位を表現する部材、
両肩を橋架する部位及び両肩部位を表現する部材、
該一方側の下肢とは同側の上腕部位を表現する部材、
該一方側の下肢とは同側の前腕部位を表現する部材、
該一方側の下肢とは同側の手部位を表現する部材より、
該一方側の下肢の足部位を表現する部材と該一方側の下肢の下腿部位を表現する部材とを結合し、
該一方側の下肢の下腿部位を表現する部材と該一方側の下肢の大腿部位を表現する部材とを結合し、
該一方側の下肢の大腿部位を表現する部材と該骨盤部位を表現する部材とを結合し、
該骨盤部位を表現する部材と該一方側の下肢とは反対側の胴側部部位を表現する部材とを結合し、
該一方側の下肢とは反対側の胴側部部位を表現する部材と該両肩を橋架する部位及び両肩部位を表現する部材とを結合し、
該両肩を橋架する部位及び両肩部位を表現する部材と該一方側の下肢とは同側の上腕部位を表現する部材とを結合し、
該一方側の下肢とは同側の上腕部位を表現する部材の長手方向中心線と該一方側の下肢とは同側の前腕部位を表現する部材の長手方向中心線とが同一直線となる状態に於いて該一方側の下肢とは同側の上腕部位を表現する部材と該一方側の下肢とは同側の前腕部位を表現する部材とを結合し、
該大腿部位を表現する部材を短手方向に於いて分断し、該分断した大腿部位を表現する部材の一方と他方の相互の位置関係、また該大腿部位を表現する部材以外の部材との位置関係を分断する以前の状態に保ちながら該分断した大腿部位を表現する部材の一方と他方とを各々の分断面を対峙させて枢結し、該分断した大腿部位を表現する部材の一方が他方に対し該大腿部位を表現する部材の長手方向中心線廻りに１自由度回転運動たる回動自在に枢結したるところの第一の枢結機構、
該胴側部部位を表現する部材を短手方向に於いて分断し、該分断した胴側部部位を表現する部材の一方と他方の相互の位置関係、また該胴側部部位を表現する部材以外の部材との位置関係を分断する以前の状態に保ちながら該分断した胴側部部位を表現する部材の一方と他方とを各々の分断面を対峙させて枢結し、該分断した胴側部部位を表現する部材の一方が他方に対し該胴側部部位を表現する部材の長手方向中心線廻りに１自由度回転運動たる回動自在に枢結したるところの第二の枢結機構、
該両肩を橋架する部位及び両肩部位を表現する部材を短手方向に於いて分断し、該分断した両肩を橋架する部位及び両肩部位を表現する部材の一方と他方の相互の位置関係、また該両肩を橋架する部位及び両肩部位を表現する部材以外の部材との位置関係を分断する以前の状態に保ちながら該分断した両肩を橋架する部位及び両肩部位を表現する部材の一方と他方とを各々の分断面を対峙させて枢結し、該分断した両肩を橋架する部位及び両肩部位を表現する部材の一方が他方に対し該両肩を橋架する部位及び両肩部位を表現する部材の長手方向中心線廻りに１自由度回転運動たる回動自在に枢結したるところの第三の枢結機構、
該前腕部位を表現する部材と該手部位を表現する部材とを前腕と手を連結する手関節相当部位に於いて該前腕と手を連結する手関節相当部位廻りに該前腕部位を表現する部材と該手部位を表現する部材の一方が他方に対し１自由度回転運動たる回動自在に枢結したるところの第四の枢結機構を具備して形成し、
前記人体部位の連なりを擬した構成体の、
該一方側の下肢とは反対側の股関節相当部分と該一方側の下肢とは反対側の肩関節相当部分とを結ぶ線分からの、
該線分の垂直方向の、
該一方側の下肢とは反対側の胴側部部位を表現する部材の中心線上の一点の最大乖離距離が、
該線分の長さの２５％以下であり、
前記人体部位の連なりを擬した構成体の人体の左右相当方向の肩幅相当寸法が、
前記人体部位の連なりを擬した構成体の人体の左右相当方向の腰幅相当寸法よりも大きい
人体模型であることを特徴とするスポーツ力学構造モデル。
【請求項６】
前記該第三の枢結機構に係る回転運動の回転中心線と前記該第四の枢結機構に係る回転運動の回転中心線とが平行の位置関係にある構成であることを特徴とする請求項５に記載のスポーツ力学構造モデル。
【請求項７】
左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬し、
該一方側の下肢とは反対側の下肢相当部位を滅却し、
該一方側の下肢とは反対側の上肢相当部位を滅却し、
該一方側の下肢とは反対側の胴側部相当部位以外の胴部相当部位を滅却した構成と成した構成体を、
該一方側の下肢の足部位を表現する部材、
該一方側の下肢の下腿部位を表現する部材、
該一方側の下肢の大腿部位を表現する部材、
骨盤部位を表現する部材、
該一方側の下肢とは反対側の胴側部部位を表現する部材、
両肩を橋架する部位及び両肩部位を表現する部材、
該一方側の下肢とは同側の上腕部位を表現する部材、
該一方側の下肢とは同側の前腕部位を表現する部材、
該一方側の下肢とは同側の手部位を表現する部材より、
該一方側の下肢の足部位を表現する部材と該一方側の下肢の下腿部位を表現する部材とを結合し、
該一方側の下肢の下腿部位を表現する部材と該一方側の下肢の大腿部位を表現する部材とを結合し、
該一方側の下肢の大腿部位を表現する部材と該骨盤部位を表現する部材とを結合し、
該骨盤部位を表現する部材と該一方側の下肢とは反対側の胴側部部位を表現する部材とを結合し、
該一方側の下肢とは反対側の胴側部部位を表現する部材と該両肩を橋架する部位及び両肩部位を表現する部材とを結合し、
該両肩を橋架する部位及び両肩部位を表現する部材の長手方向中心線と該一方側の下肢とは同側の上腕部位を表現する部材の長手方向中心線とが同一直線となる状態に於いて該両肩を橋架する部位及び両肩部位を表現する部材と該一方側の下肢とは同側の上腕部位を表現する部材とを結合し、
該上腕部位を表現する部材と該前腕部位を表現する部材とを結合し、
該大腿部位を表現する部材を短手方向に於いて分断し、該分断した大腿部位を表現する部材の一方と他方の相互の位置関係、また該大腿部位を表現する部材以外の部材との位置関係を分断する以前の状態に保ちながら該分断した大腿部位を表現する部材の一方と他方とを各々の分断面を対峙させて枢結し、該分断した大腿部位を表現する部材の一方が他方に対し該大腿部位を表現する部材の長手方向中心線廻りに１自由度回転運動たる回動自在に枢結したるところの第一の枢結機構、
該胴側部部位を表現する部材を短手方向に於いて分断し、該分断した胴側部部位を表現する部材の一方と他方の相互の位置関係、また該胴側部部位を表現する部材以外の部材との位置関係を分断する以前の状態に保ちながら該分断した胴側部部位を表現する部材の一方と他方とを各々の分断面を対峙させて枢結し、該分断した胴側部部位を表現する部材の一方が他方に対し該胴側部部位を表現する部材の長手方向中心線廻りに１自由度回転運動たる回動自在に枢結したるところの第二の枢結機構、
該両肩を橋架する部位及び両肩部位及び上腕部位を表現する部材を短手方向に於いて分断し、該分断した両肩を橋架する部位及び両肩部位及び上腕部位を表現する部材の一方と他方の相互の位置関係、また該両肩を橋架する部位及び両肩部位及び上腕部位を表現する部材以外の部材との位置関係を分断する以前の状態に保ちながら該分断した両肩を橋架する部位及び両肩部位及び上腕部位を表現する部材の一方と他方とを各々の分断面を対峙させて枢結し、該分断した両肩を橋架する部位及び両肩部位及び上腕部位を表現する部材の一方が他方に対し該両肩を橋架する部位及び両肩部位及び上腕部位を表現する部材の長手方向中心線廻りに１自由度回転運動たる回動自在に枢結したるところの第三の枢結機構、
該前腕部位を表現する部材と該手部位を表現する部材とを前腕と手を連結する手関節相当部位に於いて該前腕と手を連結する手関節相当部位廻りに該前腕部位を表現する部材と該手部位を表現する部材の一方が他方に対し１自由度回転運動たる回動自在に枢結したるところの第四の枢結機構を具備して形成し、
前記人体部位の連なりを擬した構成体の、
該一方側の下肢とは反対側の股関節相当部分と該一方側の下肢とは反対側の肩関節相当部分とを結ぶ線分からの、
該線分の垂直方向の、
該一方側の下肢とは反対側の胴側部部位を表現する部材の中心線上の一点の最大乖離距離が、
該線分の長さの２５％以下である
人体模型であることを特徴とするスポーツ力学構造モデル。
【請求項８】
前記該第三の枢結機構に係る回転運動の回転中心線と前記該第四の枢結機構に係る回転運動の回転中心線とが平行の位置関係にある構成であることを特徴とする請求項７に記載のスポーツ力学構造モデル。
【請求項９】
前記該第一の枢結機構に係る回転運動の回転中心線と前記該第二の枢結機構に係る回転運動の回転中心線とがねじれの位置関係にある構成であることを特徴とする請求項３〜請求項８のいずれか１項に記載のスポーツ力学構造モデル。
【請求項１０】
前記該下腿部位を表現する部材の短手方向の幅寸法のうち最大である第一の幅寸法、
前記該大腿部位を表現する部材の短手方向の幅寸法のうち最大である第二の幅寸法、
前記該骨盤部位を表現する部材の短手方向の幅寸法のうち最大である第三の幅寸法、
前記該胴側部部位を表現する部材の短手方向の幅寸法のうち最大である第四の幅寸法、
前記該両肩を橋架する部位及び両肩部位を表現する部材の短手方向の幅寸法のうち最大である第五の幅寸法、
前記該上腕部位を表現する部材の短手方向の幅寸法のうち最大である第六の幅寸法、
前記該前腕部位を表現する部材の短手方向の幅寸法のうち最大である第七の幅寸法
の第一の幅寸法〜第七の幅寸法の７つの幅寸法のうちの最大の幅寸法を、
前記該下腿部位を表現する部材の短手方向の幅寸法のうち最小である第八の幅寸法、
前記該大腿部位を表現する部材の短手方向の幅寸法のうち最小である第九の幅寸法、
前記該骨盤部位を表現する部材の短手方向の幅寸法のうち最小である第十の幅寸法、
前記該胴側部部位を表現する部材の短手方向の幅寸法のうち最小である第十一の幅寸法、
前記該両肩を橋架する部位及び両肩部位を表現する部材の短手方向の幅寸法のうち最小である第十二の幅寸法、
前記該上腕部位を表現する部材の短手方向の幅寸法のうち最小である第十三の幅寸法、
前記該前腕部位を表現する部材の短手方向の幅寸法のうち最小である第十四の幅寸法
の第八の幅寸法〜第十四の幅寸法の７つの幅寸法のうちの最小の幅寸法で
除算した値が１以上１．８以下である
請求項１〜請求項９のいずれか１項に記載のスポーツ力学構造モデル。
【請求項１１】
第一の躯体、
第二の躯体、
第三の躯体、
第四の躯体、
第五の躯体、
第六の躯体、
第一の枢軸、
第二の枢軸、
第三の枢軸を設け、
該第一の枢軸を介して該第一の躯体と該第二の躯体とを軸架し該第二の躯体は該第一の躯体に対して該第一の枢軸に係る回転運動の回転中心線廻りに１自由度回転運動たる回動自在の構成とし、
該第二の枢軸を介して該第二の躯体と該第三の躯体とを軸架し該第三の躯体は該第二の躯体に対して該第二の枢軸に係る回転運動の回転中心線廻りに１自由度回転運動たる回動自在の構成とし、
該第三の枢軸を介して該第三の躯体と該第四の躯体とを軸架し該第四の躯体は該第三の躯体に対して該第三の枢軸に係る回転運動の回転中心線廻りに１自由度回転運動たる回動自在の構成とし、
該第四の躯体と該第五の躯体とを枢結し、該第五の躯体は該第四の躯体に対し該第四の躯体と該第五の躯体との枢結に係る回転中心線廻りに１自由度回転運動たる回動自在の構成とし、
該第五の躯体と該第六の躯体とを枢結し、該第六の躯体は該第五の躯体に対し該第五の躯体と該第六の躯体との枢結に係る回転中心線廻りに１自由度回転運動たる回動自在の構成とした構造体が、
左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬した構成体であり、
該一方側の下肢とは反対側の下肢相当部位が滅却された構成であり、
該一方側の下肢とは反対側の上肢相当部位が滅却された構成であり、
該一方側の下肢とは反対側の胴側部相当部位を除く胴部相当部位が滅却された構成であり、
該第一の躯体は該一方側の下肢の大腿の一部と下腿と足との連なりを擬し、
該第二の躯体は骨盤を擬すか、
もしくは該一方側の下肢の大腿の一部と骨盤との連なりを擬すか、
もしくは該一方側の下肢の大腿の一部と該一方側の下肢とは反対側の胴側部の一部と骨盤との連なりを擬すか、
もしくは該一方側の下肢とは反対側の胴側部の一部と骨盤との連なりを擬し、
該第三の躯体は該一方側の下肢とは反対側の肩を擬すか、
もしくは該一方側の下肢とは反対側の胴側部の一部と該一方側の下肢とは反対側の肩との連なりを擬すか、
もしくは該一方側の下肢とは反対側の胴側部の一部と両肩を橋架する部位の一部と該一方側の下肢とは反対側の肩との連なりを擬すか、
もしくは両肩を橋架する部位の一部と該一方側の下肢とは反対側の肩との連なりを擬し、
該第四の躯体は該一方側の下肢とは同側の肩と該一方側の下肢とは同側の上腕との連なりを擬すか、
もしくは両肩を橋架する部位の一部と該一方側の下肢とは同側の肩と該一方側の下肢とは同側の上腕との連なりを擬し、
該第五の躯体は該一方側の下肢とは同側の前腕を擬し、
該第六の躯体は該一方側の下肢とは同側の手を擬し、
該一方側の下肢の大腿相当部には該第一の枢軸が在り、
該一方側の下肢とは反対側の胴側部相当部には該第二の枢軸が在り、
該両肩を橋架する部位相当部には該第三の枢軸が在り、
該第四の躯体と該第五の躯体とが該一方側の下肢とは同側の上肢の肘関節相当部に於いて枢結され、
該一方側の下肢とは同側の上肢の肘関節相当部には該第四の躯体と該第五の躯体との枢結に係る回転運動の回転中心線が在り、
該第五の躯体と該第六の躯体とが該一方側の下肢とは同側の前腕と該一方側の下肢とは同側の手を連結する手関節相当部に於いて枢結され、
該一方側の下肢とは同側の前腕と該一方側の下肢とは同側の手を連結する手関節相当部には該第五の躯体と該第六の躯体との枢結に係る回転運動の回転中心線が在り、
前記人体部位の連なりを擬した構成体の、
該一方側の下肢とは反対側の股関節相当部分と該一方側の下肢とは反対側の肩関節相当部分とを結ぶ線分からの、
該線分の垂直方向の、
該第二の枢軸の中心線上の一点の最大乖離距離が、
該線分の長さの２５％以下であり、
前記人体部位の連なりを擬した構成体の人体の左右相当方向の肩幅相当寸法が、
前記人体部位の連なりを擬した構成体の人体の左右相当方向の腰幅相当寸法よりも大きい
人体模型であることを特徴とするスポーツ力学構造モデル。
【請求項１２】
前記該第三の枢軸に係る回転運動の回転中心線、前記該第四の躯体と前記該第五の躯体との枢結に係る回転運動の回転中心線、前記該第五の躯体と前記該第六の躯体との枢結に係る回転運動の回転中心線の３つの回転中心線のうち少なくとも２つ以上の回転中心線が平行の位置関係にある構成であることを特徴とする請求項１１に記載のスポーツ力学構造モデル。
【請求項１３】
第一の躯体、
第二の躯体、
第三の躯体、
第四の躯体、
第五の躯体、
第一の枢軸、
第二の枢軸、
第三の枢軸を設け、
該第一の枢軸を介して該第一の躯体と該第二の躯体とを軸架し該第二の躯体は該第一の躯体に対して該第一の枢軸に係る回転運動の回転中心線廻りに１自由度回転運動たる回動自在の構成とし、
該第二の枢軸を介して該第二の躯体と該第三の躯体とを軸架し該第三の躯体は該第二の躯体に対して該第二の枢軸に係る回転運動の回転中心線廻りに１自由度回転運動たる回動自在の構成とし、
該第三の枢軸を介して該第三の躯体と該第四の躯体とを軸架し該第四の躯体は該第三の躯体に対して該第三の枢軸に係る回転運動の回転中心線廻りに１自由度回転運動たる回動自在の構成とし、
該第四の躯体と該第五の躯体とを枢結し、該第五の躯体は該第四の躯体に対し該第四の躯体と該第五の躯体との枢結に係る回転中心線廻りに１自由度回転運動たる回動自在の構成とした構造体が、
左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬した構成体であり、
該一方側の下肢とは反対側の下肢相当部位が滅却された構成であり、
該一方側の下肢とは反対側の上肢相当部位が滅却された構成であり、
該一方側の下肢とは反対側の胴側部相当部位を除く胴部相当部位が滅却された構成であり、
該一方側の下肢とは同側の上肢の上腕相当部位の長手方向中心線と該一方側の下肢とは同側の上肢の前腕相当部位の長手方向中心線とは同一直線を成す構成であり、
該第一の躯体は該一方側の下肢の大腿の一部と下腿と足との連なりを擬し、
該第二の躯体は骨盤を擬すか、
もしくは該一方側の下肢の大腿の一部と骨盤との連なりを擬すか、
もしくは該一方側の下肢の大腿の一部と該一方側の下肢とは反対側の胴側部の一部と骨盤との連なりを擬すか、
もしくは該一方側の下肢とは反対側の胴側部の一部と骨盤との連なりを擬し、
該第三の躯体は該一方側の下肢とは反対側の肩を擬すか、
もしくは該一方側の下肢とは反対側の胴側部の一部と該一方側の下肢とは反対側の肩との連なりを擬すか、
もしくは該一方側の下肢とは反対側の胴側部の一部と両肩を橋架する部位の一部と該一方側の下肢とは反対側の肩との連なりを擬すか、
もしくは両肩を橋架する部位の一部と該一方側の下肢とは反対側の肩との連なりを擬し、
該第四の躯体は該一方側の下肢とは同側の肩と該一方側の下肢とは同側の上腕と該一方側の下肢とは同側の前腕との連なりを擬すか、
もしくは両肩を橋架する部位の一部と該一方側の下肢とは同側の肩と該一方側の下肢とは同側の上腕と該一方側の下肢とは同側の前腕との連なりを擬し、
該第五の躯体は該一方側の下肢とは同側の手を擬し、
該一方側の下肢の大腿相当部には該第一の枢軸が在り、
該一方側の下肢とは反対側の胴側部相当部には該第二の枢軸が在り、
両肩を橋架する部位相当部には該第三の枢軸が在り、
該第四の躯体と該第五の躯体とが該一方側の下肢とは同側の前腕と該一方側の下肢とは同側の手を連結する手関節相当部に於いて枢結され、
該一方側の下肢とは同側の前腕と該一方側の下肢とは同側の手を連結する手関節相当部には該第四の躯体と該第五の躯体との枢結に係る回転運動の回転中心線が在り、
前記人体部位の連なりを擬した構成体の、
該一方側の下肢とは反対側の股関節相当部分と該一方側の下肢とは反対側の肩関節相当部分とを結ぶ線分からの、
該線分の垂直方向の、
該第二の枢軸の中心線上の一点の最大乖離距離が、
該線分の長さの２５％以下であり、
前記人体部位の連なりを擬した構成体の人体の左右相当方向の肩幅相当寸法が、
前記人体部位の連なりを擬した構成体の人体の左右相当方向の腰幅相当寸法よりも大きい
人体模型であることを特徴とするスポーツ力学構造モデル。
【請求項１４】
前記該第三の枢軸に係る回転運動の回転中心線と前記該第四の躯体と前記該第五の躯体との枢結に係る回転運動の回転中心線とが平行の位置関係にある構成であることを特徴とする請求項１３に記載のスポーツ力学構造モデル。
【請求項１５】
第一の躯体、
第二の躯体、
第三の躯体、
第四の躯体、
第五の躯体、
第一の枢軸、
第二の枢軸、
第三の枢軸を設け、
該第一の枢軸を介して該第一の躯体と該第二の躯体とを軸架し該第二の躯体は該第一の躯体に対して該第一の枢軸に係る回転運動の回転中心線廻りに１自由度回転運動たる回動自在の構成とし、
該第二の枢軸を介して該第二の躯体と該第三の躯体とを軸架し該第三の躯体は該第二の躯体に対して該第二の枢軸に係る回転運動の回転中心線廻りに１自由度回転運動たる回動自在の構成とし、
該第三の枢軸を介して該第三の躯体と該第四の躯体とを軸架し該第四の躯体は該第三の躯体に対して該第三の枢軸に係る回転運動の回転中心線廻りに１自由度回転運動たる回動自在の構成とし、
該第四の躯体と該第五の躯体とを枢結し、該第五の躯体は該第四の躯体に対し該第四の躯体と該第五の躯体との枢結に係る回転中心線廻りに１自由度回転運動たる回動自在の構成とした構造体が、
左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬した構成体であり、
該一方側の下肢とは反対側の下肢相当部位が滅却された構成であり、
該一方側の下肢とは反対側の上肢相当部位が滅却された構成であり、
該一方側の下肢とは反対側の胴側部相当部位を除く胴部相当部位が滅却された構成であり、
該両肩を橋架する部位及び両肩相当部位の長手方向中心線と該一方側の下肢とは同側の上肢の上腕相当部位の長手方向中心線とは同一直線を成す構成であり、
該第一の躯体は該一方側の下肢の大腿の一部と下腿と足との連なりを擬し、
該第二の躯体は骨盤を擬すか、
もしくは該一方側の下肢の大腿の一部と骨盤との連なりを擬すか、
もしくは該一方側の下肢の大腿の一部と該一方側の下肢とは反対側の胴側部の一部と骨盤との連なりを擬すか、
もしくは該一方側の下肢とは反対側の胴側部の一部と骨盤との連なりを擬し、
該第三の躯体は該一方側の下肢とは反対側の肩を擬すか、
もしくは該一方側の下肢とは反対側の胴側部の一部と該一方側の下肢とは反対側の肩との連なりを擬すか、
もしくは該一方側の下肢とは反対側の胴側部の一部と両肩を橋架する部位の一部と該一方側の下肢とは反対側の肩との連なりを擬すか、
もしくは両肩を橋架する部位の一部と該一方側の下肢とは反対側の肩との連なりを擬し、
該第四の躯体は該一方側の下肢とは同側の前腕を擬すか、
もしくは該一方側の下肢とは同側の上腕の一部と該一方側の下肢とは同側の前腕との連なりを擬すか、
もしくは該一方側の下肢とは同側の上腕と該一方側の下肢とは同側の前腕との連なりを擬すか、
もしくは該一方側の下肢とは同側の肩と該一方側の下肢とは同側の上腕と該一方側の下肢とは同側の前腕との連なりを擬すか、
もしくは両肩を橋架する部位の一部と該一方側の下肢とは同側の肩と該一方側の下肢とは同側の上腕と該一方側の下肢とは同側の前腕との連なりを擬し、
該第五の躯体は該一方側の下肢とは同側の手を擬し、
該一方側の下肢の大腿相当部には該第一の枢軸が在り、
該一方側の下肢とは反対側の胴側部相当部には該第二の枢軸が在り、
該両肩を橋架する部位相当部、もしくは該両肩を橋架する部位並びに該一方側の下肢とは同側の肩相当部、もしくは該両肩を橋架する部位並びに該一方側の下肢とは同側の肩並びに該一方側の下肢とは同側の上腕相当部には該第三の枢軸が在り、
該第四の躯体と該第五の躯体とが該一方側の下肢とは同側の前腕と該一方側の下肢とは同側の手を連結する手関節相当部に於いて枢結され、
該一方側の下肢とは同側の前腕と該一方側の下肢とは同側の手を連結する手関節相当部には該第四の躯体と該第五の躯体との枢結に係る回転運動の回転中心線が在り、
前記人体部位の連なりを擬した構成体の、
該一方側の下肢とは反対側の股関節相当部分と該一方側の下肢とは反対側の肩関節相当部分とを結ぶ線分からの、
該線分の垂直方向の、
該第二の枢軸の中心線上の一点の最大乖離距離が、
該線分の長さの２５％以下である
人体模型であることを特徴とするスポーツ力学構造モデル。
【請求項１６】
前記該第三の枢軸に係る回転運動の回転中心線と前記該第四の躯体と前記該第五の躯体との枢結に係る回転運動の回転中心線とが平行の位置関係にある構成であることを特徴とする請求項１５に記載のスポーツ力学構造モデル。
【請求項１７】
前記該第一の枢軸に係る回転運動の回転中心線と前記該第二の枢軸に係る回転運動の回転中心線とがねじれの位置関係にある構成であることを特徴とする請求項１１〜請求項１６のいずれか１項に記載のスポーツ力学構造モデル。
【発明の詳細な説明】
【技術分野】
【０００１】
本発明はスポーツ運動向上に資する道具に関する。
【背景技術】
【０００２】
スポーツ運動の習熟過程では各スポーツ運動に典型的な主要運動の要諦の会得が不可欠となるが、この要諦の会得を支援するため、スポーツ種に応じて多くの公知技術等が存在する。
【０００３】
例えば、各スポーツ運動の現場で日常的に語られる言説や伝承がある。先人の経験に基づく無形の遺産であり一定の意味は孕むが、スポーツ運動の運動原理解明を為し得たものではなく、学習者の混乱を招く事も少なからずあった。また、これに準じた文字的、視覚的、動画映像的記述や記録、実技実演による指導等の支援手段もあったが、上記言説や伝承の域を越えるものではなかった。
【０００４】
先人の営為から編み出され工夫された様々な有形の支援手段も数多く存在した。
【０００５】
例えば、スポーツ用具に現れる物理的特性を計測し、スポーツ運動習熟を支援する手段（スポーツ用具定点の運動の速度成分や加速度成分を計測する機器、スポーツに使用される球体の運動の速度成分や加速度成分、スピン量を計測する機器等）が各種存在したが、スポーツ運動の際発生する周辺現象の物理量の表出手段であり、スポーツ運動の運動原理を解明した手段ではなく、スポーツ運動の運動原理構造を提示した手段ではなかった。
【０００６】
身体計測ないし観測を経由してスポーツ運動習熟を支援する手段（例えば、特許文献１、特許文献３、特許文献４、特許文献５、特許文献６、特許文献７、特許文献８、参照）も多数存在したが、身体運動の外観や外形を習得するための手段、あるいは運動者の運動外観や運動外形を規範とするフォームに整える手段であり、スポーツ運動の運動原理を解明した手段ではなく、スポーツ運動の運動原理構造を提示した手段ではなかった。
【０００７】
また、より直接的に身体を制御してスポーツ運動習熟を支援する手段（例えば、特許文献２、特許文献９、特許文献１０、特許文献１１、特許文献１２、特許文献１３、参照）も各種存在したが、運動外観や運動外形を規範とする運動フォームに強制的に誘導するもしくは矯正する手段であり、スポーツ運動の運動原理を解明した手段ではなく、スポーツ運動の運動原理構造を提示した手段ではなかった。
【０００８】
また、厳正精緻なデータに依拠する学術論文（例えば、非特許文献１、非特許文献２、参照）等にあっても、身体運動の運動原理の考究を目指すものではあるが、未だ道程にあった。
【先行技術文献】
【特許文献】
【０００９】
【特許文献１】特開２００２−１３６６３０号公報
【特許文献２】特開平０２−７４２７３号公報
【特許文献３】特開平０６−２１００３８号公報
【特許文献４】特開平０５−３３７２３２号公報
【特許文献５】特開２００５−２３７４９４号公報
【特許文献６】特許第２６１１９２０号公報
【特許文献７】特開平０３−２０４６８１号公報
【特許文献８】特許第２８５２９２５号公報
【特許文献９】特開平０８−１８２７９２号公報
【特許文献１０】特表平０９−５０９３３２号公報
【特許文献１１】特開平１１−０９９２３３号公報
【特許文献１２】特開２００４−０６５９５９号公報
【特許文献１３】米国特許第６１２６５５４号明細書
【非特許文献】
【００１０】
【非特許文献１】穂苅真樹他著「ゴルフクラブスイング時の身体回転運動の計測とスキル評価」  日本機械学会論文集（Ｃ編）  Ｖｏｌ．７２・Ｎｏ．７１５・Ｐ１６８〜１７４  （２００６年）
【非特許文献２】橋口淳一他著  「モーション・キャプチャシステムを用いたゴルフスイングの動作解析」  日本臨床バイオメカニクス学会誌Ｖｏｌ．２７・Ｐ３２５〜３３０  （２００６年）
【発明の概要】
【発明が解決しようとする課題】
【００１１】
スポーツ運動熟達を目指す学習者にとっては、前記従来の支援手段によってしてもスポーツ運動に於ける主要運動の要諦会得はなお困難な問題だった。なぜなら、スポーツ運動に於ける主要運動の運動原理に基づくスポーツ主要運動学習は、スポーツ主要運動の要諦会得を円滑ならしめる、あるいは少なくとも可能ならしめる喫緊の肯綮であるにも拘らず、前記従来の支援手段は、スポーツ運動に於ける主要運動の運動原理を解明した手段ではなく、学習者は、前記従来の支援手段によっても、スポーツ主要運動原理に係る有効な情報を獲得出来ず、不確実なスポーツ運動学習や不条理なスポーツ運動修練を余儀なくされたからである。
【００１２】
本発明者は、上記問題点に鑑み、スポーツ運動に於ける主要運動の運動原理を解明する研究に着手した。本発明者は、その際、究めんとする運動原理が運動要諦会得に資するためのものであり、スポーツ運動の現実的身体制御に供するためのものであり、この意味を充たす意義に於いて具体的、客観的、実践的、普遍的、かつ総合的な表現を可能とするものでなければならないという要請等に配慮し、種々勘案の末、図１７のような人体の左の足部位を表現した線材的部材１００、人体の左の下腿部位を表現した線材的部材１０１、人体の左の大腿部位を表現した線材的部材１０２、人体の左の胴側部部位を表現した線材的部材１０３、人体の左の上腕部位を表現した線材的部材１０４、人体の左の前腕部位を表現した線材的部材１０５、人体の左の手部位を表現した線材的部材１０６、人体の骨盤部位を表現した線材的部材１０７、人体の両肩を橋架する部位もしくは両肩を橋架する部位及び両肩部位を表現した線材的部材１０８、人体の右の足部位を表現した線材的部材１０９、人体の右の下腿部位を表現した線材的部材１１０、人体の右の大腿部位を表現した線材的部材１１１、人体の右の胴側部部位を表現した線材的部材１１２、人体の右の上腕部位を表現した線材的部材１１３、人体の右の前腕部位を表現した線材的部材１１４、人体の右の手部位を表現した線材的部材１１５の各部材と各々一定の自由度を実現する可動節１１６〜１２７により人体全身を模式的に構設した左右に識別可能な基礎的な人体モデル（以下「人体基礎モデル」という）を以って研究のための基礎構造体とした。
【００１３】
さて、スポーツの世界には、研究に活用可能な膨大な過去データが存在した。その中で『力を抜いたほうが力を入れるよりも運動効率が高い』というスポーツ界では古来より知られたパラドックスめいた事例がひときわ本発明者の興味を惹いた。ここに何かスポーツ運動を解明する鍵があると感じた本発明者は、力を入れる事と力を抜く事のバランスあるいはコンビネーションの在り方に視野を絞り、その機構解明を最重要テーマとして研究を掘り下げて行った。そして或る日、慣性運動の着想を得た。
【００１４】
慣性運動を利用すれば、運動エネルギーを最大限に活用する事が出来るのではないだろうかと思い付いたのである。が、人が慣性運動を為すとしても実に様々な運動方法がある。運動エネルギーを活かし運動エネルギーを最大限に活用する慣性運動は如何にあるべきか、様々な考究、試行錯誤が続いたが、その中から、人体に適した慣性運動は回転運動であり、かつ、偏心構造を構成して活用する回転運動が最適であると思惟するに至った。
【００１５】
しかしながら、探究の道はここに至っても未だ平坦ではなかった。どのような回転運動、即ち慣性運動、つまり偏心運動がスポーツ運動の主要運動に有意義に働く運動なのだろうか、また運動エネルギーの効率を最大限に高められるだろうか、模索し試行錯誤する日々が続いた。
【００１６】
その過程で、次第に、身体運動を一の回転運動（慣性運動、偏心運動）として把握しようとしても、解決の道が見えない事が分かって来た。スポーツ運動に於ける主要運動をなんらかの一の回転運動（慣性運動、偏心運動）として把握しようとしても、複雑に変動する人体運動は把捉し得ず、運動学習者に利用可能な有効な制御方法も確立出来ないとの結論に達したのである。さらにまた、一の回転運動（慣性運動、偏心運動）に任せる身体運動では、強大な運動エネルギーを発揮する事が出来ない事も分かって来た。かくて、研究は複数の慣性運動から成る人体運動を解明する段階へと移行して行った。
【００１７】
回転運動であり偏心運動であるからには、回転の中心をどう捉え、偏心運動の偏心構造、偏奇性をどう捉えるべきか、さらに膨大な探究の月日が流れた。その際、本発明者の研究原点たる人体基礎モデルが意味深い功緒を果たした。線材的部材により構成した人体基礎モデルが、人体には上下の幅があり左右の幅がある事、様々な部分に様々な運動構成がある事等々の思索に光を与えてくれたのである。
【００１８】
かくて、人体の中に回転運動（慣性運動、偏心運動）を索めて日夜探究を深める間に、人体の構造的特性、人間の精神的感覚的特性、物性的側面からの力学的整合性、等々の観点から問題点をしらみつぶしに洗い出し、あらゆる方面からの考察を重ねた末、本発明者は人体に考えられる基礎的な回転運動（慣性運動、偏心運動）の構造を抽出する事が出来た。それはまさに複数の回転運動（慣性運動、偏心運動）であり、複数の回転運動（慣性運動、偏心運動）から成る運動融合体であった。
【００１９】
本発明者はまた、回転運動であり慣性運動であり同時に偏心運動であるスポーツ主要運動の考究の過程に於いて、さらなる発展的運動構造をも解明発見する事が出来た。
【００２０】
以下、本発明者の研究結果の概要を述べる。
【００２１】
人体の上下の幅と左右の幅、多くの部位の多くの自由度、その他人体の構造的特性、精神的感覚的特性、物性的側面からの力学的整合性、等々の観点から考究して次のような事が言える。
〔１〕スポーツ運動の主要運動には複数の回転運動（慣性運動、偏心運動）が関与している。
〔２〕複数の回転運動（慣性運動、偏心運動）は意思的能動的直接的制御対象となる運動ではなく、他の意思的能動的直接的身体制御の結果として生成される生成運動である。
〔３〕複数の回転運動（慣性運動、偏心運動）が生成される過程に於いては、融和的に作用する要素（身体の在り方）と背馳的に作用する要素（身体の在り方）が存在するが、上記要素は意思的能動的直接的制御対象とすべきものである。
〔４〕複数の回転運動（慣性運動、偏心運動）が生成される際は、身体の各部位同士は適切に連携を成し、身体の各可動部位の自由度は適切に調節されるが、上記身体の各部位同士の連携、各可動部位の自由度の調節は意思的能動的直接的制御対象とすべきものである。
〔５〕スポーツ運動に於ける様々な回転運動の回転中心線同士の相対的位置関係は、運動エネルギーの仕事効率もしくは仕事能率と関連するが、上記スポーツ運動に於ける様々な回転運動の回転中心線同士の相対的位置関係は意思的能動的直接的制御対象とすべきものである。
【００２２】
以下、本発明者の研究結果の詳細を述べる。
【００２３】
人が為すスポーツ運動に於いて、左右に識別した人体の一方側の股関節の自由度内で、該一方側の股関節とは同側の大腿部位長手方向中心線を回転中心線とする、該一方側の股関節廻りの、人体部位による第一の回転運動（慣性運動、偏心運動）が考えられる。該第一の回転運動（慣性運動、偏心運動）を解析的に見れば、身体各部位同士は適切に連携を成し、該一方側の股関節及び他の関節の自由度は適切に調節され、該第一の回転運動（慣性運動、偏心運動）の生成を促していると考えられる。この点につき、人体基礎モデルを基にした考察として以下のような分析を得た。
【００２４】
左右に識別した人体の左側の股関節（可動節１１８）の自由度内で、左側の大腿部位（左の大腿部位を表現した線材的部材１０２）長手方向中心線を回転中心線とする、左側の股関節（可動節１１８）廻りの、人体部位による第一の回転運動（慣性運動、偏心運動）が考えられる。この場合の第一の回転運動（慣性運動、偏心運動）にとっては、回転軸の一意性の観点から、右側の下肢部位を表現する部材１０９〜１１１，１２２，１２３は阻害要素である。また、偏心体の偏奇性の観点から、右側の胴側部部位を表現する部材１１２は促進要素である。また、次なる回転運動（慣性運動、偏心運動）への伝達性、もしくは、次なる回転運動（慣性運動、偏心運動）との連動性の観点から、右側の胴側部部位を表現する部材１１２は協調要素であり、右側の下肢部位を表現する部材１０９〜１１１，１２２，１２３は阻害要素であり、左側の胴側部部位を表現する部材１０３は有害要素である。
【００２５】
同様に、左右に識別した人体の右側の股関節（可動節１２４）の自由度内で、右側の大腿部位（右の大腿部位を表現した線材的部材１１１）長手方向中心線を回転中心線とする、右側の股関節（可動節１２４）廻りの、人体部位による第一の回転運動（慣性運動、偏心運動）が考えられる。この場合の第一の回転運動（慣性運動、偏心運動）にとっては、回転軸の一意性の観点から、左側の下肢部位を表現する部材１００〜１０２，１１６，１１７は阻害要素である。また、偏心体の偏奇性の観点から、左側の胴側部部位を表現する部材１０３は促進要素である。また、次なる回転運動（慣性運動、偏心運動）への伝達性、もしくは、次なる回転運動（慣性運動、偏心運動）との連動性の観点から、左側の胴側部部位を表現する部材１０３は協調要素であり、左側の下肢部位を表現する部材１００〜１０２，１１６，１１７は阻害要素であり、右側の胴側部部位を表現する部材１１２は有害要素である。
【００２６】
次に、人が為すスポーツ運動に於いて、左右に識別した人体の該一方側の股関節とは反対側の股関節もしくは肩関節の自由度内で、該一方側の股関節とは反対側の胴側部部位長手方向中心線を回転中心線とする、該一方側の股関節とは反対側の股関節もしくは胴側部部位もしくは肩関節廻りの、人体部位による第二の回転運動（慣性運動、偏心運動）が考えられる。該第二の回転運動（慣性運動、偏心運動）を解析的に見れば、身体各部位同士は適切に連携を成し、該一方側の股関節とは反対側の股関節や肩関節の自由度、他の関節の自由度は適切に調節され、該第二の回転運動（慣性運動、偏心運動）の生成を促していると考えられる。この点につき、人体基礎モデルを基にした考察として以下のような分析を得た。
【００２７】
左右に識別した人体の右側の股関節（可動節１２４）もしくは肩関節（可動節１２５）の自由度内で、右側の胴側部部位（右の胴側部部位を表現した線材的部材１１２）長手方向中心線を回転中心線とする、右側の股関節（可動節１２４）もしくは胴側部部位（右の胴側部部位を表現した線材的部材１１２）もしくは肩関節（可動節１２５）廻りの、人体部位による第二の回転運動（慣性運動、偏心運動）が考えられる。この場合の第二の回転運動（慣性運動、偏心運動）にとっては、回転軸の一意性の観点から、左側の胴側部部位を表現する部材１０３は阻害要素である。また、偏心体の偏奇性の観点から、左側の上肢部位を表現する部材１０４〜１０６，１２０，１２１は促進要素である。また、次なる回転運動（慣性運動、偏心運動）への伝達性、もしくは、次なる回転運動（慣性運動、偏心運動）との連動性の観点から、左側の上肢部位を表現する部材１０４〜１０６，１２０，１２１は協調要素であり、左側の胴側部部位を表現する部材１０３は阻害要素であり、右側の上肢部位を表現する部材１１３〜１１５，１２６，１２７は有害要素である。
【００２８】
同様に、左右に識別した人体の左側の股関節（可動節１１８）もしくは肩関節（可動節１１９）の自由度内で、左側の胴側部部位（左の胴側部部位を表現した線材的部材１０３）長手方向方向中心線を回転中心線とする、左側の股関節（可動節１１８）もしくは胴側部部位（左の胴側部部位を表現した線材的部材１０３）もしくは肩関節（可動節１１９）廻りの、人体部位による第二の回転運動（慣性運動、偏心運動）が考えられる。この場合の第二の回転運動（慣性運動、偏心運動）にとっては、回転軸の一意性の観点から、右側の胴側部部位を表現する部材１１２は阻害要素である。また、偏心体の偏奇性の観点から、右側の上肢部位を表現する部材１１３〜１１５，１２６，１２７は促進要素である。また、次なる回転運動（慣性運動、偏心運動）への伝達性、もしくは、次なる回転運動（慣性運動、偏心運動）との連動性の観点から、右側の上肢部位を表現する部材１１３〜１１５，１２６，１２７は協調要素であり、右側の胴側部部位を表現する部材１１２は阻害要素であり、左側の上肢部位を表現する部材１０４〜１０６，１２０，１２１は有害要素である。
【００２９】
さて、該第二の回転運動（慣性運動、偏心運動）に及んだ運動は、人体が頭上方向に向かって肩部位を越え梯子状に延伸を続ける構造体であるならば、左側から右側へ、また右側から左側への回転運動（慣性運動、偏心運動）エネルギー伝達、あるいは回転運動（慣性運動、偏心運動）連動をその後も継続し得るであろう。が、人体はそのような構造体とはなっていないため、該第二の回転運動以降は新たな左右の運動エネルギー伝達あるいは左右の運動連動は起こり得ないのである。そして該第二の回転運動の運動エネルギーは、該一方側の股関節とは同側の肩関節の自由度内で該両肩を橋架する部位長手方向中心線を回転中心線とする、該一方側の股関節とは同側の肩関節廻りの、人体部位による第三の回転運動（慣性運動、偏心運動）として発現され、最終的なスポーツ機能を果たす運動エネルギーとして発揮される事となるのである。該第三の回転運動（慣性運動、偏心運動）を解析的に見れば、身体各部位同士は適切に連携を成し、該一方側の股関節とは同側の肩関節及び他の関節の自由度は適切に調節され、該第三の回転運動（慣性運動、偏心運動）の生成を促していると考えられる。
【００３０】
また、該第三の回転運動（慣性運動、偏心運動）に於いて、該一方側の股関節とは同側の肩関節、肘関節、手関節により二重振り子体や三重振り子体を構造する事は、運動エネルギーの仕事効率あるいは仕事能率を高める効果があると考えられる。
【００３１】
また、該第一の回転運動（慣性運動、偏心運動）と該第二の回転運動（慣性運動、偏心運動）間の運動エネルギーの伝達あるいは運動連動に際しては、図１８のように、人体を側面から観察する時、該第一の回転運動に係る回転中心線Ｖ−Ｖと該第二の回転運動に係る回転中心線Ｚ−Ｚの位相差を適宜開く方が、即ち、上記２つの回転中心線を適度にねじれの位置関係に保つ方が偏心体の偏奇性を増大させる観点から、運動エネルギーの仕事効率あるいは仕事能率を高める効果があると考えられる。
【００３２】
以下、本発明者が解明発見したスポーツ主要運動原理の観点からスポーツ主要運動を解析した事例を掲げる。
【００３３】
まず、図１９のような、卓球のフォアハンドスマッシュ運動の一タイミングに於ける身体運動を解析した結果、図２０のような、一方側の下肢の大腿部長手方向中心線を回転中心線とする第一の回転運動（慣性運動、偏心運動）と、一方側の下肢とは反対側の胴側部長手方向中心線を回転中心線とする第二の回転運動（慣性運動、偏心運動）と、両肩を橋架する部位もしくは両肩を橋架する部位及び両肩部位長手方向中心線を回転中心線とする第三の回転運動（慣性運動、偏心運動）とから成る身体運動構造の抽出を得た。
【００３４】
また、図２１のような、テニスのバックハンドストローク運動の一タイミングに於ける身体運動を解析した結果、図２２のような一方側の下肢の大腿部長手方向中心線を回転中心線とする第一の回転運動（慣性運動、偏心運動）と、一方側の下肢とは反対側の胴側部長手方向中心線を回転中心線とする第二の回転運動（慣性運動、偏心運動）と、両肩を橋架する部位もしくは両肩を橋架する部位及び両肩部位長手方向中心線を回転中心線とする第三の回転運動（慣性運動、偏心運動）とから成る身体運動構造の抽出を得た。
【００３５】
また、図２３のような、ゴルフのスイング運動の一タイミングに於ける身体運動を解析した結果、図２４のような、一方側の下肢の大腿部長手方向中心線を回転中心線とする第一の回転運動（慣性運動、偏心運動）と、一方側の下肢とは反対側の胴側部長手方向中心線を回転中心線とする第二の回転運動（慣性運動、偏心運動）と、両肩を橋架する部位もしくは両肩を橋架する部位及び両肩部位長手方向中心線を回転中心線とする第三の回転運動（慣性運動、偏心運動）とから成る身体運動構造の抽出を得た。
【００３６】
また、図２５のような、野球のバッティング運動の一タイミングに於ける身体運動を解析した結果、図２６のような、一方側の下肢の大腿部長手方向中心線を回転中心線とする第一の回転運動（慣性運動、偏心運動）と、一方側の下肢とは反対側の胴側部長手方向中心線を回転中心線とする第二の回転運動（慣性運動、偏心運動）と、両肩を橋架する部位もしくは両肩を橋架する部位及び両肩部位長手方向中心線を回転中心線とする第三の回転運動（慣性運動、偏心運動）とから成る身体運動構造の抽出を得た。
【００３７】
また、図２７のような、野球の投手のピッチング運動の一タイミングに於ける身体運動を解析した結果、図２８のような、一方側の下肢の大腿部長手方向中心線を回転中心線とする第一の回転運動（慣性運動、偏心運動）と、一方側の下肢とは反対側の胴側部長手方向中心線を回転中心線とする第二の回転運動（慣性運動、偏心運動）と、両肩を橋架する部位及び肩部位または両肩部位及び上腕部位長手方向中心線を回転中心線とする第三の回転運動（慣性運動、偏心運動）とから成る身体運動構造の抽出を得た。
【００３８】
また、図２９のような、ソフトボールの投手のピッチング運動の一タイミングに於ける身体運動を解析した結果、図３０のような、一方側の下肢の大腿部長手方向中心線を回転中心線とする第一の回転運動（慣性運動、偏心運動）と、一方側の下肢とは反対側の胴側部長手方向中心線を回転中心線とする第二の回転運動（慣性運動、偏心運動）と、両肩を橋架する部位もしくは両肩を橋架する部位及び両肩部位長手方向中心線を回転中心線とする第三の回転運動（慣性運動、偏心運動）とから成る身体運動構造の抽出を得た。
【００３９】
また、図３１のような、ボクシングのアッパーカットパンチ運動の一タイミングに於ける身体運動を解析した結果、図３２のような、一方側の下肢の大腿部長手方向中心線を回転中心線とする第一の回転運動（慣性運動、偏心運動）と、一方側の下肢とは反対側の胴側部長手方向中心線を回転中心線とする第二の回転運動（慣性運動、偏心運動）と、両肩を橋架する部位もしくは両肩を橋架する部位及び両肩部位長手方向中心線を回転中心線とする第三の回転運動（慣性運動、偏心運動）とから成る身体運動構造の抽出を得た。
【００４０】
また、図３３のような、バレーボールのスパイク運動の一タイミングに於ける身体運動を解析した結果、図３４のような、一方側の下肢の大腿部長手方向中心線を回転中心線とする第一の回転運動（慣性運動、偏心運動）と、一方側の下肢とは反対側の胴側部長手方向中心線を回転中心線とする第二の回転運動（慣性運動、偏心運動）と、両肩を橋架する部位もしくは両肩を橋架する部位及び両肩部位長手方向中心線を回転中心線とする第三の回転運動（慣性運動、偏心運動）とから成る身体運動構造の抽出を得た。
【００４１】
また、図３５のような、テニスのサーブ運動の一タイミングに於ける身体運動を解析した結果、図３６のような、一方側の下肢の大腿部長手方向中心線を回転中心線とする第一の回転運動（慣性運動、偏心運動）と、一方側の下肢とは反対側の胴側部長手方向中心線を回転中心線とする第二の回転運動（慣性運動、偏心運動）と、両肩を橋架する部位もしくは両肩を橋架する部位及び両肩部位長手方向中心線を回転中心線とする第三の回転運動（慣性運動、偏心運動）とから成る身体運動構造の抽出を得た。
【００４２】
以下、本発明者の上記研究結果を踏まえて、前記従来の技術を考察する。
【００４３】
特許文献１の請求項１、同文献の明細書段落「００３２」〜「００３４」、図１〜図５には、本発明と技術分野は同じスイング姿勢人形が開示されているが、人体の関節相当部分を可動とし、各種スイング運動の理想形を表現するスイング姿勢人形である。
【００４４】
これに対し、本発明は、本発明者が自ら解明発見したスポーツ運動に於ける主要運動の運動原理に基づき、これを具現化すべく工夫創造したスポーツ力学構造モデルである。
【００４５】
本発明と対比してみるに、上記スイング姿勢人形は、本発明同様に人体模型を構成してスポーツ運動学習を支援する目的を有するが、各種スイング運動の外観や外形を表現するための人形であり、本発明のように本発明者が解明発見した人体によるスポーツ主要運動の運動原理に基づいて構成された人形ではなく、本発明とは発明根源を異にしている。
【００４６】
また、上記スイング姿勢人形は、各種スイング運動の外観や外形を表現する人形としての構成を成すが、本発明のように本発明者が工夫創造した、本発明者の解明発見した人体によるスポーツ主要運動の運動原理に係る構成を成した人形ではなく、本発明とは発明構成を異にしている。
【００４７】
また、上記スイング姿勢人形は、本発明同様に人体模型を構成して各種スイング運動の外観や外形に係る情報を提示する機能を有する人形ではあるが、本発明のように本発明者が解明発見した人体によるスポーツ主要運動の運動原理に係る情報を提示する機能を有する人形ではなく、本発明とは発明機能を異にしている。
【００４８】
以上より、上記スイング姿勢人形は、本発明と対比して、発明根源を異にし、発明構成を異にし、発明機能を異にしている。
【００４９】
従って、本発明は上記スイング姿勢人形と対比して相違するものであり、本発明による時は従来よりも容易にスポーツ主要運動原理あるいはスポーツ主要運動原理運動に通じ、従来よりも着実にスポーツ主要運動熟達を図る事が可能であると思量する。
【００５０】
特許文献２の請求項１、２頁右下欄１０行〜３頁左上欄７行、第１図〜第３図には、本発明と技術目的は同じゴルフスイング練習装置が開示されているが、可変アーム、回転アーム、屈曲部を有するアーム等から成り、身体外部からゴルフスイング運動を一定の形態に誘導矯正する事により、学習者のスイングフォームを一定のスイングフォームに整形する練習装置である。
【００５１】
これに対し、本発明は、本発明者が自ら解明発見したスポーツ運動に於ける主要運動の運動原理に基づき、これを具現化すべく工夫創造したスポーツ力学構造モデルである。
【００５２】
本発明と対比するに、上記ゴルフスイング練習装置は、本発明のように本発明者が解明発見したスポーツ主要運動の運動原理に基づいて形成された装置ではなく、本発明のように本発明者が解明発見したスポーツ主要運動の運動原理に則して形成された人体模型たる装置でもなく、また、本発明のように本発明者が解明発見したスポーツ主要運動の運動原理に係る情報を提示する機能を有する装置でもない。
【００５３】
即ち、上記ゴルフスイング練習装置は、本発明と対比して、発明根源を異にし、発明構成を異にし、発明機能を異にしている。
【００５４】
従って、本発明は上記ゴルフスイング練習装置と対比して相違するものであり、本発明による時は従来よりも容易にスポーツ主要運動原理あるいはスポーツ主要運動原理運動に通じ、従来よりも着実にスポーツ主要運動熟達を図る事が可能であると思量する。
【００５５】
特許文献３の請求項１、図１、図２には、本発明と技術分野は同じゴルフスイングロボットが開示されているが、人体骨格を模して関節相当部分を可動とし、ゴルフスイング時の人体の運動フォームを表現するための人体模型（ロボット）である。
【００５６】
これに対し、本発明は、本発明者が自ら解明発見したスポーツ運動に於ける主要運動の運動原理に基づき、これを具現化すべく工夫創造したスポーツ力学構造モデルである。
【００５７】
従って、本発明は上記ゴルフスイングロボットと対比して相違するものであり、本発明による時は従来よりも容易にスポーツ主要運動原理あるいはスポーツ主要運動原理運動に通じ、従来よりも着実にスポーツ主要運動熟達を図る事が可能であると思量する。
【００５８】
特許文献４の請求項１には、本発明と技術分野は同じスイングフォーム学習装置が開示されているが、映像を比較する手段により、手本とするゴルフスイングフォームに学習者のゴルフスイングフォームを教導して、ゴルフスイングを学習させるスイングフォーム学習装置である。
【００５９】
これに対し、本発明は、本発明者が自ら解明発見したスポーツ運動に於ける主要運動の運動原理に基づき、これを具現化すべく工夫創造したスポーツ力学構造モデルである。
【００６０】
従って、本発明は上記スイングフォーム学習装置と対比して相違するものであり、本発明による時は従来よりも容易にスポーツ主要運動原理あるいはスポーツ主要運動原理運動に通じ、従来よりも着実にスポーツ主要運動熟達を図る事が可能であると思量する。
【００６１】
特許文献５の請求項１〜請求項４には、本発明と技術分野は同じ実技分析システム及びプログラムが開示されているが、画像データ処理を介し、手本とするスポーツ運動フォームに学習者のスポーツ運動フォームを教導する事によって、スポーツ運動を学習させる実技分析システム及びプログラムである。
【００６２】
これに対し、本発明は、本発明者が自ら解明発見したスポーツ運動に於ける主要運動の運動原理に基づき、これを具現化すべく工夫創造したスポーツ力学構造モデルである。
【００６３】
従って、本発明は上記実技分析システム及びプログラムと対比して相違するものであり、本発明による時は従来よりも容易にスポーツ主要運動原理あるいはスポーツ主要運動原理運動に通じ、従来よりも着実にスポーツ主要運動熟達を図る事が可能であると思量する。
【００６４】
特許文献６の請求項１には、本発明と技術分野は同じ運動技能学習装置が開示されているが、筋電信号処理を介する等して、手本とするスポーツ運動パターンに学習者の運動パターンを教導し、スポーツ運動を学習させる運動技能学習装置である。
【００６５】
これに対し、本発明は、本発明者が自ら解明発見したスポーツ運動に於ける主要運動の運動原理に基づき、これを具現化すべく工夫創造したスポーツ力学構造モデルである。
【００６６】
従って、本発明は上記運動技能学習装置と対比して相違するものであり、本発明による時は従来よりも容易にスポーツ主要運動原理あるいはスポーツ主要運動原理運動に通じ、従来よりも着実にスポーツ主要運動熟達を図る事が可能であると思量する。
【００６７】
特許文献７の請求項１には、本発明と技術分野は同じ器械運動の教材用人形モデルが開示されているが、人体の関節相当部分を回動自在とし、人の器械運動を表現するための器械運動の教材用人形モデルである。
【００６８】
これに対し、本発明は、本発明者が自ら解明発見したスポーツ運動に於ける主要運動の運動原理に基づき、これを具現化すべく工夫創造したスポーツ力学構造モデルである。
【００６９】
従って、本発明は上記器械運動の教材用人形モデルと対比して相違するものであり、本発明による時は従来よりも容易にスポーツ主要運動原理あるいはスポーツ主要運動原理運動に通じ、従来よりも着実にスポーツ主要運動熟達を図る事が可能であると思量する。
【００７０】
特許文献８の請求項１には、本発明と技術分野は同じ肉体的運動熟達教育用システムが開示されているが、映像データ処理等を介し、手本とするスポーツ運動に学習者のスポーツ運動を教導する事によって、学習者のスポーツ運動熟達を図る肉体的運動熟達教育用システムである。
【００７１】
これに対し、本発明は、本発明者が自ら解明発見したスポーツ運動に於ける主要運動の運動原理に基づき、これを具現化すべく工夫創造したスポーツ力学構造モデルである。
【００７２】
従って、本発明は上記肉体的運動熟達教育用システムと対比して相違するものであり、本発明による時は従来よりも容易にスポーツ主要運動原理あるいはスポーツ主要運動原理運動に通じ、従来よりも着実にスポーツ主要運動熟達を図る事が可能であると思量する。
【００７３】
特許文献９の請求項１には、本発明と技術目的は同じゴルフスイング矯正ヘルス機が開示されているが、身体運動を統御し、理想とするゴルフスイング運動に学習者のゴルフスイング運動を矯正する事によって、ゴルフスイングを学習させるゴルフスイング矯正ヘルス機である。
【００７４】
これに対し、本発明は、本発明者が自ら解明発見したスポーツ運動に於ける主要運動の運動原理に基づき、これを具現化すべく工夫創造したスポーツ力学構造モデルである。
【００７５】
従って、本発明は上記ゴルフスイング矯正ヘルス機と対比して相違するものであり、本発明による時は従来よりも容易にスポーツ主要運動原理あるいはスポーツ主要運動原理運動に通じ、従来よりも着実にスポーツ主要運動熟達を図る事が可能であると思量する。
【００７６】
特許文献１０の請求項１には、本発明と技術目的は同じゴルフスイング等運動の練習および筋肉訓練装置が開示されているが、理想とするスイング運動パターンに学習者のスイング運動パターンを誘導して、スイング運動の練習や筋肉訓練をするゴルフスイング等運動の練習および筋肉訓練装置である。
【００７７】
これに対し、本発明は、本発明者が自ら解明発見したスポーツ運動に於ける主要運動の運動原理に基づき、これを具現化すべく工夫創造したスポーツ力学構造モデルである。
【００７８】
従って、本発明は上記ゴルフスイング等運動の練習および筋肉訓練装置と対比して相違するものであり、本発明による時は従来よりも容易にスポーツ主要運動原理あるいはスポーツ主要運動原理運動に通じ、従来よりも着実にスポーツ主要運動熟達を図る事が可能であると思量する。
【００７９】
特許文献１１の請求項１には、本発明と技術目的は同じゴルフのスイング練習器が開示されているが、理想とするゴルフスイング運動に学習者のゴルフスイング運動を誘導して、ゴルフスイングを学習させるゴルフのスイング練習器である。
【００８０】
これに対し、本発明は、本発明者が自ら解明発見したスポーツ運動に於ける主要運動の運動原理に基づき、これを具現化すべく工夫創造したスポーツ力学構造モデルである。
【００８１】
従って、本発明は上記ゴルフのスイング練習器と対比して相違するものであり、本発明による時は従来よりも容易にスポーツ主要運動原理あるいはスポーツ主要運動原理運動に通じ、従来よりも着実にスポーツ主要運動熟達を図る事が可能であると思量する。
【００８２】
特許文献１２の請求項１には、本発明と技術目的は同じフォーム矯正肩ベルトが、また、同文献の請求項２には、本発明と技術目的は同じフォーム矯正腰ベルトが開示されているが、各々理想とするスポーツ運動フォームに学習者のスポーツ運動フォームを矯正して、スポーツ運動を学習させるフォーム矯正肩ベルト、フォーム矯正腰ベルトである。
【００８３】
これに対し、本発明は、本発明者が自ら解明発見したスポーツ運動に於ける主要運動の運動原理に基づき、これを具現化すべく工夫創造したスポーツ力学構造モデルである。
【００８４】
従って、本発明は上記フォーム矯正肩ベルト、フォーム矯正腰ベルトと対比して相違するものであり、本発明による時は従来よりも容易にスポーツ主要運動原理あるいはスポーツ主要運動原理運動に通じ、従来よりも着実にスポーツ主要運動熟達を図る事が可能であると思量する。
【００８５】
特許文献１３の請求項１には、本発明と技術目的は同じ揺動訓練装置が開示されているが、ゴルフスイング等スイング運動の身体部分を統御し、理想とするスイング運動に学習者のスイング運動を矯正して、スイング運動を学習させる揺動訓練装置である。
【００８６】
これに対し、本発明は、本発明者が自ら解明発見したスポーツ運動に於ける主要運動の運動原理に基づき、これを具現化すべく工夫創造したスポーツ力学構造モデルである。
【００８７】
従って、本発明は上記揺動訓練装置と対比して相違するものであり、本発明による時は従来よりも容易にスポーツ主要運動原理あるいはスポーツ主要運動原理運動に通じ、従来よりも着実にスポーツ主要運動熟達を図る事が可能であると思量する。
【００８８】
非特許文献１の、第１７１ページ〜第１７２ページ、項目「４．  実験」の「４−２  ドライバースイング計測」には、文章と図表とによって、本発明と技術分野は同じゴルフスイング運動の研究成果が公表されているが、身体運動部位の定量化データを示す研究論文である。これに対し、本発明は、本発明者が自ら解明発見したスポーツ運動に於ける主要運動の運動原理に基づき、これを具現化すべく工夫創造したスポーツ力学構造モデルである点で異なるものである。
【００８９】
即ち、本発明による時は従来よりも容易にスポーツ主要運動原理あるいはスポーツ主要運動原理運動に通じ、従来よりも着実にスポーツ主要運動熟達を図る事が可能であると思量する。
【００９０】
非特許文献２の、第３２８ページ〜第３２９ページ、項目「結果」には、文章と図表とによって、本発明と技術分野は同じゴルフスイング運動の研究成果が公表されているが、身体運動部位の定量化データを示す研究論文である。これに対し、本発明は、本発明者が自ら解明発見したスポーツ運動に於ける主要運動の運動原理に基づき、これを具現化すべく工夫創造したスポーツ力学構造モデルである点で異なるものである。
【００９１】
即ち、本発明による時は従来よりも容易にスポーツ主要運動原理あるいはスポーツ主要運動原理運動に通じ、従来よりも着実にスポーツ主要運動熟達を図る事が可能であると思量する。
【００９２】
本発明者は、本発明者が解明発見したスポーツ主要運動原理に相応する表現方法についても、様々な方面から検討を加え試行錯誤を繰り返した。表現方法には欠かす事の出来ない２つの要項が存在すると思量された。１つは、表現方法によって、人体運動に係る旨が明示される事であり、本発明を成立させるための前提的要項になると思惟された。また、１つは、上記前提的要項を基に、表現方法によって、本発明者が解明発見したスポーツ主要運動原理に係る情報が明示される事であり、本発明を成立させるための中心的要項になると思惟された。
【００９３】
前記前提的要項を満たすため、即ち、人体運動に係る旨を明示する目的を達するためには、人体模型を表現の基盤とする事が須らく合理的であると思惟された。かつ、スポーツ運動は多数の人々が参画して実践主体となるものであり、実践主体には年少の者達も含まれるものであるから、表現の基盤とする人体模型には、視認して誤謬なくそれと識知し得る具象性、明瞭性を備えるべきであり、実施状況によって錯誤を生じ得る余地を極力排し、本発明に係る概念を他の概念と取り違えて解する懼れの極力少ない表現方法によるべきものと思惟された。
【００９４】
また、前記中心的要項を満たすため、即ち、本発明者が解明発見したスポーツ主要運動原理に係る情報を明示する目的を達するためには、基礎的項目としては、前記前提的要項たる、人体を具象的かつ明瞭に表象した人体模型を基盤とする表現方法に則して、スポーツ主要運動原理に係る身体運動の際に背馳的に働く要素を消除し、融和的に働く要素を提示する事等により、スポーツ主要運動原理運動を成立させるための身体制御方法に係る情報を明示する事が枢要と思惟された。また、発展的項目としては、上記基礎的項目を満たす本発明構造体に可動構造を設け、一の本発明によって連続静止画（分解動画）的な、もしくは動的な相形を提示する事が可能な構造体とし、一の本発明によってスポーツ主要運動原理運動の過程で結果的に生成される生成運動、即ち、複数の回転運動（慣性運動、偏心運動）に係る情報を提供する等、スポーツ主要運動原理通暁に供し得るさらなる情報を明示する事が枢要と思惟された。
【００９５】
本発明者は、如上のごとき思索を踏まえつつ、表現方法の実験を重ね、創意工夫を積み、スポーツ運動発展に寄与し得る本発明手段を創出するに至った。
【００９６】
前記従来技術による時は、学習者は運動原理に則り熟達を果たすというスポーツ運動練達の王道を遮蔽され、運動要諦会得に手間取り、理不尽な過負担を強いられて、スポーツ運動習熟に困難を来たしがちだった。本発明が解決しようとする課題は、前記従来状況を打開して、従来よりも容易にスポーツ主要運動原理あるいはスポーツ主要運動原理運動に通じ、従来よりも着実にスポーツ主要運動熟達を図る事が可能なスポーツ運動習熟支援手段を提供し、スポーツ運動学習に資する事にある。
【課題を解決するための手段】
【００９７】
本発明者は、鋭意講究を貫いた結果、本発明者の解明発見したスポーツ主要運動原理に係る研究成果を具現化すれば、前記課題が解決出来る事を見出して本発明を完成させた。即ち、本発明は以下に記載する通りのスポーツ力学構造モデルである。
（１）
左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬し、
該一方側の下肢とは反対側の下肢相当部位を滅却し、
該一方側の下肢とは反対側の上肢相当部位を滅却し、
該一方側の下肢とは反対側の胴側部相当部位以外の胴部相当部位を滅却した構成と成した構成体を、
該一方側の下肢の足部位を表現する部材、
該一方側の下肢の下腿部位を表現する部材、
該一方側の下肢の大腿部位を表現する部材、
骨盤部位を表現する部材、
該一方側の下肢とは反対側の胴側部部位を表現する部材、
両肩を橋架する部位及び両肩部位を表現する部材、
該一方側の下肢とは同側の上腕部位を表現する部材、
該一方側の下肢とは同側の前腕部位を表現する部材、
該一方側の下肢とは同側の手部位を表現する部材、
該一方側の下肢の足部位を表現する部材と該一方側の下肢の下腿部位を表現する部材とを連結する第一の連結機構、
該一方側の下肢の下腿部位を表現する部材と該一方側の下肢の大腿部位を表現する部材とを連結する第二の連結機構、
該一方側の下肢の大腿部位を表現する部材と該骨盤部位を表現する部材とを連結する第三の連結機構、
該骨盤部位を表現する部材と該一方側の下肢とは反対側の胴側部部位を表現する部材とを連結する第四の連結機構、
該一方側の下肢とは反対側の該胴側部部位を表現する部材と該両肩を橋架する部位及び両肩部位を表現する部材とを連結する第五の連結機構、
該両肩を橋架する部位及び両肩部位を表現する部材と該一方側の下肢とは同側の上腕部位を表現する部材とを連結する第六の連結機構、
該一方側の下肢とは同側の上腕部位を表現する部材と該一方側の下肢とは同側の前腕部位を表現する部材とを連結する第七の連結機構、
該一方側の下肢とは同側の前腕部位を表現する部材と該一方側の下肢とは同側の手部位を表現する部材とを連結する第八の連結機構より形成し、
上記該第一の連結機構〜該第八の連結機構の８つの連結機構は、各連結機構とも、
各連結機構の連結に係る２つの部材同士を固結する連結機構であるか、
または、各連結機構の連結に係る２つの部材同士を、該２つの部材同士の連結に係る連結機構廻りに、該２つの部材の一方を他方に対し３自由度もしくは２自由度もしくは１自由度の回転運動たる回動自在に成して連結する連結機構であり、
前記人体部位の連なりを擬した構成体の、
該一方側の下肢とは反対側の股関節相当部分と該一方側の下肢とは反対側の肩関節相当部分とを結ぶ線分からの、
該線分の垂直方向の、
該一方側の下肢とは反対側の胴側部部位を表現する部材の中心線上の一点の最大乖離距離が、
該線分の長さの２５％以下であり、
前記人体部位の連なりを擬した構成体の人体の左右相当方向の肩幅相当寸法が、
前記人体部位の連なりを擬した構成体の人体の左右相当方向の腰幅相当寸法よりも大きい
人体模型であることを特徴とするスポーツ力学構造モデル。
（２）
前記該大腿部位を表現する部材を短手方向に於いて分断し、該分断した大腿部位を表現する部材の一方と他方の相互の位置関係、また前記該大腿部位を表現する部材以外の部材との位置関係を分断する以前の状態に保ちながら該分断した大腿部位を表現する部材の一方と他方とを各々の分断面を対峙させて枢結し、該分断した大腿部位を表現する部材の一方が他方に対し該大腿部位を表現する部材の長手方向中心線廻りに１自由度回転運動たる回動自在に枢結したるところの第一の枢結機構、
前記該胴側部部位を表現する部材を短手方向に於いて分断し、該分断した胴側部部位を表現する部材の一方と他方の相互の位置関係、また前記該胴側部部位を表現する部材以外の部材との位置関係を分断する以前の状態に保ちながら該分断した胴側部部位を表現する部材の一方と他方とを各々の分断面を対峙させて枢結し、該分断した胴側部部位を表現する部材の一方が他方に対し該胴側部部位を表現する部材の長手方向中心線廻りに１自由度回転運動たる回動自在に枢結したるところの第二の枢結機構、
前記該両肩を橋架する部位及び両肩部位を表現する部材を短手方向に於いて分断し、該分断した両肩を橋架する部位及び両肩部位を表現する部材の一方と他方の相互の位置関係、また前記該両肩を橋架する部位及び両肩部位を表現する部材以外の部材との位置関係を分断する以前の状態に保ちながら該分断した両肩を橋架する部位及び両肩部位を表現する部材の一方と他方とを各々の分断面を対峙させて枢結し、該分断した両肩を橋架する部位及び両肩部位を表現する部材の一方が他方に対し該両肩を橋架する部位及び両肩部位を表現する部材の長手方向中心線廻りに１自由度回転運動たる回動自在に枢結したるところの第三の枢結機構
の第一の枢結機構、第二の枢結機構、第三の枢結機構の３つの枢結機構のうち
少なくとも１つ以上の枢結機構を具備して形成した人体模型であることを特徴とする請求項１に記載のスポーツ力学構造モデル。
（３）
左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬し、
該一方側の下肢とは反対側の下肢相当部位を滅却し、
該一方側の下肢とは反対側の上肢相当部位を滅却し、
該一方側の下肢とは反対側の胴側部相当部位以外の胴部相当部位を滅却した構成と成した構成体を、
該一方側の下肢の足部位を表現する部材、
該一方側の下肢の下腿部位を表現する部材、
該一方側の下肢の大腿部位を表現する部材、
骨盤部位を表現する部材、
該一方側の下肢とは反対側の胴側部部位を表現する部材、
両肩を橋架する部位及び両肩部位を表現する部材、
該一方側の下肢とは同側の上腕部位を表現する部材、
該一方側の下肢とは同側の前腕部位を表現する部材、
該一方側の下肢とは同側の手部位を表現する部材より、
該一方側の下肢の足部位を表現する部材と該一方側の下肢の下腿部位を表現する部材とを結合し、
該一方側の下肢の下腿部位を表現する部材と該一方側の下肢の大腿部位を表現する部材とを結合し、
該一方側の下肢の大腿部位を表現する部材と該骨盤部位を表現する部材とを結合し、
該骨盤部位を表現する部材と該一方側の下肢とは反対側の胴側部部位を表現する部材とを結合し、
該一方側の下肢とは反対側の胴側部部位を表現する部材と該両肩を橋架する部位及び両肩部位を表現する部材とを結合し、
該両肩を橋架する部位及び両肩部位を表現する部材と該一方側の下肢とは同側の上腕部位を表現する部材とを結合し、
該大腿部位を表現する部材を短手方向に於いて分断し、該分断した大腿部位を表現する部材の一方と他方の相互の位置関係、また該大腿部位を表現する部材以外の部材との位置関係を分断する以前の状態に保ちながら該分断した大腿部位を表現する部材の一方と他方とを各々の分断面を対峙させて枢結し、該分断した大腿部位を表現する部材の一方が他方に対し該大腿部位を表現する部材の長手方向中心線廻りに１自由度回転運動たる回動自在に枢結したるところの第一の枢結機構、
該胴側部部位を表現する部材を短手方向に於いて分断し、該分断した胴側部部位を表現する部材の一方と他方の相互の位置関係、また該胴側部部位を表現する部材以外の部材との位置関係を分断する以前の状態に保ちながら該分断した胴側部部位を表現する部材の一方と他方とを各々の分断面を対峙させて枢結し、該分断した胴側部部位を表現する部材の一方が他方に対し該胴側部部位を表現する部材の長手方向中心線廻りに１自由度回転運動たる回動自在に枢結したるところの第二の枢結機構、
該両肩を橋架する部位及び両肩部位を表現する部材を短手方向に於いて分断し、該分断した両肩を橋架する部位及び両肩部位を表現する部材の一方と他方の相互の位置関係、また該両肩を橋架する部位及び両肩部位を表現する部材以外の部材との位置関係を分断する以前の状態に保ちながら該分断した両肩を橋架する部位及び両肩部位を表現する部材の一方と他方とを各々の分断面を対峙させて枢結し、該分断した両肩を橋架する部位及び両肩部位を表現する部材の一方が他方に対し該両肩を橋架する部位及び両肩部位を表現する部材の長手方向中心線廻りに１自由度回転運動たる回動自在に枢結したるところの第三の枢結機構、
該上腕部位を表現する部材と該前腕部位を表現する部材とを肘関節相当部位に於いて該肘関節相当部位廻りに該上腕部位を表現する部材と該前腕部位を表現する部材の一方が他方に対し１自由度回転運動たる回動自在に枢結したるところの第四の枢結機構、
該前腕部位を表現する部材と該手部位を表現する部材とを前腕と手を連結する手関節相当部位に於いて該前腕と手を連結する手関節相当部位廻りに該前腕部位を表現する部材と該手部位を表現する部材の一方が他方に対し１自由度回転運動たる回動自在に枢結したるところの第五の枢結機構を具備して形成し、
前記人体部位の連なりを擬した構成体の、
該一方側の下肢とは反対側の股関節相当部分と該一方側の下肢とは反対側の肩関節相当部分とを結ぶ線分からの、
該線分の垂直方向の、
該一方側の下肢とは反対側の胴側部部位を表現する部材の中心線上の一点の最大乖離距離が、
該線分の長さの２５％以下であり、
前記人体部位の連なりを擬した構成体の人体の左右相当方向の肩幅相当寸法が、
前記人体部位の連なりを擬した構成体の人体の左右相当方向の腰幅相当寸法よりも大きい
人体模型であることを特徴とするスポーツ力学構造モデル。
（４）
前記該第三の枢結機構に係る回転運動の回転中心線、前記該第四の枢結機構に係る回転運動の回転中心線、前記該第五の枢結機構に係る回転運動の回転中心線の３つの回転中心線のうち少なくとも２つ以上の回転中心線が平行の位置関係にある構成であることを特徴とする請求項３に記載のスポーツ力学構造モデル。
（５）
左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬し、
該一方側の下肢とは反対側の下肢相当部位を滅却し、
該一方側の下肢とは反対側の上肢相当部位を滅却し、
該一方側の下肢とは反対側の胴側部相当部位以外の胴部相当部位を滅却した構成と成した構成体を、
該一方側の下肢の足部位を表現する部材、
該一方側の下肢の下腿部位を表現する部材、
該一方側の下肢の大腿部位を表現する部材、
骨盤部位を表現する部材、
該一方側の下肢とは反対側の胴側部部位を表現する部材、
両肩を橋架する部位及び両肩部位を表現する部材、
該一方側の下肢とは同側の上腕部位を表現する部材、
該一方側の下肢とは同側の前腕部位を表現する部材、
該一方側の下肢とは同側の手部位を表現する部材より、
該一方側の下肢の足部位を表現する部材と該一方側の下肢の下腿部位を表現する部材とを結合し、
該一方側の下肢の下腿部位を表現する部材と該一方側の下肢の大腿部位を表現する部材とを結合し、
該一方側の下肢の大腿部位を表現する部材と該骨盤部位を表現する部材とを結合し、
該骨盤部位を表現する部材と該一方側の下肢とは反対側の胴側部部位を表現する部材とを結合し、
該一方側の下肢とは反対側の胴側部部位を表現する部材と該両肩を橋架する部位及び両肩部位を表現する部材とを結合し、
該両肩を橋架する部位及び両肩部位を表現する部材と該一方側の下肢とは同側の上腕部位を表現する部材とを結合し、
該一方側の下肢とは同側の上腕部位を表現する部材の長手方向中心線と該一方側の下肢とは同側の前腕部位を表現する部材の長手方向中心線とが同一直線となる状態に於いて該一方側の下肢とは同側の上腕部位を表現する部材と該一方側の下肢とは同側の前腕部位を表現する部材とを結合し、
該大腿部位を表現する部材を短手方向に於いて分断し、該分断した大腿部位を表現する部材の一方と他方の相互の位置関係、また該大腿部位を表現する部材以外の部材との位置関係を分断する以前の状態に保ちながら該分断した大腿部位を表現する部材の一方と他方とを各々の分断面を対峙させて枢結し、該分断した大腿部位を表現する部材の一方が他方に対し該大腿部位を表現する部材の長手方向中心線廻りに１自由度回転運動たる回動自在に枢結したるところの第一の枢結機構、
該胴側部部位を表現する部材を短手方向に於いて分断し、該分断した胴側部部位を表現する部材の一方と他方の相互の位置関係、また該胴側部部位を表現する部材以外の部材との位置関係を分断する以前の状態に保ちながら該分断した胴側部部位を表現する部材の一方と他方とを各々の分断面を対峙させて枢結し、該分断した胴側部部位を表現する部材の一方が他方に対し該胴側部部位を表現する部材の長手方向中心線廻りに１自由度回転運動たる回動自在に枢結したるところの第二の枢結機構、
該両肩を橋架する部位及び両肩部位を表現する部材を短手方向に於いて分断し、該分断した両肩を橋架する部位及び両肩部位を表現する部材の一方と他方の相互の位置関係、また該両肩を橋架する部位及び両肩部位を表現する部材以外の部材との位置関係を分断する以前の状態に保ちながら該分断した両肩を橋架する部位及び両肩部位を表現する部材の一方と他方とを各々の分断面を対峙させて枢結し、該分断した両肩を橋架する部位及び両肩部位を表現する部材の一方が他方に対し該両肩を橋架する部位及び両肩部位を表現する部材の長手方向中心線廻りに１自由度回転運動たる回動自在に枢結したるところの第三の枢結機構、
該前腕部位を表現する部材と該手部位を表現する部材とを前腕と手を連結する手関節相当部位に於いて該前腕と手を連結する手関節相当部位廻りに該前腕部位を表現する部材と該手部位を表現する部材の一方が他方に対し１自由度回転運動たる回動自在に枢結したるところの第四の枢結機構を具備して形成し、
前記人体部位の連なりを擬した構成体の、
該一方側の下肢とは反対側の股関節相当部分と該一方側の下肢とは反対側の肩関節相当部分とを結ぶ線分からの、
該線分の垂直方向の、
該一方側の下肢とは反対側の胴側部部位を表現する部材の中心線上の一点の最大乖離距離が、
該線分の長さの２５％以下であり、
前記人体部位の連なりを擬した構成体の人体の左右相当方向の肩幅相当寸法が、
前記人体部位の連なりを擬した構成体の人体の左右相当方向の腰幅相当寸法よりも大きい
人体模型であることを特徴とするスポーツ力学構造モデル。
（６）
前記該第三の枢結機構に係る回転運動の回転中心線と前記該第四の枢結機構に係る回転運動の回転中心線とが平行の位置関係にある構成であることを特徴とする請求項５に記載のスポーツ力学構造モデル。
（７）
左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬し、
該一方側の下肢とは反対側の下肢相当部位を滅却し、
該一方側の下肢とは反対側の上肢相当部位を滅却し、
該一方側の下肢とは反対側の胴側部相当部位以外の胴部相当部位を滅却した構成と成した構成体を、
該一方側の下肢の足部位を表現する部材、
該一方側の下肢の下腿部位を表現する部材、
該一方側の下肢の大腿部位を表現する部材、
骨盤部位を表現する部材、
該一方側の下肢とは反対側の胴側部部位を表現する部材、
両肩を橋架する部位及び両肩部位を表現する部材、
該一方側の下肢とは同側の上腕部位を表現する部材、
該一方側の下肢とは同側の前腕部位を表現する部材、
該一方側の下肢とは同側の手部位を表現する部材より、
該一方側の下肢の足部位を表現する部材と該一方側の下肢の下腿部位を表現する部材とを結合し、
該一方側の下肢の下腿部位を表現する部材と該一方側の下肢の大腿部位を表現する部材とを結合し、
該一方側の下肢の大腿部位を表現する部材と該骨盤部位を表現する部材とを結合し、
該骨盤部位を表現する部材と該一方側の下肢とは反対側の胴側部部位を表現する部材とを結合し、
該一方側の下肢とは反対側の胴側部部位を表現する部材と該両肩を橋架する部位及び両肩部位を表現する部材とを結合し、
該両肩を橋架する部位及び両肩部位を表現する部材の長手方向中心線と該一方側の下肢とは同側の上腕部位を表現する部材の長手方向中心線とが同一直線となる状態に於いて該両肩を橋架する部位及び両肩部位を表現する部材と該一方側の下肢とは同側の上腕部位を表現する部材とを結合し、
該上腕部位を表現する部材と該前腕部位を表現する部材とを結合し、
該大腿部位を表現する部材を短手方向に於いて分断し、該分断した大腿部位を表現する部材の一方と他方の相互の位置関係、また該大腿部位を表現する部材以外の部材との位置関係を分断する以前の状態に保ちながら該分断した大腿部位を表現する部材の一方と他方とを各々の分断面を対峙させて枢結し、該分断した大腿部位を表現する部材の一方が他方に対し該大腿部位を表現する部材の長手方向中心線廻りに１自由度回転運動たる回動自在に枢結したるところの第一の枢結機構、
該胴側部部位を表現する部材を短手方向に於いて分断し、該分断した胴側部部位を表現する部材の一方と他方の相互の位置関係、また該胴側部部位を表現する部材以外の部材との位置関係を分断する以前の状態に保ちながら該分断した胴側部部位を表現する部材の一方と他方とを各々の分断面を対峙させて枢結し、該分断した胴側部部位を表現する部材の一方が他方に対し該胴側部部位を表現する部材の長手方向中心線廻りに１自由度回転運動たる回動自在に枢結したるところの第二の枢結機構、
該両肩を橋架する部位及び両肩部位及び上腕部位を表現する部材を短手方向に於いて分断し、該分断した両肩を橋架する部位及び両肩部位及び上腕部位を表現する部材の一方と他方の相互の位置関係、また該両肩を橋架する部位及び両肩部位及び上腕部位を表現する部材以外の部材との位置関係を分断する以前の状態に保ちながら該分断した両肩を橋架する部位及び両肩部位及び上腕部位を表現する部材の一方と他方とを各々の分断面を対峙させて枢結し、該分断した両肩を橋架する部位及び両肩部位及び上腕部位を表現する部材の一方が他方に対し該両肩を橋架する部位及び両肩部位及び上腕部位を表現する部材の長手方向中心線廻りに１自由度回転運動たる回動自在に枢結したるところの第三の枢結機構、
該前腕部位を表現する部材と該手部位を表現する部材とを前腕と手を連結する手関節相当部位に於いて該前腕と手を連結する手関節相当部位廻りに該前腕部位を表現する部材と該手部位を表現する部材の一方が他方に対し１自由度回転運動たる回動自在に枢結したるところの第四の枢結機構を具備して形成し、
前記人体部位の連なりを擬した構成体の、
該一方側の下肢とは反対側の股関節相当部分と該一方側の下肢とは反対側の肩関節相当部分とを結ぶ線分からの、
該線分の垂直方向の、
該一方側の下肢とは反対側の胴側部部位を表現する部材の中心線上の一点の最大乖離距離が、
該線分の長さの２５％以下である
人体模型であることを特徴とするスポーツ力学構造モデル。
（８）
前記該第三の枢結機構に係る回転運動の回転中心線と前記該第四の枢結機構に係る回転運動の回転中心線とが平行の位置関係にある構成であることを特徴とする請求項７に記載のスポーツ力学構造モデル。
（９）
前記該第一の枢結機構に係る回転運動の回転中心線と前記該第二の枢結機構に係る回転運動の回転中心線とがねじれの位置関係にある構成であることを特徴とする請求項３〜請求項８のいずれか１項に記載のスポーツ力学構造モデル。
（１０）
前記該下腿部位を表現する部材の短手方向の幅寸法のうち最大である第一の幅寸法、
前記該大腿部位を表現する部材の短手方向の幅寸法のうち最大である第二の幅寸法、
前記該骨盤部位を表現する部材の短手方向の幅寸法のうち最大である第三の幅寸法、
前記該胴側部部位を表現する部材の短手方向の幅寸法のうち最大である第四の幅寸法、
前記該両肩を橋架する部位及び両肩部位を表現する部材の短手方向の幅寸法のうち最大である第五の幅寸法、
前記該上腕部位を表現する部材の短手方向の幅寸法のうち最大である第六の幅寸法、
前記該前腕部位を表現する部材の短手方向の幅寸法のうち最大である第七の幅寸法
の第一の幅寸法〜第七の幅寸法の７つの幅寸法のうちの最大の幅寸法を、
前記該下腿部位を表現する部材の短手方向の幅寸法のうち最小である第八の幅寸法、
前記該大腿部位を表現する部材の短手方向の幅寸法のうち最小である第九の幅寸法、
前記該骨盤部位を表現する部材の短手方向の幅寸法のうち最小である第十の幅寸法、
前記該胴側部部位を表現する部材の短手方向の幅寸法のうち最小である第十一の幅寸法、
前記該両肩を橋架する部位及び両肩部位を表現する部材の短手方向の幅寸法のうち最小である第十二の幅寸法、
前記該上腕部位を表現する部材の短手方向の幅寸法のうち最小である第十三の幅寸法、
前記該前腕部位を表現する部材の短手方向の幅寸法のうち最小である第十四の幅寸法
の第八の幅寸法〜第十四の幅寸法の７つの幅寸法のうちの最小の幅寸法で
除算した値が１以上１．８以下である
請求項１〜請求項９のいずれか１項に記載のスポーツ力学構造モデル。
（１１）
第一の躯体、
第二の躯体、
第三の躯体、
第四の躯体、
第五の躯体、
第六の躯体、
第一の枢軸、
第二の枢軸、
第三の枢軸を設け、
該第一の枢軸を介して該第一の躯体と該第二の躯体とを軸架し該第二の躯体は該第一の躯体に対して該第一の枢軸に係る回転運動の回転中心線廻りに１自由度回転運動たる回動自在の構成とし、
該第二の枢軸を介して該第二の躯体と該第三の躯体とを軸架し該第三の躯体は該第二の躯体に対して該第二の枢軸に係る回転運動の回転中心線廻りに１自由度回転運動たる回動自在の構成とし、
該第三の枢軸を介して該第三の躯体と該第四の躯体とを軸架し該第四の躯体は該第三の躯体に対して該第三の枢軸に係る回転運動の回転中心線廻りに１自由度回転運動たる回動自在の構成とし、
該第四の躯体と該第五の躯体とを枢結し、該第五の躯体は該第四の躯体に対し該第四の躯体と該第五の躯体との枢結に係る回転中心線廻りに１自由度回転運動たる回動自在の構成とし、
該第五の躯体と該第六の躯体とを枢結し、該第六の躯体は該第五の躯体に対し該第五の躯体と該第六の躯体との枢結に係る回転中心線廻りに１自由度回転運動たる回動自在の構成とした構造体が、
左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬した構成体であり、
該一方側の下肢とは反対側の下肢相当部位が滅却された構成であり、
該一方側の下肢とは反対側の上肢相当部位が滅却された構成であり、
該一方側の下肢とは反対側の胴側部相当部位を除く胴部相当部位が滅却された構成であり、
該第一の躯体は該一方側の下肢の大腿の一部と下腿と足との連なりを擬し、
該第二の躯体は骨盤を擬すか、
もしくは該一方側の下肢の大腿の一部と骨盤との連なりを擬すか、
もしくは該一方側の下肢の大腿の一部と該一方側の下肢とは反対側の胴側部の一部と骨盤との連なりを擬すか、
もしくは該一方側の下肢とは反対側の胴側部の一部と骨盤との連なりを擬し、
該第三の躯体は該一方側の下肢とは反対側の肩を擬すか、
もしくは該一方側の下肢とは反対側の胴側部の一部と該一方側の下肢とは反対側の肩との連なりを擬すか、
もしくは該一方側の下肢とは反対側の胴側部の一部と両肩を橋架する部位の一部と該一方側の下肢とは反対側の肩との連なりを擬すか、
もしくは両肩を橋架する部位の一部と該一方側の下肢とは反対側の肩との連なりを擬し、
該第四の躯体は該一方側の下肢とは同側の肩と該一方側の下肢とは同側の上腕との連なりを擬すか、
もしくは両肩を橋架する部位の一部と該一方側の下肢とは同側の肩と該一方側の下肢とは同側の上腕との連なりを擬し、
該第五の躯体は該一方側の下肢とは同側の前腕を擬し、
該第六の躯体は該一方側の下肢とは同側の手を擬し、
該一方側の下肢の大腿相当部には該第一の枢軸が在り、
該一方側の下肢とは反対側の胴側部相当部には該第二の枢軸が在り、
該両肩を橋架する部位相当部には該第三の枢軸が在り、
該第四の躯体と該第五の躯体とが該一方側の下肢とは同側の上肢の肘関節相当部に於いて枢結され、
該一方側の下肢とは同側の上肢の肘関節相当部には該第四の躯体と該第五の躯体との枢結に係る回転運動の回転中心線が在り、
該第五の躯体と該第六の躯体とが該一方側の下肢とは同側の前腕と該一方側の下肢とは同側の手を連結する手関節相当部に於いて枢結され、
該一方側の下肢とは同側の前腕と該一方側の下肢とは同側の手を連結する手関節相当部には該第五の躯体と該第六の躯体との枢結に係る回転運動の回転中心線が在り、
前記人体部位の連なりを擬した構成体の、
該一方側の下肢とは反対側の股関節相当部分と該一方側の下肢とは反対側の肩関節相当部分とを結ぶ線分からの、
該線分の垂直方向の、
該第二の枢軸の中心線上の一点の最大乖離距離が、
該線分の長さの２５％以下であり、
前記人体部位の連なりを擬した構成体の人体の左右相当方向の肩幅相当寸法が、
前記人体部位の連なりを擬した構成体の人体の左右相当方向の腰幅相当寸法よりも大きい
人体模型であることを特徴とするスポーツ力学構造モデル。
（１２）
前記該第三の枢軸に係る回転運動の回転中心線、前記該第四の躯体と前記該第五の躯体との枢結に係る回転運動の回転中心線、前記該第五の躯体と前記該第六の躯体との枢結に係る回転運動の回転中心線の３つの回転中心線のうち少なくとも２つ以上の回転中心線が平行の位置関係にある構成であることを特徴とする請求項１１に記載のスポーツ力学構造モデル。
（１３）
第一の躯体、
第二の躯体、
第三の躯体、
第四の躯体、
第五の躯体、
第一の枢軸、
第二の枢軸、
第三の枢軸を設け、
該第一の枢軸を介して該第一の躯体と該第二の躯体とを軸架し該第二の躯体は該第一の躯体に対して該第一の枢軸に係る回転運動の回転中心線廻りに１自由度回転運動たる回動自在の構成とし、
該第二の枢軸を介して該第二の躯体と該第三の躯体とを軸架し該第三の躯体は該第二の躯体に対して該第二の枢軸に係る回転運動の回転中心線廻りに１自由度回転運動たる回動自在の構成とし、
該第三の枢軸を介して該第三の躯体と該第四の躯体とを軸架し該第四の躯体は該第三の躯体に対して該第三の枢軸に係る回転運動の回転中心線廻りに１自由度回転運動たる回動自在の構成とし、
該第四の躯体と該第五の躯体とを枢結し、該第五の躯体は該第四の躯体に対し該第四の躯体と該第五の躯体との枢結に係る回転中心線廻りに１自由度回転運動たる回動自在の構成とした構造体が、
左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬した構成体であり、
該一方側の下肢とは反対側の下肢相当部位が滅却された構成であり、
該一方側の下肢とは反対側の上肢相当部位が滅却された構成であり、
該一方側の下肢とは反対側の胴側部相当部位を除く胴部相当部位が滅却された構成であり、
該一方側の下肢とは同側の上肢の上腕相当部位の長手方向中心線と該一方側の下肢とは同側の上肢の前腕相当部位の長手方向中心線とは同一直線を成す構成であり、
該第一の躯体は該一方側の下肢の大腿の一部と下腿と足との連なりを擬し、
該第二の躯体は骨盤を擬すか、
もしくは該一方側の下肢の大腿の一部と骨盤との連なりを擬すか、
もしくは該一方側の下肢の大腿の一部と該一方側の下肢とは反対側の胴側部の一部と骨盤との連なりを擬すか、
もしくは該一方側の下肢とは反対側の胴側部の一部と骨盤との連なりを擬し、
該第三の躯体は該一方側の下肢とは反対側の肩を擬すか、
もしくは該一方側の下肢とは反対側の胴側部の一部と該一方側の下肢とは反対側の肩との連なりを擬すか、
もしくは該一方側の下肢とは反対側の胴側部の一部と両肩を橋架する部位の一部と該一方側の下肢とは反対側の肩との連なりを擬すか、
もしくは両肩を橋架する部位の一部と該一方側の下肢とは反対側の肩との連なりを擬し、
該第四の躯体は該一方側の下肢とは同側の肩と該一方側の下肢とは同側の上腕と該一方側の下肢とは同側の前腕との連なりを擬すか、
もしくは両肩を橋架する部位の一部と該一方側の下肢とは同側の肩と該一方側の下肢とは同側の上腕と該一方側の下肢とは同側の前腕との連なりを擬し、
該第五の躯体は該一方側の下肢とは同側の手を擬し、
該一方側の下肢の大腿相当部には該第一の枢軸が在り、
該一方側の下肢とは反対側の胴側部相当部には該第二の枢軸が在り、
両肩を橋架する部位相当部には該第三の枢軸が在り、
該第四の躯体と該第五の躯体とが該一方側の下肢とは同側の前腕と該一方側の下肢とは同側の手を連結する手関節相当部に於いて枢結され、
該一方側の下肢とは同側の前腕と該一方側の下肢とは同側の手を連結する手関節相当部には該第四の躯体と該第五の躯体との枢結に係る回転運動の回転中心線が在り、
前記人体部位の連なりを擬した構成体の、
該一方側の下肢とは反対側の股関節相当部分と該一方側の下肢とは反対側の肩関節相当部分とを結ぶ線分からの、
該線分の垂直方向の、
該第二の枢軸の中心線上の一点の最大乖離距離が、
該線分の長さの２５％以下であり、
前記人体部位の連なりを擬した構成体の人体の左右相当方向の肩幅相当寸法が、
前記人体部位の連なりを擬した構成体の人体の左右相当方向の腰幅相当寸法よりも大きい
人体模型であることを特徴とするスポーツ力学構造モデル。
（１４）
前記該第三の枢軸に係る回転運動の回転中心線と前記該第四の躯体と前記該第五の躯体との枢結に係る回転運動の回転中心線とが平行の位置関係にある構成であることを特徴とする請求項１３に記載のスポーツ力学構造モデル。
（１５）
第一の躯体、
第二の躯体、
第三の躯体、
第四の躯体、
第五の躯体、
第一の枢軸、
第二の枢軸、
第三の枢軸を設け、
該第一の枢軸を介して該第一の躯体と該第二の躯体とを軸架し該第二の躯体は該第一の躯体に対して該第一の枢軸に係る回転運動の回転中心線廻りに１自由度回転運動たる回動自在の構成とし、
該第二の枢軸を介して該第二の躯体と該第三の躯体とを軸架し該第三の躯体は該第二の躯体に対して該第二の枢軸に係る回転運動の回転中心線廻りに１自由度回転運動たる回動自在の構成とし、
該第三の枢軸を介して該第三の躯体と該第四の躯体とを軸架し該第四の躯体は該第三の躯体に対して該第三の枢軸に係る回転運動の回転中心線廻りに１自由度回転運動たる回動自在の構成とし、
該第四の躯体と該第五の躯体とを枢結し、該第五の躯体は該第四の躯体に対し該第四の躯体と該第五の躯体との枢結に係る回転中心線廻りに１自由度回転運動たる回動自在の構成とした構造体が、
左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬した構成体であり、
該一方側の下肢とは反対側の下肢相当部位が滅却された構成であり、
該一方側の下肢とは反対側の上肢相当部位が滅却された構成であり、
該一方側の下肢とは反対側の胴側部相当部位を除く胴部相当部位が滅却された構成であり、
該両肩を橋架する部位及び両肩相当部位の長手方向中心線と該一方側の下肢とは同側の上肢の上腕相当部位の長手方向中心線とは同一直線を成す構成であり、
該第一の躯体は該一方側の下肢の大腿の一部と下腿と足との連なりを擬し、
該第二の躯体は骨盤を擬すか、
もしくは該一方側の下肢の大腿の一部と骨盤との連なりを擬すか、
もしくは該一方側の下肢の大腿の一部と該一方側の下肢とは反対側の胴側部の一部と骨盤との連なりを擬すか、
もしくは該一方側の下肢とは反対側の胴側部の一部と骨盤との連なりを擬し、
該第三の躯体は該一方側の下肢とは反対側の肩を擬すか、
もしくは該一方側の下肢とは反対側の胴側部の一部と該一方側の下肢とは反対側の肩との連なりを擬すか、
もしくは該一方側の下肢とは反対側の胴側部の一部と両肩を橋架する部位の一部と該一方側の下肢とは反対側の肩との連なりを擬すか、
もしくは両肩を橋架する部位の一部と該一方側の下肢とは反対側の肩との連なりを擬し、
該第四の躯体は該一方側の下肢とは同側の前腕を擬すか、
もしくは該一方側の下肢とは同側の上腕の一部と該一方側の下肢とは同側の前腕との連なりを擬すか、
もしくは該一方側の下肢とは同側の上腕と該一方側の下肢とは同側の前腕との連なりを擬すか、
もしくは該一方側の下肢とは同側の肩と該一方側の下肢とは同側の上腕と該一方側の下肢とは同側の前腕との連なりを擬すか、
もしくは両肩を橋架する部位の一部と該一方側の下肢とは同側の肩と該一方側の下肢とは同側の上腕と該一方側の下肢とは同側の前腕との連なりを擬し、
該第五の躯体は該一方側の下肢とは同側の手を擬し、
該一方側の下肢の大腿相当部には該第一の枢軸が在り、
該一方側の下肢とは反対側の胴側部相当部には該第二の枢軸が在り、
該両肩を橋架する部位相当部、もしくは該両肩を橋架する部位並びに該一方側の下肢とは同側の肩相当部、もしくは該両肩を橋架する部位並びに該一方側の下肢とは同側の肩並びに該一方側の下肢とは同側の上腕相当部には該第三の枢軸が在り、
該第四の躯体と該第五の躯体とが該一方側の下肢とは同側の前腕と該一方側の下肢とは同側の手を連結する手関節相当部に於いて枢結され、
該一方側の下肢とは同側の前腕と該一方側の下肢とは同側の手を連結する手関節相当部には該第四の躯体と該第五の躯体との枢結に係る回転運動の回転中心線が在り、
前記人体部位の連なりを擬した構成体の、
該一方側の下肢とは反対側の股関節相当部分と該一方側の下肢とは反対側の肩関節相当部分とを結ぶ線分からの、
該線分の垂直方向の、
該第二の枢軸の中心線上の一点の最大乖離距離が、
該線分の長さの２５％以下である
人体模型であることを特徴とするスポーツ力学構造モデル。
（１６）
前記該第三の枢軸に係る回転運動の回転中心線と前記該第四の躯体と前記該第五の躯体との枢結に係る回転運動の回転中心線とが平行の位置関係にある構成であることを特徴とする請求項１５に記載のスポーツ力学構造モデル。
（１７）
前記該第一の枢軸に係る回転運動の回転中心線と前記該第二の枢軸に係る回転運動の回転中心線とがねじれの位置関係にある構成であることを特徴とする請求項１１〜請求項１６のいずれか１項に記載のスポーツ力学構造モデル。
以下上記（１）〜（１７）を発明の態様（１）〜（１７）と言う。
【００９８】
なお、本発明に於ける両肩を橋架する部位とは、人体の両肩の間に存在する部分のうち、人体の両肩を結ぶ線分近傍にあって、該線分に対し垂直方向の幅よりも該線分方向の幅の方が大きい領域内で選択した、該線分近傍の両肩の間に存在する部分の集合体を言うものとする。
【００９９】
また、本発明に於ける胴側部部位とは、左右に識別した人体の一方側寄りの胴部部分のうち、該一方側の肩関節と股関節とを結ぶ線分近傍にあって、該線分に対し垂直方向の幅よりも該線分方向の幅の方が大きい領域内で選択した、該線分近傍の胴部部分の集合体を言うものとする。
【０１００】
また、本発明に於ける下腿部位とは、左右に識別した人体の一方側の下腿部両端に位置する足関節と膝関節とを結ぶ線分近傍にあって、該線分に対し垂直方向の幅よりも該線分方向の幅の方が大きい領域内で選択した、該線分近傍の下腿部部分の集合体を言うものとする。
【０１０１】
また、本発明に於ける大腿部位とは、左右に識別した人体の一方側の大腿部両端に位置する膝関節と股関節とを結ぶ線分近傍にあって、該線分に対し垂直方向の幅よりも該線分方向の幅の方が大きい領域内で選択した、該線分近傍の大腿部部分の集合体を言うものとする。
【０１０２】
また、本発明に於ける上腕部位とは、左右に識別した人体の一方側の上腕部両端に位置する肩関節と肘関節とを結ぶ線分近傍にあって、該線分に対し垂直方向の幅よりも該線分方向の幅の方が大きい領域内で選択した、該線分近傍の上腕部部分の集合体を言うものとする。
【０１０３】
また、本発明に於ける前腕部位とは、左右に識別した人体の一方側の前腕部両端に位置する肘関節と手関節とを結ぶ線分近傍にあって、該線分に対し垂直方向の幅よりも該線分方向の幅の方が大きい領域内で選択した、該線分近傍の前腕部部分の集合体を言うものとする。
【発明の効果】
【０１０４】
本発明によって、従来よりも容易にスポーツ主要運動原理あるいはスポーツ主要運動原理運動に通じ、従来よりも着実にスポーツ主要運動熟達を図る事が可能なスポーツ運動習熟支援手段が提供され、スポーツ運動学習に資する事が出来た。
【図面の簡単な説明】
【０１０５】
【図１】発明の態様（１）に係る本発明実施例を示す斜視図である。
【図２】発明の態様（２）に係る本発明実施例を示す斜視図である。
【図３】発明の態様（３）に係る本発明実施例を示す斜視図である。
【図４】発明の態様（４）に係る本発明実施例を示す斜視図である。
【図５】発明の態様（５）に係る本発明実施例を示す斜視図である。
【図６】発明の態様（６）に係る本発明実施例を示す斜視図である。
【図７】発明の態様（７）に係る本発明実施例を示す斜視図である。
【図８】発明の態様（８）に係る本発明実施例を示す斜視図である。
【図９】発明の態様（９）に係る本発明実施例を示す斜視図である。
【図１０】発明の態様（１１）に係る本発明実施例を示す斜視図である。
【図１１】発明の態様（１２）に係る本発明実施例を示す斜視図である。
【図１２】発明の態様（１３）に係る本発明実施例を示す斜視図である。
【図１３】発明の態様（１４）に係る本発明実施例を示す斜視図である。
【図１４】発明の態様（１５）に係る本発明実施例を示す斜視図である。
【図１５】発明の態様（１６）に係る本発明実施例を示す斜視図である。
【図１６】発明の態様（１７）に係る本発明実施例を示す斜視図である。
【図１７】人体基礎モデルを表す模式図である。
【図１８】人体を側面から観察した模式図である。
【図１９】卓球のフォアハンドスマッシュ運動の模式図である。
【図２０】卓球のフォアハンドスマッシュ運動の運動構造を表す模式図である。
【図２１】テニスのバックハンドストローク運動の模式図である。
【図２２】テニスのバックハンドストローク運動の運動構造を表す模式図である。
【図２３】ゴルフのスイング運動の模式図である。
【図２４】ゴルフのスイング運動の運動構造を表す模式図である。
【図２５】野球のバッティング運動の模式図である。
【図２６】野球のバッティング運動の運動構造を表す模式図である。
【図２７】野球投手のピッチング運動の模式図である。
【図２８】野球投手のピッチング運動の運動構造を表す模式図である。
【図２９】ソフトボール投手のピッチング運動の模式図である。
【図３０】ソフトボール投手のピッチング運動の運動構造を表す模式図である。
【図３１】ボクシングのアッパーカットパンチ運動の模式図である。
【図３２】ボクシングのアッパーカットパンチ運動の運動構造を表す模式図である。
【図３３】バレーボールのスパイク運動の模式図である。
【図３４】バレーボールのスパイク運動の運動構造を表す模式図である。
【図３５】テニスのサーブ運動の模式図である。
【図３６】テニスのサーブ運動の運動構造を表す模式図である。
【発明を実施するための形態】
【０１０６】
本発明は、本発明者が長期に亘る探究の末解明発見したスポーツ運動に於ける主要運動の運動原理に基づき、これを具現化したスポーツ力学構造モデルであり、本発明以外の手段にはない本発明固有の特徴を具有するものである。
【０１０７】
本発明の構成は、一の本発明によってスポーツ主要運動原理に係る一の瞬間の相形を提示する事が可能な構成（以下、基本構成という）と、一の本発明によってスポーツ主要運動原理に係る二以上の瞬間の相形を提示する事が可能な構成（以下、拡充構成という）とに、本発明の構造は、一の本発明によってスポーツ主要運動原理に係る一の瞬間の相形を提示する事が可能な構造（以下、基本構造という）と、一の本発明によってスポーツ主要運動原理に係る二以上の瞬間の相形を提示する事が可能な構造（以下、拡充構造という）とに、本発明の構造体は、一の本発明によってスポーツ主要運動原理に係る一の瞬間の相形を提示する事が可能な構造体（以下、基本構造体という）と、一の本発明によってスポーツ主要運動原理に係る二以上の瞬間の相形を提示する事が可能な構造体（以下、拡充構造体という）とに大別する事が出来るが、各構成、各構造、各構造体とも、本発明によって提供される情報、本発明によって発揮される機能と複雑に連関する。
【０１０８】
本発明が発揮する機能は、スポーツ主要運動原理に係る一の瞬間の情報を提供する機能（以下、基本機能という）と、スポーツ主要運動原理に係る二以上の瞬間の情報を提供する機能（以下、拡充機能という）とに大別する事が出来る。
【０１０９】
基本機能を発揮するための本発明構造の活用方法例としては、
（ア）基本構造の一の本発明を活用する方法
（イ）拡充構造の一の本発明を、自由度の運用を停止し、一の相形に固定して活用する方法
等があり、
拡充機能を発揮するための本発明構造の活用方法例としては、
（ウ）相形の異なる二以上の、基本構造の本発明を活用する方法
（エ）拡充構造の本発明を、自由度を運用し、相形変移を有段階に停止して活用する方法
（オ）拡充構造の本発明を、自由度を運用し、無段階に相形変移を持続して活用する方法
等がある。本発明は上記（ア）、（イ）の活用方法例に於いては一の瞬間に於ける静的情報を提示し、上記（ウ）、（エ）の活用方法例に於いては二以上の瞬間に於ける静的情報を提示し、上記（オ）の活用方法例に於いては動的情報（無数の瞬間に於ける静的情報）を提示する。
【０１１０】
本発明が提供する情報は、表現形態的に分類すれば、スポーツ主要運動原理に係る一の瞬間の情報（以下、基本情報という）と、スポーツ主要運動原理に係る二以上の瞬間の情報（以下、拡充情報という）とに大別する事が出来る。
【０１１１】
基本情報を提供するための本発明構成の活用方法例としては、
（カ）基本構成の一の本発明を活用する方法
（キ）拡充構成の一の本発明を、自由度の運用を停止し、一の相形に固定して活用する方法
等があり、
拡充情報を提供するための本発明構成の活用方法例としては、
（ク）相形の異なる二以上の、基本構成の本発明を活用する方法
（ケ）拡充構成の本発明を、自由度を運用し、相形変移を有段階に停止して活用する方法
（コ）拡充構成の本発明を、自由度を運用し、無段階に相形変移を持続して活用する方法
等がある。本発明は上記（カ）、（キ）の活用方法例に於いては一の瞬間に於ける静的情報を提示し、上記（ク）、（ケ）の活用方法例に於いては二以上の瞬間に於ける静的情報を提示し、上記（コ）の活用方法例に於いては動的情報（無数の瞬間に於ける静的情報）を提示する。
【０１１２】
本発明が提供する情報は、意義実体的に分類すれば、意思的能動的直接的に為すべき身体制御あるいは身体制御運動に係る情報（以下、身体制御情報という）と、その意思的能動的直接的な身体制御あるいは身体制御運動から結果的に生成される生成運動、即ち、複数の回転運動（慣性運動、偏心運動）に係る情報（以下、生成運動情報という）とに大別する事が出来る。
【０１１３】
本発明と人体（もしくは人体運動）とは、概念レベルでは、本発明を始域（ｓｏｕｒｃｅ）、人体（もしくは人体運動）を終域（ｔａｒｇｅｔ）とする、写像（ｍａｐ）の関係にあると考える事が出来る。始域たる本発明の基本情報による時は、終域たる学習者は、始域たる本発明の身体制御情報を成す元（要素）の投影を受け、為すべき身体運動に係る情報を取得して、スポーツ主要運動原理に係る意思的能動的直接的身体制御運動が可能となる。その際、学習者は、スポーツ主要運動原理に係る意思的能動的直接的身体制御運動を為す事により、結果的に生成される生成運動を知覚する事も可能である。スポーツ運動は通常実践を伴う実学であり、始域たる本発明に生成運動情報を成す元（要素）が存在しなくても、スポーツ主要運動原理に係る意思的能動的直接的身体制御運動による結果として、終域たる学習者もしくは学習者の運動に於いて生成運動情報たる元（要素）が事実上補完され得るのである。この事は、生成運動に係る適正な付加情報が身体制御情報に加われば、身体制御情報と付加情報とを以って生成運動情報が確保され得る事を示しており、上記例は生成運動に係る付加情報が発生する状況の一例であるが、生成運動に係る付加情報生起の在り方は多様に存在する。また、始域たる本発明の拡充情報による時は、終域たる学習者は、始域たる本発明の身体制御情報を成す元（要素）の投影を受け、為すべき身体運動に係る情報を取得してスポーツ主要運動原理に係る意思的能動的直接的身体制御運動が可能になると同時に、始域たる本発明の生成運動情報を成す元（要素）の投影を受け、意思的能動的直接的身体制御運動の結果生成される生成運動に係る情報を取得して、スポーツ主要運動原理の実証的探究が容易となる。
【０１１４】
また、別の視点から考察すれば、身体制御情報を含み生成運動情報を含まない本発明の基本情報は、学習者にとっては分り易い情報である。なぜなら、生成運動は意思的能動的直接的に発生させようとすれば齟齬停頓を来たす運動であり、他に係る意思的能動的直接的身体制御の結果として生成されるべき運動であるが、本発明の基本情報による時は、意思的能動的直接的制御の対象とすべきでない生成運動に係る情報が提示されないので、学習者が意識簡省化を為し得て身体制御情報に基づく運動に集中出来るからである。
【０１１５】
かく、スポーツ主要運動の身体制御方法の修得を現に目途している学習者には、本発明の基本情報の活用が適している。本発明の基本情報を活用すれば、学習者は身体制御情報を取得出来、スポーツ主要運動原理運動たる身体制御運動が可能となる。本発明は、この限りに於いては、スポーツ主要運動原理に係る意思的能動的直接的身体制御運動を可能ならしめる指針、指標あるいはガイダンス体（ガイダンス機能体）と位置付ける事が出来る。また、前記した通り、身体制御情報が含まれ、生成運動情報が含まれない本発明の基本情報は、スポーツ主要運動の身体制御方法の修得を現に目途している学習者にとっては、情報が簡約化されている点に於いて有意義である。
【０１１６】
また、スポーツ主要運動原理運動をより深く探究する意欲を有している学習者には、本発明の拡充情報の活用が適している。本発明の拡充情報からは、身体制御情報と共に生成運動情報を取得出来るが、生成運動情報は身体制御あるいは身体制御運動の結果として生成される生成運動に係る情報であり、学習者は、謂わば間接因果系を対象として考究を為し、スポーツ主要運動原理運動を実証的に探究する事が可能になる。そして、学習者がその探究成果を身体制御運動にフィードバックすれば、さらなるスポーツ運動向上が図れる事となる。
【０１１７】
スポーツ主要運動原理運動に係る身体制御情報は、本発明の基本情報からも拡充情報からも取得出来る。本発明の基本情報、もしくは拡充情報には、意思的能動的直接的身体制御運動に係る情報が含まれ、これにより学習者はスポーツ主要運動原理運動に係る意思的能動的直接的な身体制御が可能となる。また、本発明の基本情報に生成運動情報が含まれなくても学習者とって必ずしも不利益となるものではない事は前記した通りである。
【０１１８】
スポーツ主要運動原理運動に係る生成運動情報は、本発明の拡充情報から取得出来る。また、拡充情報は、異なる相形の二以上の基本構成の本発明によっても、あるいは、拡充構成の一の本発明等によっても提供される。拡充情報を、異なる相形の二以上の基本構成の本発明によって異なる二以上の有限個の静止相形を得て取得する時や、また、拡充情報を、拡充構成の本発明の相形変移を有段階に停止し異なる二以上の有限個の静止相形を得て取得する時は、学習者が所望する任意数量の異なる静止相形を活用して生成運動情報を取得すればよい事になる。また、拡充情報を、拡充構成の本発明の相形を無段階に変移持続して供される動的情報から得る時は、学習者はより速やかに生成運動情報を取得出来る。
【０１１９】
本発明は、本発明の基本情報によって、身体制御情報を現示する機能（以下、身体制御情報現示機能という）を発揮する。また、本発明は、本発明の拡充情報によって、身体制御情報現示機能を発揮すると共に、生成運動情報を現示する機能（以下、生成運動情報現示機能という）を発揮する。なお、本発明の基本情報や拡充情報が、各々、本発明の基本構成からも拡充構成からも提供される事については前述した通りである。
【０１２０】
また、本発明は、基本構成であると拡充構成であるとを問わず、本発明に固有の視覚形態的な特長を備えている。これにより、本発明は、学習者の脳生理活動に働き掛けて印象を刻み、スポーツ主要運動原理に係る記憶を強化する。即ち、本発明は、基本構成であると拡充構成であるとを問わず、他の手段に優位して、スポーツ主要運動原理に係る記憶を強化する機能（以下、記憶強化機能という）を発揮する。また、本発明は、学習者の脳生理活動に働き掛けて印象を復し、スポーツ主要運動原理に係る記憶を覚醒する。即ち、本発明は、基本構成であると拡充構成であるとを問わず、他の手段に優位して、スポーツ主要運動原理に係る記憶を覚醒する機能（以下、記憶覚醒機能という）を発揮する。
【０１２１】
本発明の第１の具体的な特徴は、左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬し、該一方側の下肢とは反対側の下肢相当部位を滅却し、該一方側の下肢とは反対側の上肢相当部位を滅却し、該一方側の下肢とは反対側の胴側部相当部位以外の胴部相当部位を滅却して構成した具象的かつ明瞭な人体模型によって、本発明者の解明発見したスポーツ主要運動原理に係る情報を提示する基本構造体にある。第１の具体的な特徴を備えた本発明は、一の本発明によって基本情報も拡充情報も提示する事が出来る特長がある。
【０１２２】
本発明に係る基本構造体が、本発明者の解明発見したスポーツ主要運動原理に係る情報を提示する、人体を具象的かつ明瞭に表象した人体模型から成る構造体である点には緊要な意味がある。本発明を始域（ｓｏｕｒｃｅ）、人体（もしくは人体運動）を終域（ｔａｒｇｅｔ）とする写像の観点から考察すれば、本発明に係る写像始域たる元（要素）は、本発明手段に於けるように本発明者の解明発見したスポーツ主要運動原理に係る情報を提示する人体を具象的かつ明瞭に表象した人体模型にあって初めて、写像終域たる人体運動の元（要素）に滞りなく対応可能なのであり、そうでなければ斯かる写像対応は覚束なくなり、本発明のように発明効果を顕す事が出来ないからである。そして、第１の具体的な特徴を備えた本発明は、その特徴故に様々な機能を発揮する事となる訳であるが、この点を巡っては、確率数量的考査、あるいは力学構造的考査等を加味する事によって、より厳密に考察する事も可能である。
【０１２３】
本発明は、本発明の発明の態様（１）〜（１８）の全ての発明の態様を通じて、前記第１の具体的な特徴を備えており、本発明により、基本情報を得て活用する時は、身体制御情報現示機能、記憶強化機能、記憶覚醒機能が発揮され、拡充情報を得て活用する時は、身体制御情報現示機能、生成運動情報現示機能、記憶強化機能、記憶覚醒機能が発揮される。
【０１２４】
即ち、本発明により、基本情報を得て活用する時は、従来よりも容易にスポーツ主要運動原理に係る身体制御運動に通じ、従来よりも着実にスポーツ主要運動熟達を図る事が出来る利点があり、また、拡充情報を得て活用する時は、スポーツ主要運動原理の実証的探究に係る観点に基づきつつ、従来よりも容易にスポーツ主要運動原理に通じ、従来よりも着実にスポーツ主要運動熟達を図る事が出来る利点がある。
【０１２５】
本発明の第２の具体的な特徴は、基本構成に加えて、関節相当部位に自由度を設けて構成した拡充構造体にある。第２の具体的な特徴を備えた本発明は、一の本発明によって基本情報も拡充情報も提示する事が出来る特長がある。
【０１２６】
第２の具体的な特徴を備えた本発明により、基本情報を得て活用する時は、身体制御情報現示機能、記憶強化機能、記憶覚醒機能が発揮され、拡充情報を得て活用する時は、身体制御情報現示機能、生成運動情報現示機能、記憶強化機能、記憶覚醒機能が発揮される。
【０１２７】
即ち、第２の具体的な特徴を備えた本発明により、基本情報を得て活用する時は、従来よりも容易にスポーツ主要運動原理に係る身体制御運動に通じ、従来よりも着実にスポーツ主要運動熟達を図る事が出来る利点があり、また、拡充情報を得て活用する時は、スポーツ主要運動原理の実証的探究に係る観点に基づきつつ、従来よりも容易にスポーツ主要運動原理に通じ、従来よりも着実にスポーツ主要運動熟達を図る事が出来る利点がある。
【０１２８】
本発明の第３の具体的な特徴は、基本構成あるいは拡充構成に加えて、関節相当部位ではない部位に自由度を設けて構成した拡充構造体にある。第３の具体的な特徴を備えた本発明は、身体各部位の連携に係る情報を提示し、一の本発明によって基本情報も拡充情報も提示する事が出来る特長がある。
【０１２９】
第３の具体的な特徴を備えた本発明により、基本情報を得て活用する時は、身体制御情報現示機能、記憶強化機能、記憶覚醒機能が発揮され、拡充情報を得て活用する時は、身体制御情報現示機能、生成運動情報現示機能、記憶強化機能、記憶覚醒機能が発揮される。
【０１３０】
即ち、第３の具体的な特徴を備えた本発明により、基本情報を得て活用する時は、従来よりも容易にスポーツ主要運動原理に係る身体制御運動に通じ、従来よりも着実にスポーツ主要運動熟達を図る事が出来る利点があり、また、拡充情報を得て活用する時は、人体各部位各可動部位の在り方等の身体制御のためのさらなる観点とスポーツ主要運動原理の実証的探究に係る観点に基づきつつ、従来よりも容易にスポーツ主要運動原理に通じ、従来よりも着実にスポーツ主要運動熟達を図る事が出来る利点がある。
【０１３１】
本発明の第４の具体的な特徴は、基本構成に加えて、左右に識別した人体の一方側の大腿相当部位、左右に識別した人体の一方側とは反対側の胴側部相当部位、両肩を橋架する部位等に軸架構造を設けて構成した拡充構造体にある。第４の具体的な特徴を備えた本発明は、スポーツ主要運動原理に係る力学構造をより直截的に表現すると共に、身体各部位の連携に係る情報を提示し、一の本発明によって基本情報も拡充情報も提示する事が出来る特長がある。
【０１３２】
第４の具体的な特徴を備えた本発明により、基本情報を得て活用する時は、身体制御情報現示機能、記憶強化機能、記憶覚醒機能が発揮され、拡充情報を得て活用する時は、身体制御情報現示機能、生成運動情報現示機能、記憶強化機能、記憶覚醒機能が発揮される。
【０１３３】
即ち、第４の具体的な特徴を備えた本発明により、基本情報を得て活用する時は、従来よりも容易にスポーツ主要運動原理に係る身体制御運動に通じ、従来よりも着実にスポーツ主要運動熟達を図る事が出来る利点があり、また、拡充情報を得て活用する時は、人体各部位各可動部位の在り方等の身体制御のためのさらなる観点とスポーツ主要運動原理の実証的探究に係る観点に基づきつつ、従来よりも容易にスポーツ主要運動原理に通じ、従来よりも着実にスポーツ主要運動熟達を図る事が出来る利点がある。
【０１３４】
本発明の第５の具体的な特徴は、特定の自由度間の相対的位置関係を適正化して構成した拡充構造体にある。第５の具体的な特徴を備えた本発明を活用する時は、より効率的なもしくは能率的な身体制御の在り方を理解学習する事が出来る特長がある。
【０１３５】
第５の具体的な特徴を備えた本発明により、基本情報を得て活用する時は、身体制御情報現示機能、記憶強化機能、記憶覚醒機能が発揮され、拡充情報を得て活用する時は、身体制御情報現示機能、生成運動情報現示機能、記憶強化機能、記憶覚醒機能が発揮される。
【０１３６】
即ち、第５の具体的な特徴を備えた本発明により、基本情報を得て活用する時は、従来よりも容易にスポーツ主要運動原理に係る身体制御運動に通じ、従来よりも着実にスポーツ主要運動熟達を図る事が出来る利点があり、また、拡充情報を得て活用する時は、より効率的なもしくは能率的な身体制御の在り方を理解学習する事が出来る特長があり、従来よりも容易にスポーツ主要運動原理に通じ、従来よりも着実にスポーツ主要運動熟達を図る事が出来る利点がある。
【０１３７】
本発明の第６の具体的な特徴は、特定スポーツ種のスポーツ主要運動型に定型化した拡充構造体にある。第６の具体的な特徴を備えた本発明を活用する時は、特定スポーツ種に係るスポーツ主要運動原理を集約的に理解学習する事が出来る特長がある。
【０１３８】
第６の具体的な特徴を備えた本発明により、基本情報を得て活用する時は、身体制御情報現示機能、記憶強化機能、記憶覚醒機能が発揮され、拡充情報を得て活用する時は、身体制御情報現示機能、生成運動情報現示機能、記憶強化機能、記憶覚醒機能が発揮される。
【０１３９】
即ち、第６の具体的な特徴を備えた本発明により、基本情報や拡充情報を得て活用する時は、特定スポーツ種に係るスポーツ主要運動原理を集約的に学習する事が出来る特長があり、従来よりも容易にスポーツ主要運動原理あるいはスポーツ主要運動原理運動に通じ、従来よりも着実にスポーツ主要運動熟達を図る事が出来る利点がある。
【０１４０】
なお、本発明は、特定スポーツ種のスポーツ主要運動型に定型化した基本構造体の本発明を構成する事も可能であり、特定スポーツ種のスポーツ主要運動型に定型化した基本構造体の本発明により、基本情報を得て活用する時は、身体制御情報現示機能、記憶強化機能、記憶覚醒機能が発揮され、拡充情報を得て活用する時は、身体制御情報現示機能、生成運動情報現示機能、記憶強化機能、記憶覚醒機能が発揮される。即ち、特定スポーツ種のスポーツ主要運動型に定型化した基本構造体の本発明により、基本情報や拡充情報を得て活用する時は、特定スポーツ種に係るスポーツ主要運動原理を集約的に理解学習する事が出来る特長があり、従来よりも容易にスポーツ主要運動原理あるいはスポーツ主要運動原理運動に通じ、従来よりも着実にスポーツ主要運動熟達を図る事が出来る利点がある。
【０１４１】
本発明には様々な具体的活用方法とそれによる効果があるが、本発明の代表的な具体的活用方法例として、スポーツ運動指導機関等に於いて本発明をスポーツ主要運動原理の指導手段、説明手段、教材等として活用する状況が考えられる。
【０１４２】
スポーツ運動指導機関等に於いて、指導者がスポーツ主要運動原理を表現する際に最大の障壁となるのは譏謔にも指導者自身の身体である。なぜなら、スポーツ主要運動原理を表現する際、左下肢に発して構築されるスポーツ運動原理構造体から見れば右下肢に発して構築されるスポーツ運動原理構造体の部分がこれを妨げ、右下肢に発して構築されるスポーツ運動原理構造体から見れば左下肢に発して構築されるスポーツ運動原理構造体の部分がこれを妨げるからである。本発明は本発明に固有の構造体によってスポーツ主要運動原理の表現に纏る上記問題点を解消したものである。
【０１４３】
スポーツ運動指導機関等に於いて本発明が活用されれば、指導者にとっても学習者にとっても有益である。本発明の基本情報による時は、本発明の身体制御情報現示機能が発揮される。これにより、指導者にとっては従来の手段による時よりもスポーツ主要運動原理運動に係る身体制御方法の表現の困難さ、煩わしさから開放され、誤解を生じる余地を排してスポーツ主要運動原理に係る身体制御方法を学習者に伝授出来、学習者にとっては従来の手段による時よりも明確で理解し易く、かつ、紛れる余地の少ない身体制御運動に係る情報を取得出来る事になる。なお、その際、生成運動に係る適正な付加情報が付与されれば、学習者は身体制御情報と付加情報とにより生成運動情報を取得する事も可能である。また、本発明の拡充情報による時は、本発明の身体制御情報現示機能に加えて、生成運動情報現示機能が発揮される。これにより、本発明の基本情報による時と同様の効果があると共に、人体各部位各可動部位の在り方等の身体制御のためのさらなる観点やスポーツ主要運動原理運動を実証的に探究するための観点に係る情報が提供され、指導機関等のカリキュラム内容を充実させ、学習者のスポーツ主要運動原理への深い通暁を支援する事が出来る。
【０１４４】
また、スポーツ運動指導機関等にあって、伝授した指導内容が学習者に於いて確と記憶され確と応用される事は大事であるが、学習者は学習内容を如意には記憶貯蔵しないものである。この点についていかに学習者の記憶を強めるかは指導者の力量の問題となるが、負い得る責務に自ずと限度がある。この問題に対し本発明を活用すれば、本発明はスポーツ主要運動原理に係る記憶強化機能を発揮し、指導者にとっても従来よりも少ない負担の下に、学習者にとっても従来よりも少ない負担の下に、高い充足度を以って学習者にスポーツ主要運動原理に係る記憶を定着せしめる事が可能になる。
【０１４５】
また、スポーツ運動指導機関等にあって、伝授した指導内容が学習者に於いて確と記憶され確と応用される事は大事であるが、学習者は学習内容を随意には記憶想起しないものである。この点についていかに学習者の記憶を蘇らせるかは指導者の力量の問題となるが、負い得る責務に自ずと限度がある。この問題に対し本発明を活用すれば、本発明はスポーツ主要運動原理に係る記憶覚醒機能を発揮し、指導者にとっても従来よりも少ない負担の下に、学習者にとっても従来よりも少ない負担の下に、高い充足度を以って学習者にスポーツ主要運動原理に係る記憶を覚醒せしめる事が可能になる。
【０１４６】
その他スポーツ運動指導機関等に於いて基本構造体の本発明を活用する場合は、堅牢堅固な構成として耐久性を確保し易い基本構造体の本発明の特長によって、スポーツ運動指導機関等での実務用途によく耐え、経営経済上の利益を確保出来る利点がある。また、スポーツ運動指導機関等に於いて基本構造体の本発明を活用する場合は、相形を変えない基本構造体の本発明の特長によって、スポーツ運動指導機関等で学ぶ学習者に均一平等の情報を提供して、スポーツ運動指導機関等のカリキュラムの統一性を確保出来る利点がある。
【０１４７】
また、本発明の具体的活用方法例として、学習者が自ら主体的にスポーツ運動を学習する際の支援手段として本発明を活用する状況が考えられる。
【０１４８】
スポーツ運動の学習者には、通常、
・スポーツ主要運動原理を理解出来ない
・スポーツ主要運動原理を一時理解出来てもこれを如意には記憶出来ない
・スポーツ主要運動原理を記憶出来てもこれを随意には覚醒して実践的に応用出来ない
という幾重もの艱難が待ち受けるが、本発明はスポーツ主要運動原理に係る身体制御情報現示機能、生成運動情報現示機能、記憶強化機能、記憶覚醒機能を備えており、本発明による時は、自ら主体的にスポーツ運動を学習する学習者の上記問題点に対応し、学習者を多面的に支援する事が可能である。
【０１４９】
本発明は、スポーツ主要運動原理を理解出来ない事に悩む学習者に対しては、本発明の身体制御情報現示機能を発揮する。即ち、本発明は、基本情報による時は、スポーツ主要運動原理に係る身体制御情報を提供して、スポーツ主要運動原理運動への習熟を支援する。その際、学習者が初級レベルであれば、初歩の段階からスポーツ主要運動の本質を踏み外す事なく把握せしめて学習の進捗を図る事が出来る。また学習者が中上級レベルであれば、それぞれのレベルに応じてスポーツ主要運動の本質を過つ事なく再認識せしめ、さらなるステージへと学習の進捗を図る事が出来る。なお、その際、学習者自らが為す運動により、あるいは様々な他の情報等により、生成運動に係る適正な付加情報を得る時は、学習者は身体制御情報と付加情報とにより生成運動情報を取得する事も可能である。また、本発明は、拡充情報による時は、身体制御情報現示機能に加えて、生成運動情報現示機能を発揮する。即ち、基本情報による時と同様の効果があると共に、人体各部位各可動部位の在り方等の身体制御のためのさらなる観点やスポーツ主要運動原理運動を実証的に探究するための観点に係る情報が提供され、学習者のスポーツ主要運動原理への深い通暁を支援する事が出来る。
【０１５０】
また、本発明は、スポーツ主要運動原理を如意には記憶出来ない事に悩む学習者に対しては、スポーツ主要運動原理に係る記憶強化機能を発揮してスポーツ主要運動原理の記憶強化作用を支援する事が出来る。人は強い印象がある事柄ほどよく記憶するものであるが、本発明は他の手段にない視覚形態的特長を備えており、本発明を目にする者に強い印象を刻み、学習者のスポーツ主要運動原理に係る記憶の強化を図る事が可能である。
【０１５１】
また、本発明は、スポーツ主要運動原理を随意には覚醒して実践的に応用出来ない事に悩む学習者に対しては、スポーツ主要運動原理に係る記憶覚醒機能を発揮してスポーツ主要運動原理の記憶覚醒作用を支援する事が出来る。人は想起の契機や事由に富む記憶ほどよく思い出すものであるが、本発明は他の手段にない視覚形態的特長を備えており、これにより脳生理作用を促して学習者のスポーツ主要運動原理に対する記憶覚醒作用を鼓吹し、学習者のスポーツ主要運動原理に係る記憶の覚醒を促進する事が可能である。
【０１５２】
本発明は結果的生成運動たる回転運動（慣性運動、偏心運動）の回転方向を示す指標装置を施装した構成としてもよく、回転方向を示す指標装置は着脱自在の構造としてもよい。その形状、材質は本発明の機能を満たすものであればよい。本発明を身体制御の結果生成される回転運動（慣性運動、偏心運動）の回転方向を示す指標装置を施装した構成とする時は、学習者の利便性を高める利点がある。
【０１５３】
本発明は人体の頭部相当部位を表現する部材を施装した構成としてもよく、人体の頭部相当部位を表現する部材は着脱自在の構造としてもよい。その形状は板状や球状、多面体状等の人体の頭部を擬した形状であればよく、本発明の機能を満たす他の形状としてもよい。材質は本発明の機能を満たすものであればよい。本発明を人体の頭部相当部位を表現する部材を施装した構成とする時は、より具体的な身体運動の在り方を提示出来る利点がある。
【０１５４】
本発明は構成部材に識別を目的とした色彩を施装してもよく、また識別を目的とした一定の触感を付与してもよい。本発明構成部材に識別を目的とした色彩を施装する時、また識別を目的とした一定の触感を付与する時は、利便性を高める利点がある。
【０１５５】
本発明は部材を一部差し替えて使用出来る構成としてもよい。本発明を部材を一部差し替えて使用出来る構成とする時は、より多彩な表現や多様な表現が可能になる利点がある。
【０１５６】
本発明は一部分を抜粋して使用出来る構成としてもよい。本発明を一部分を抜粋して使用出来る構成とする時は、運動をより分析的にまた集中的に考察出来る利点がある。
【０１５７】
本発明は可動部に於ける自由度を変更可能な構成としてもよい。本発明を可動部に於ける自由度を変更可能な構成とする時は、多様な機能を実現する利点がある。
【０１５８】
本発明は可動構造や自由度機構を増設して構成してもよい。本発明を可動構造や自由度機構を増設して構成する時は、より複雑な機能を実現出来る利点がある。
【０１５９】
本発明の各部材は一定範囲で形状やサイズを変更出来る構成としてもよい。本発明の各部材が一定範囲で形状やサイズを変更出来る構成とする時は、より精細な表現や多彩な表現を可能にする利点がある。
【０１６０】
本発明は可動部に於ける自由度を停止する機構を備えてもよい。本発明が可動部に於ける自由度を停止する機構を備える時は、形態形整や形態保持を容易にする利点がある。
【０１６１】
本発明は一の本発明を左下肢に発する本発明の構成にする事も右下肢に発する本発明の構成にする事も可能な組み換え自在の構造としてもよい。本発明を一の本発明を左下肢に発する本発明の構成にする事も右下肢に発する本発明の構成にする事も可能な組み換え自在の構造とする時は、利便性を拡張する利点がある。
【０１６２】
本発明は左下肢に発する本発明の構成体と右下肢に発する本発明の構成体とを一対として備え活用してもよい。本発明を左下肢に発する本発明の構成体と右下肢に発する本発明の構成体とを一対として備え活用する時は、より高度で複雑なスポーツ主要運動原理に係る表現を可能にする利点がある。
【０１６３】
本発明には補助的支持具や支持装置また支持台等を設備してもよい。本発明に補助的支持具や支持装置また支持台等を設備する時は、本発明の活用や保存を確実にする事が出来る利点がある。
【０１６４】
本発明は専ら一のスポーツ運動の特定運動を表現する構成としてもよい。本発明を専ら一のスポーツ運動の特定運動を表現する構成とする時は、特定の運動を集約的に学習出来る利点がある。
【０１６５】
本発明はスポーツ用具の模型を保持出来る構造とし、スポーツ用具の模型を保持した構成としてもよい。本発明をスポーツ用具の模型を保持出来る構造とし、スポーツ用具の模型を保持した構成とする時は、スポーツ用具を保持した状態のスポーツ運動の運動原理表現を可能にする利点がある。
【０１６６】
本発明に不必要な要素（例えば、不必要な機能、趣意、思想、装飾等）を含有させ、本発明に係る概念以外の概念を化体し混入すれば本発明の趣旨を害する懼れが生ずるから、本発明の実現に際しては、本発明に不必要な要素を含有させたり、本発明に係る概念以外の概念を化体し混入したりする事は厳に戒むべきであり、本発明に係る概念を損じないよう、あるいは本発明に係る概念を翳ましめないよう、細心の留意を為して明確な人体模型たる本発明を構成する事が望ましい。そして、本発明は、上記懸念のない条件下であれば、他の手段や他の機構と併合して活用してもよい。本発明を、上記懸念のない条件下に他の手段や他の機構と併合して活用する時は、より多様で複雑な機能を実現出来る利点がある。
【０１６７】
以下本発明の実施例を説明するが、下記の実施例は一例であり、本発明の範囲を限定するものではない。
【実施例１】
【０１６８】
発明の態様（１）に係る本発明の実施例について図１に基づいて説明する。
発明の態様（１）に係る本発明の実施例は、
左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬し、
該一方側の下肢とは反対側の下肢相当部位を滅却し、
該一方側の下肢とは反対側の上肢相当部位を滅却し、
該一方側の下肢とは反対側の胴側部相当部位以外の胴部相当部位を滅却した構成と成した構成体を、
該一方側の下肢の足部位を表現する部材１、
該一方側の下肢の下腿部位を表現する部材２、
該一方側の下肢の大腿部位を表現する部材３、
骨盤部位を表現する部材４、
該一方側の下肢とは反対側の胴側部部位を表現する部材５、
両肩を橋架する部位及び両肩部位を表現する部材６、
該一方側の下肢とは同側の上腕部位を表現する部材７、
該一方側の下肢とは同側の前腕部位を表現する部材８、
該一方側の下肢とは同側の手部位を表現する部材９、
該一方側の下肢の足部位を表現する部材１と該一方側の下肢の下腿部位を表現する部材２とを連結する第一の連結機構１０、
該一方側の下肢の下腿部位を表現する部材２と該一方側の下肢の大腿部位を表現する部材３とを連結する第二の連結機構１１、
該一方側の下肢の大腿部位を表現する部材３と該骨盤部位を表現する部材４とを連結する第三の連結機構１２、
該骨盤部位を表現する部材４と該一方側の下肢とは反対側の胴側部部位を表現する部材５とを連結する第四の連結機構１３、
該一方側の下肢とは反対側の該胴側部部位を表現する部材５と該両肩を橋架する部位及び両肩部位を表現する部材６とを連結する第五の連結機構１４、
該両肩を橋架する部位及び両肩部位を表現する部材６と該一方側の下肢とは同側の上腕部位を表現する部材７とを連結する第六の連結機構１５、
該一方側の下肢とは同側の上腕部位を表現する部材７と該一方側の下肢とは同側の前腕部位を表現する部材８とを連結する第七の連結機構１６、
該一方側の下肢とは同側の前腕部位を表現する部材８と該一方側の下肢とは同側の手部位を表現する部材９とを連結する第八の連結機構１７より形成し、
上記該第一の連結機構１０〜該第八の連結機構１７の８つの連結機構は、各連結機構とも、各連結機構の連結に係る２つの部材同士を固結する連結機構であるか、または、各連結機構の連結に係る２つの部材同士を、該２つの部材同士の連結に係る連結機構廻りに、該２つの部材の一方を他方に対し３自由度もしくは２自由度もしくは１自由度の回転運動たる回動自在に成して連結する連結機構であり、即ち、具体的には、
該第一の連結機構１０は、
該一方側の下肢の足部位を表現する部材１と該一方側の下肢の下腿部位を表現する部材２とを固結する連結機構であるか、
または、該第一の連結機構１０廻りに該一方側の下肢の足部位を表現する部材１と該一方側の下肢の下腿部位を表現する部材２の一方を他方に対し３自由度もしくは２自由度もしくは１自由度の回転運動たる回動自在に成して連結する連結機構であり、
該第二の連結機構１１は、
該一方側の下肢の下腿部位を表現する部材２と該一方側の下肢の大腿部位を表現する部材３とを固結する連結機構であるか、
または、該第二の連結機構１１廻りに該一方側の下肢の下腿部位を表現する部材２と該一方側の下肢の大腿部位を表現する部材３の一方を他方に対し３自由度もしくは２自由度もしくは１自由度の回転運動たる回動自在に成して連結する連結機構であり、
該第三の連結機構１２は、
該一方側の下肢の大腿部位を表現する部材３と該骨盤部位を表現する部材４とを固結する連結機構であるか、
または、該第三の連結機構１２廻りに該一方側の下肢の大腿部位を表現する部材３と該骨盤部位を表現する部材４を表現する部材の一方を他方に対し３自由度もしくは２自由度もしくは１自由度の回転運動たる回動自在に成して連結する連結機構であり、
該第四の連結機構１３は、
該骨盤部位を表現する部材４と該一方側の下肢とは反対側の胴側部部位を表現する部材５とを固結する連結機構であるか、
または、該第四の連結機構１３廻りに該骨盤部位を表現する部材４と該一方側の下肢とは反対側の胴側部部位を表現する部材５の一方を他方に対し３自由度もしくは２自由度もしくは１自由度の回転運動たる回動自在に成して連結する連結機構であり、
該第五の連結機構１４は、
該一方側の下肢とは反対側の胴側部部位を表現する部材５と該両肩を橋架する部位及び両肩部位を表現する部材６とを固結する連結機構であるか、
または、該第五の連結機構１４廻りに該一方側の下肢とは反対側の胴側部部位を表現する部材５と該両肩を橋架する部位及び両肩部位を表現する部材６の一方を他方に対し３自由度もしくは２自由度もしくは１自由度の回転運動たる回動自在に成して連結する連結機構であり、
該第六の連結機構１５は、
該両肩を橋架する部位及び両肩部位を表現する部材６と該一方側の下肢とは同側の上腕部位を表現する部材７とを固結する連結機構であるか、
または、該第六の連結機構１５廻りに該両肩を橋架する部位及び両肩部位を表現する部材６と該一方側の下肢とは同側の上腕部位を表現する部材７の一方を他方に対し３自由度もしくは２自由度もしくは１自由度の回転運動たる回動自在に成して連結する連結機構であり、
該第七の連結機構１６は、
該一方側の下肢とは同側の上腕部位を表現する部材７と該一方側の下肢とは同側の前腕部位を表現する部材８とを固結する連結機構であるか、
または、該第七の連結機構１６廻りに該一方側の下肢とは同側の上腕部位を表現する部材７と該一方側の下肢とは同側の前腕部位を表現する部材８の一方を他方に対し３自由度もしくは２自由度もしくは１自由度の回転運動たる回動自在に成して連結する連結機構であり、
該第八の連結機構１７は、
該一方側の下肢とは同側の前腕部位を表現する部材８と該一方側の下肢とは同側の手部位を表現する部材９とを固結する連結機構であるか、
または、該第八の連結機構１７廻りに該一方側の下肢とは同側の前腕部位を表現する部材８と該一方側の下肢とは同側の手部位を表現する部材９の一方を他方に対し３自由度もしくは２自由度もしくは１自由度の回転運動たる回動自在に成して連結する連結機構であり、
前記人体部位の連なりを擬した構成体の、該一方側の下肢とは反対側の股関節相当部分と該一方側の下肢とは反対側の肩関節相当部分とを結ぶ線分からの、該線分の垂直方向の、該一方側の下肢とは反対側の胴側部部位を表現する部材の中心線上の一点の最大乖離距離が、該線分の長さの２５％以下であり、
前記人体部位の連なりを擬した構成体の人体の左右相当方向の肩幅相当寸法が、前記人体部位の連なりを擬した構成体の人体の左右相当方向の腰幅相当寸法よりも大きい人体模型であることを特徴とするスポーツ力学構造モデルであり、具象的かつ明瞭に人体を表象する構成によって人の運動に係る旨を提示し、スポーツ主要運動原理に係る基本情報や拡充情報を提示する事が可能である特長がある。
【０１６９】
人体各部位を表現する部材１〜９の形状は中実の柱状や棒状、中空の筒状や管状等としてもよく、本発明の機能を満たす他の形状としてもよいが、本発明が具象的で明瞭な人体模型を構成する事に整合する形状とする事が好ましい。
【０１７０】
３自由度の回転運動たる回動運動を可能とする連結機構は球面関節構造によってもよく、１自由度回転運動可能な構造を３つ組み合わせた構成としてもよく、本発明の機能を満たす他の構成によってもよい。
【０１７１】
２自由度の回転運動たる回動運動を可能とする連結機構は１自由度回転運動可能な構造を２つ組み合わせた構成としてもよく、本発明の機能を満たす他の構成によってもよい。
【０１７２】
１自由度の回転運動たる回動運動を可能とする連結機構は枢結構造による構成としてもよく、本発明の機能を満たす他の構成によってもよい。
【０１７３】
連結機構で部材を固結する場合の固結の手段としては螺合、螺着、嵌合、鋲着、融着、接着等のいずれの手段によってもよく、本発明の機能を満たす他の手段によってもよい。また、各連結機構の構成に係る形状は、本発明の機能を満たす形状であればよい。
【０１７４】
各部材１〜９、各連結機構１０〜１７に係る部材は、金属、プラスチック等の一定の剛性を備えた素材で形成するが、本発明の機能を満たす特性を備えた他の素材で形成してもよい。
【０１７５】
なお、極力不必要な要素を混入させないよう留意を払い、不必要な機能、趣意、思想、装飾、その他冗長性等を排し、本発明概念を明示した明確な人体模型とする事が望ましい。
【実施例２】
【０１７６】
次に、発明の態様（２）に係る本発明の実施例について図２に基づいて説明する。
発明の態様（２）に係る本発明の実施例は、
発明の態様（１）に係る本発明に、
前記該大腿部位を表現する部材を短手方向に於いて分断し、該分断した大腿部位を表現する部材の一方と他方の相互の位置関係、また前記該大腿部位を表現する部材以外の部材との位置関係を分断する以前の状態に保ちながら該分断した大腿部位を表現する部材の一方と他方とを各々の分断面を対峙させて枢結し、該分断した大腿部位を表現する部材の一方が他方に対し該大腿部位を表現する部材の長手方向中心線廻りに１自由度回転運動たる回動自在に枢結したるところの第一の枢結機構１８、
前記該胴側部部位を表現する部材を短手方向に於いて分断し、該分断した胴側部部位を表現する部材の一方と他方の相互の位置関係、また前記該胴側部部位を表現する部材以外の部材との位置関係を分断する以前の状態に保ちながら該分断した胴側部部位を表現する部材の一方と他方とを各々の分断面を対峙させて枢結し、該分断した胴側部部位を表現する部材の一方が他方に対し該胴側部部位を表現する部材の長手方向中心線廻りに１自由度回転運動たる回動自在に枢結したるところの第二の枢結機構１９、
前記該両肩を橋架する部位及び両肩部位を表現する部材を短手方向に於いて分断し、該分断した両肩を橋架する部位及び両肩部位を表現する部材の一方と他方の相互の位置関係、また前記該両肩を橋架する部位及び両肩部位を表現する部材以外の部材との位置関係を分断する以前の状態に保ちながら該分断した両肩を橋架する部位及び両肩部位を表現する部材の一方と他方とを各々の分断面を対峙させて枢結し、該分断した両肩を橋架する部位及び両肩部位を表現する部材の一方が他方に対し該両肩を橋架する部位及び両肩部位を表現する部材の長手方向中心線廻りに１自由度回転運動たる回動自在に枢結したるところの第三の枢結機構２０
の第一の枢結機構１８、第二の枢結機構１９、第三の枢結機構２０の３つの枢結機構のうち少なくとも１つ以上の枢結機構を具備して形成した人体模型であることを特徴とするスポーツ力学構造モデルであり、具象的かつ明瞭に人体を表象する構成によって人の運動に係る旨を提示し、身体制御に供するさらなる観点とスポーツ主要運動原理運動の実証的探究に係る観点を提示すると共に、基本情報や拡充情報を提示する事が可能である特長がある。
【０１７７】
第一の枢結機構１８、第二の枢結機構１９、第三の枢結機構２０の各枢結機構は、各分断し枢結する一方部材の一部が他方部材の一部に摺動可能な状態に於いて該一方部材の一部と該他方部材の一部とを緩嵌合する構造とする事により１自由度回転運動たる回動自在の機能を実現する構成としてもよく、あるいは、該分断した一方部材と他方部材とを枢軸を介して枢結する構造とする事により１自由度回転運動たる回動自在の機能を実現する構成としてもよいが、本発明の機能を満たす他の構成としてもよい。各枢結機構の構成に係る形状は、本発明の機能を満たす形状であればよい。また、各枢結機構の構成に係る部材は金属、プラスチック等の一定の剛性を備えた素材で形成するが、本発明の機能を満たす特性を備えた他の素材で形成してもよい。
【０１７８】
その他、各部の構成や形状、素材等に関しては、実施例１の本発明に準ずるものとする。
【０１７９】
なお、図２は、第一の枢結機構１８、第二の枢結機構１９、第三の枢結機構２０を具備して形成した本発明の実施例を示すものである。
【実施例３】
【０１８０】
次に、発明の態様（３）に係る本発明の実施例について図３に基づいて説明する。
発明の態様（３）に係る本発明の実施例は、
左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬し、
該一方側の下肢とは反対側の下肢相当部位を滅却し、
該一方側の下肢とは反対側の上肢相当部位を滅却し、
該一方側の下肢とは反対側の胴側部相当部位以外の胴部相当部位を滅却した構成と成した構成体を、
該一方側の下肢の足部位を表現する部材、
該一方側の下肢の下腿部位を表現する部材、
該一方側の下肢の大腿部位を表現する部材、
骨盤部位を表現する部材、
該一方側の下肢とは反対側の胴側部部位を表現する部材、
両肩を橋架する部位及び両肩部位を表現する部材、
該一方側の下肢とは同側の上腕部位を表現する部材、
該一方側の下肢とは同側の前腕部位を表現する部材、
該一方側の下肢とは同側の手部位を表現する部材より、
該一方側の下肢の足部位を表現する部材と該一方側の下肢の下腿部位を表現する部材とを結合し、
該一方側の下肢の下腿部位を表現する部材と該一方側の下肢の大腿部位を表現する部材とを結合し、
該一方側の下肢の大腿部位を表現する部材と該骨盤部位を表現する部材とを結合し、
該骨盤部位を表現する部材と該一方側の下肢とは反対側の胴側部部位を表現する部材とを結合し、
該一方側の下肢とは反対側の胴側部部位を表現する部材と該両肩を橋架する部位及び両肩部位を表現する部材とを結合し、
該両肩を橋架する部位及び両肩部位を表現する部材と該一方側の下肢とは同側の上腕部位を表現する部材とを結合し、
該大腿部位を表現する部材を短手方向に於いて分断し、該分断した大腿部位を表現する部材の一方と他方の相互の位置関係、また該大腿部位を表現する部材以外の部材との位置関係を分断する以前の状態に保ちながら該分断した大腿部位を表現する部材の一方と他方とを各々の分断面を対峙させて枢結し、該分断した大腿部位を表現する部材の一方が他方に対し該大腿部位を表現する部材の長手方向中心線廻りに１自由度回転運動たる回動自在に枢結したるところの第一の枢結機構２１、
該胴側部部位を表現する部材を短手方向に於いて分断し、該分断した胴側部部位を表現する部材の一方と他方の相互の位置関係、また該胴側部部位を表現する部材以外の部材との位置関係を分断する以前の状態に保ちながら該分断した胴側部部位を表現する部材の一方と他方とを各々の分断面を対峙させて枢結し、該分断した胴側部部位を表現する部材の一方が他方に対し該胴側部部位を表現する部材の長手方向中心線廻りに１自由度回転運動たる回動自在に枢結したるところの第二の枢結機構２２、
該両肩を橋架する部位及び両肩部位を表現する部材を短手方向に於いて分断し、該分断した両肩を橋架する部位及び両肩部位を表現する部材の一方と他方の相互の位置関係、また該両肩を橋架する部位及び両肩部位を表現する部材以外の部材との位置関係を分断する以前の状態に保ちながら該分断した両肩を橋架する部位及び両肩部位を表現する部材の一方と他方とを各々の分断面を対峙させて枢結し、該分断した両肩を橋架する部位及び両肩部位を表現する部材の一方が他方に対し該両肩を橋架する部位及び両肩部位を表現する部材の長手方向中心線廻りに１自由度回転運動たる回動自在に枢結したるところの第三の枢結機構２３、
該上腕部位を表現する部材と該前腕部位を表現する部材とを肘関節相当部位に於いて該肘関節相当部位廻りに該上腕部位を表現する部材と該前腕部位を表現する部材の一方が他方に対し１自由度回転運動たる回動自在に枢結したるところの第四の枢結機構２４、
該前腕部位を表現する部材と該手部位を表現する部材とを前腕と手を連結する手関節相当部位に於いて該前腕と手を連結する手関節相当部位廻りに該前腕部位を表現する部材と該手部位を表現する部材の一方が他方に対し１自由度回転運動たる回動自在に枢結したるところの第五の枢結機構２５を具備して形成し、
前記人体部位の連なりを擬した構成体の、該一方側の下肢とは反対側の股関節相当部分と該一方側の下肢とは反対側の肩関節相当部分とを結ぶ線分からの、該線分の垂直方向の、該一方側の下肢とは反対側の胴側部部位を表現する部材の中心線上の一点の最大乖離距離が、該線分の長さの２５％以下であり、
前記人体部位の連なりを擬した構成体の人体の左右相当方向の肩幅相当寸法が、前記人体部位の連なりを擬した構成体の人体の左右相当方向の腰幅相当寸法よりも大きい人体模型であることを特徴とするスポーツ力学構造モデルであり、具象的かつ明瞭に人体を表象する構成によって人の運動に係る旨を提示し、身体制御に供するさらなる観点とスポーツ主要運動原理運動の実証的探究に係る観点を提示すると共に、基本情報や拡充情報を提示する事が可能である特長がある。
【０１８１】
人体各部位を表現する部材の形状は中実の柱状や棒状、中空の筒状や管状等としてもよく、本発明の機能を満たす他の形状としてもよいが、本発明が具象的で明瞭な人体模型を構成する事に整合する形状とする事が好ましい。
【０１８２】
また、各部材の結合は、各部材を結合した痕跡の残る成型手段によってもよく、各部材を結合した痕跡の残らない成型手段によってもよい。即ち具体的には螺合、螺着、嵌合、鋲着、融着、接着等の手段によってもよく一体成型的手段によってもよく、本発明の機能を満たす他の手段によってもよいが、本発明が具象的で明瞭な人体模型を構成する事に整合する結合手段による事が好ましい。
【０１８３】
第一の枢結機構２１、第二の枢結機構２２、第三の枢結機構２３、第四の枢結機構２４、第五の枢結機構２５の各枢結機構は、各枢結機構に於いて枢結する一方部材の一部が他方部材の一部に摺動可能な状態に於いて該一方部材の一部と該他方部材の一部とを緩嵌合する構造とする事により１自由度回転運動たる回動自在の機能を実現する構成としてもよく、あるいは、枢軸を介して該一方部材と該他方部材とを枢結する構造とする事により１自由度回転運動たる回動自在の機能を実現する構成としてもよいが、本発明の機能を満たす他の構成としてもよい。各枢結機構の構成に係る形状は、本発明の機能を満たす形状であればよい。
【０１８４】
各部材とそれらの構成に係る部材、各枢結機構の構成に係る部材等は金属、プラスチック等の一定の剛性を備えた素材で形成するが、本発明の機能を満たす特性を備えた他の素材で形成してもよい。
【０１８５】
なお、極力不必要な要素を混入させないよう留意を払い、不必要な機能、趣意、思想、装飾、その他冗長性等を排し、本発明概念を明示した明確な人体模型とする事が望ましい。
【実施例４】
【０１８６】
次に、発明の態様（４）に係る本発明の実施例について図４に基づいて説明する。
発明の態様（４）に係る本発明の実施例は、
発明の態様（３）に係る本発明を、前記該第三の枢結機構の回転中心線Ａ−Ａ、前記該第四の枢結機構の回転中心線Ｂ−Ｂ、前記該前記該第五の枢結機構の回転中心線Ｃ−Ｃの３つの回転中心線のうち少なくとも２つ以上の回転中心線を平行の位置関係に構成して形成した人体模型であることを特徴とするスポーツ力学構造モデルであり、発明の態様（３）の本発明に準じた特長があると共に、より効率的なもしくは能率的な身体制御の在り方に関する情報を提供する事が可能である特長がある。
【０１８７】
その他、各部の構成や形状、素材等に関しては、実施例３の本発明に準ずるものとする。
【０１８８】
なお、図４は、前記該第三の枢結機構の回転中心線Ａ−Ａ、前記該第四の枢結機構の回転中心線Ｂ−Ｂ、前記該第五の枢結機構の回転中心線Ｃ−Ｃを全て平行の位置関係にして形成した本発明の実施例を示すものである。
【実施例５】
【０１８９】
次に、発明の態様（５）に係る本発明の実施例について図５に基づいて説明する。
発明の態様（５）に係る本発明の実施例は、
左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬し、
該一方側の下肢とは反対側の下肢相当部位を滅却し、
該一方側の下肢とは反対側の上肢相当部位を滅却し、
該一方側の下肢とは反対側の胴側部相当部位以外の胴部相当部位を滅却した構成と成した構成体を、
該一方側の下肢の足部位を表現する部材、
該一方側の下肢の下腿部位を表現する部材、
該一方側の下肢の大腿部位を表現する部材、
骨盤部位を表現する部材、
該一方側の下肢とは反対側の胴側部部位を表現する部材、
両肩を橋架する部位及び両肩部位を表現する部材、
該一方側の下肢とは同側の上腕部位を表現する部材、
該一方側の下肢とは同側の前腕部位を表現する部材、
該一方側の下肢とは同側の手部位を表現する部材より、
該一方側の下肢の足部位を表現する部材と該一方側の下肢の下腿部位を表現する部材とを結合し、
該一方側の下肢の下腿部位を表現する部材と該一方側の下肢の大腿部位を表現する部材とを結合し、
該一方側の下肢の大腿部位を表現する部材と該骨盤部位を表現する部材とを結合し、
該骨盤部位を表現する部材と該一方側の下肢とは反対側の胴側部部位を表現する部材とを結合し、
該一方側の下肢とは反対側の胴側部部位を表現する部材と該両肩を橋架する部位及び両肩部位を表現する部材とを結合し、
該両肩を橋架する部位及び両肩部位を表現する部材と該一方側の下肢とは同側の上腕部位を表現する部材とを結合し、
該一方側の下肢とは同側の上腕部位を表現する部材の長手方向中心線と該一方側の下肢とは同側の前腕部位を表現する部材の長手方向中心線とが同一直線となる状態に於いて該一方側の下肢とは同側の上腕部位を表現する部材と該一方側の下肢とは同側の前腕部位を表現する部材とを結合し、
該大腿部位を表現する部材を短手方向に於いて分断し、該分断した大腿部位を表現する部材の一方と他方の相互の位置関係、また該大腿部位を表現する部材以外の部材との位置関係を分断する以前の状態に保ちながら該分断した大腿部位を表現する部材の一方と他方とを各々の分断面を対峙させて枢結し、該分断した大腿部位を表現する部材の一方が他方に対し該大腿部位を表現する部材の長手方向中心線廻りに１自由度回転運動たる回動自在に枢結したるところの第一の枢結機構２６、
該胴側部部位を表現する部材を短手方向に於いて分断し、該分断した胴側部部位を表現する部材の一方と他方の相互の位置関係、また該胴側部部位を表現する部材以外の部材との位置関係を分断する以前の状態に保ちながら該分断した胴側部部位を表現する部材の一方と他方とを各々の分断面を対峙させて枢結し、該分断した胴側部部位を表現する部材の一方が他方に対し該胴側部部位を表現する部材の長手方向中心線廻りに１自由度回転運動たる回動自在に枢結したるところの第二の枢結機構２７、
該両肩を橋架する部位及び両肩部位を表現する部材を短手方向に於いて分断し、該分断した両肩を橋架する部位及び両肩部位を表現する部材の一方と他方の相互の位置関係、また該両肩を橋架する部位及び両肩部位を表現する部材以外の部材との位置関係を分断する以前の状態に保ちながら該分断した両肩を橋架する部位及び両肩部位を表現する部材の一方と他方とを各々の分断面を対峙させて枢結し、該分断した両肩を橋架する部位及び両肩部位を表現する部材の一方が他方に対し該両肩を橋架する部位及び両肩部位を表現する部材の長手方向中心線廻りに１自由度回転運動たる回動自在に枢結したるところの第三の枢結機構２８、
該前腕部位を表現する部材と該手部位を表現する部材とを前腕と手を連結する手関節相当部位に於いて該前腕と手を連結する手関節相当部位廻りに該前腕部位を表現する部材と該手部位を表現する部材の一方が他方に対し１自由度回転運動たる回動自在に枢結したるところの第四の枢結機構２９を具備して形成し、
前記人体部位の連なりを擬した構成体の、該一方側の下肢とは反対側の股関節相当部分と該一方側の下肢とは反対側の肩関節相当部分とを結ぶ線分からの、該線分の垂直方向の、該一方側の下肢とは反対側の胴側部部位を表現する部材の中心線上の一点の最大乖離距離が、該線分の長さの２５％以下であり、
前記人体部位の連なりを擬した構成体の人体の左右相当方向の肩幅相当寸法が、前記人体部位の連なりを擬した構成体の人体の左右相当方向の腰幅相当寸法よりも大きい人体模型であることを特徴とするスポーツ力学構造モデルであり、スポーツ運動種をゴルフスイング運動等に特定して、具象的かつ明瞭に人体を表象する構成によって人の運動に係る旨を提示し、身体制御に供するさらなる観点と実証的探究に係る観点を提示すると共に、基本情報や拡充情報を提示する事が可能である特長がある。
【０１９０】
その他、各部の構成や形状、素材等に関しては、実施例３の本発明に準ずるものとする。
【実施例６】
【０１９１】
次に、発明の態様（６）に係る本発明の実施例について図６に基づいて説明する。
発明の態様（６）に係る本発明の実施例は、
発明の態様（５）に係る本発明を、前記該第三の枢結機構に係る回転運動の回転中心線Ｄ−Ｄと前記該第四の枢結機構に係る回転運動の回転中心線Ｅ−Ｅとを平行の位置関係に構成して形成した人体模型であることを特徴とするスポーツ力学構造モデルであり、発明の態様（５）の本発明に準じた特長があると共に、より効率的なもしくは能率的な身体制御の在り方に関する情報を提供する事が可能である特長がある。
【０１９２】
その他、各部の構成や形状、素材等に関しては、実施例５の本発明に準ずるものとする。
【実施例７】
【０１９３】
次に、発明の態様（７）に係る本発明の実施例について図７に基づいて説明する。
発明の態様（７）に係る本発明の実施例は、
左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬し、
該一方側の下肢とは反対側の下肢相当部位を滅却し、
該一方側の下肢とは反対側の上肢相当部位を滅却し、
該一方側の下肢とは反対側の胴側部相当部位以外の胴部相当部位を滅却した構成と成した構成体を、
該一方側の下肢の足部位を表現する部材、
該一方側の下肢の下腿部位を表現する部材、
該一方側の下肢の大腿部位を表現する部材、
骨盤部位を表現する部材、
該一方側の下肢とは反対側の胴側部部位を表現する部材、
両肩を橋架する部位及び両肩部位を表現する部材、
該一方側の下肢とは同側の上腕部位を表現する部材、
該一方側の下肢とは同側の前腕部位を表現する部材、
該一方側の下肢とは同側の手部位を表現する部材より、
該一方側の下肢の足部位を表現する部材と該一方側の下肢の下腿部位を表現する部材とを結合し、
該一方側の下肢の下腿部位を表現する部材と該一方側の下肢の大腿部位を表現する部材とを結合し、
該一方側の下肢の大腿部位を表現する部材と該骨盤部位を表現する部材とを結合し、
該骨盤部位を表現する部材と該一方側の下肢とは反対側の胴側部部位を表現する部材とを結合し、
該一方側の下肢とは反対側の胴側部部位を表現する部材と該両肩を橋架する部位及び両肩部位を表現する部材とを結合し、
該両肩を橋架する部位及び両肩部位を表現する部材の長手方向中心線と該一方側の下肢とは同側の上腕部位を表現する部材の長手方向中心線とが同一直線となる状態に於いて該両肩を橋架する部位及び両肩部位を表現する部材と該一方側の下肢とは同側の上腕部位を表現する部材とを結合し、
該上腕部位を表現する部材と該前腕部位を表現する部材とを結合し、
該大腿部位を表現する部材を短手方向に於いて分断し、該分断した大腿部位を表現する部材の一方と他方の相互の位置関係、また該大腿部位を表現する部材以外の部材との位置関係を分断する以前の状態に保ちながら該分断した大腿部位を表現する部材の一方と他方とを各々の分断面を対峙させて枢結し、該分断した大腿部位を表現する部材の一方が他方に対し該大腿部位を表現する部材の長手方向中心線廻りに１自由度回転運動たる回動自在に枢結したるところの第一の枢結機構３０、
該胴側部部位を表現する部材を短手方向に於いて分断し、該分断した胴側部部位を表現する部材の一方と他方の相互の位置関係、また該胴側部部位を表現する部材以外の部材との位置関係を分断する以前の状態に保ちながら該分断した胴側部部位を表現する部材の一方と他方とを各々の分断面を対峙させて枢結し、該分断した胴側部部位を表現する部材の一方が他方に対し該胴側部部位を表現する部材の長手方向中心線廻りに１自由度回転運動たる回動自在に枢結したるところの第二の枢結機構３１、
該両肩を橋架する部位及び両肩部位及び上腕部位を表現する部材を短手方向に於いて分断し、該分断した両肩を橋架する部位及び両肩部位及び上腕部位を表現する部材の一方と他方の相互の位置関係、また該両肩を橋架する部位及び両肩部位及び上腕部位を表現する部材以外の部材との位置関係を分断する以前の状態に保ちながら該分断した両肩を橋架する部位及び両肩部位及び上腕部位を表現する部材の一方と他方とを各々の分断面を対峙させて枢結し、該分断した両肩を橋架する部位及び両肩部位及び上腕部位を表現する部材の一方が他方に対し該両肩を橋架する部位及び両肩部位及び上腕部位を表現する部材の長手方向中心線廻りに１自由度回転運動たる回動自在に枢結したるところの第三の枢結機構３２、
該前腕部位を表現する部材と該手部位を表現する部材とを前腕と手を連結する手関節相当部位に於いて該前腕と手を連結する手関節相当部位廻りに該前腕部位を表現する部材と該手部位を表現する部材の一方が他方に対し１自由度回転運動たる回動自在に枢結したるところの第四の枢結機構３３を具備して形成し、
前記人体部位の連なりを擬した構成体の、該一方側の下肢とは反対側の股関節相当部分と該一方側の下肢とは反対側の肩関節相当部分とを結ぶ線分からの、該線分の垂直方向の、該一方側の下肢とは反対側の胴側部部位を表現する部材の中心線上の一点の最大乖離距離が、該線分の長さの２５％以下である
人体模型であることを特徴とするスポーツ力学構造モデルであり、スポーツ運動種を野球投球運動等に特定して、具象的かつ明瞭に人体を表象する構成によって人の運動に係る旨を提示し、身体制御に供するさらなる観点と実証的探究に係る観点を提示すると共に、基本情報や拡充情報を提示する事が可能である特長がある。
【０１９４】
その他、各部の構成や形状、素材等に関しては、実施例３の本発明に準ずるものとする。
【実施例８】
【０１９５】
次に、発明の態様（８）に係る本発明の実施例について図８に基づいて説明する。
発明の態様（８）に係る本発明の実施例は、
発明の態様（７）に係る本発明を、前記該第三の枢結機構に係る回転運動の回転中心線Ｆ−Ｆと前記該第四の枢結機構に係る回転運動の回転中心線Ｇ−Ｇとを平行の位置関係に構成して形成した人体模型であることを特徴とするスポーツ力学構造モデルであり、発明の態様（７）の本発明に準じた特長があると共に、より効率的なもしくは能率的な身体制御の在り方に関する情報を提供する事が可能である特長がある。
【０１９６】
その他、各部の構成や形状、素材等に関しては、実施例７の本発明に準ずるものとする。
【実施例９】
【０１９７】
次に、発明の態様（９）に係る本発明の実施例について図９に基づいて説明する。
発明の態様（９）に係る本発明の実施例は、
発明の態様（３）〜発明の態様（８）のいずれか１つの発明の態様に係る本発明を、前記該第一の枢結機構に係る回転運動の回転中心線Ｈ−Ｈと前記該第二の枢結機構に係る回転運動の回転中心線Ｊ−Ｊとをねじれの位置関係に構成して形成した人体模型であることを特徴とするスポーツ力学構造モデルであり、各々、発明の態様（３）〜発明の態様（８）の各本発明に準じた特長があると共に、上下体関連の身体パーツ運動間の位相差の観点から、より効率的なもしくは能率的な身体制御の在り方に関する情報を提供する事が可能である特長がある。
【０１９８】
その他、各部の構成や形状、素材等に関しては、実施例３〜実施例８の各本発明に準ずるものとする。
【実施例１０】
【０１９９】
次に、発明の態様（１０）に係る本発明の実施例について説明する。
発明の態様（１０）に係る本発明の実施例は、
発明の態様（１）〜発明の態様（９）のいずれか１つの発明の態様に係る本発明に於いて、
前記該下腿部位を表現する部材の短手方向の幅寸法のうち最大である第一の幅寸法、
前記該大腿部位を表現する部材の短手方向の幅寸法のうち最大である第二の幅寸法、
前記該骨盤部位を表現する部材の短手方向の幅寸法のうち最大である第三の幅寸法、
前記該胴側部部位を表現する部材の短手方向の幅寸法のうち最大である第四の幅寸法、
前記該両肩を橋架する部位及び両肩部位を表現する部材の短手方向の幅寸法のうち最大である第五の幅寸法、
前記該上腕部位を表現する部材の短手方向の幅寸法のうち最大である第六の幅寸法、
前記該前腕部位を表現する部材の短手方向の幅寸法のうち最大である第七の幅寸法
の第一の幅寸法〜第七の幅寸法の７つの幅寸法のうちの最大の幅寸法を、
前記該下腿部位を表現する部材の短手方向の幅寸法のうち最小である第八の幅寸法、
前記該大腿部位を表現する部材の短手方向の幅寸法のうち最小である第九の幅寸法、
前記該骨盤部位を表現する部材の短手方向の幅寸法のうち最小である第十の幅寸法、
前記該胴側部部位を表現する部材の短手方向の幅寸法のうち最小である第十一の幅寸法、
前記該両肩を橋架する部位及び両肩部位を表現する部材の短手方向の幅寸法のうち最小である第十二の幅寸法、
前記該上腕部位を表現する部材の短手方向の幅寸法のうち最小である第十三の幅寸法、
前記該前腕部位を表現する部材の短手方向の幅寸法のうち最小である第十四の幅寸法
の第八の幅寸法〜第十四の幅寸法の７つの幅寸法のうちの最小の幅寸法で
除算した値が１以上１．８以下となるよう構成して形成したことを特徴とするスポーツ力学構造モデルであり、各々、発明の態様（１）〜発明の態様（９）の各本発明に準じた特長があると共に、本発明が人の運動に係る旨をより明確に示す事が可能である特長がある。
【０２００】
その他、各部の構成や形状、素材等に関しては、実施例１〜実施例９の各本発明に準ずるものとする。
【実施例１１】
【０２０１】
次に、発明の態様（１１）に係る本発明の実施例について図１０に基づいて説明する。
発明の態様（１１）に係る本発明の実施例は、
第一の躯体３４、
第二の躯体３５、
第三の躯体３６、
第四の躯体３７、
第五の躯体３８、
第六の躯体３９、
第一の枢軸４０、
第二の枢軸４１、
第三の枢軸４２を設け、
第一の枢軸４０を介して第一の躯体３４と第二の躯体３５とを軸架し第二の躯体３５は第一の躯体３４に対して第一の枢軸４０に係る回転運動の回転中心線廻りに１自由度回転運動たる回動自在の構成とし、
第二の枢軸４１を介して第二の躯体３５と第三の躯体３６とを軸架し第三の躯体３６は第二の躯体３５に対して第二の枢軸４１に係る回転運動の回転中心線廻りに１自由度回転運動たる回動自在の構成とし、
第三の枢軸４２を介して第三の躯体３６と第四の躯体３７とを軸架し第四の躯体３７は第三の躯体３６に対して第三の枢軸４２に係る回転運動の回転中心線廻りに１自由度回転運動たる回動自在の構成とし、
第四の躯体３７と第五の躯体３８とを枢結し、第五の躯体３８は第四の躯体３７に対し第四の躯体３７と第五の躯体３８との枢結に係る回転中心線廻りに１自由度回転運動たる回動自在の構成とし、
第五の躯体３８と第六の躯体３９とを枢結し、第六の躯体３９は第五の躯体３８に対し第五の躯体３８と第六の躯体３９との枢結に係る回転中心線廻りに１自由度回転運動たる回動自在の構成とした構造体が、
左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬した構成体であり、
該一方側の下肢とは反対側の下肢相当部位が滅却された構成であり、
該一方側の下肢とは反対側の上肢相当部位が滅却された構成であり、
該一方側の下肢とは反対側の胴側部相当部位を除く胴部相当部位が滅却された構成であり、
該第一の躯体３４は該一方側の下肢の大腿の一部と下腿と足との連なりを擬し、
該第二の躯体３５は骨盤を擬すか、
もしくは該一方側の下肢の大腿の一部と骨盤との連なりを擬すか、
もしくは該一方側の下肢の大腿の一部と該一方側の下肢とは反対側の胴側部の一部と骨盤との連なりを擬すか、
もしくは該一方側の下肢とは反対側の胴側部の一部と骨盤との連なりを擬し、
該第三の躯体３６は該一方側の下肢とは反対側の肩を擬すか、
もしくは該一方側の下肢とは反対側の胴側部の一部と該一方側の下肢とは反対側の肩との連なりを擬すか、
もしくは該一方側の下肢とは反対側の胴側部の一部と両肩を橋架する部位の一部と該一方側の下肢とは反対側の肩との連なりを擬すか、
もしくは両肩を橋架する部位の一部と該一方側の下肢とは反対側の肩との連なりを擬し、
該第四の躯体３７は該一方側の下肢とは同側の肩と該一方側の下肢とは同側の上腕との連なりを擬すか、
もしくは両肩を橋架する部位の一部と該一方側の下肢とは同側の肩と該一方側の下肢とは同側の上腕との連なりを擬し、
該第五の躯体３８は該一方側の下肢とは同側の前腕を擬し、
該第六の躯体３９は該一方側の下肢とは同側の手を擬し、
該一方側の下肢の大腿相当部には該第一の枢軸４０が在り、
該一方側の下肢とは反対側の胴側部相当部には該第二の枢軸４１が在り、
該両肩を橋架する部位相当部には該第三の枢軸４２が在り、
該第四の躯体３７と該第五の躯体３８とが該一方側の下肢とは同側の上肢の肘関節相当部に於いて枢結され、
該一方側の下肢とは同側の上肢の肘関節相当部には該第四の躯体３７と該第五の躯体３８との枢結に係る回転運動の回転中心線が在り、
該第五の躯体３８と該第六の躯体３９とが該一方側の下肢とは同側の前腕と該一方側の下肢とは同側の手を連結する手関節相当部に於いて枢結され、
該一方側の下肢とは同側の前腕と該一方側の下肢とは同側の手を連結する手関節相当部には該第五の躯体３８と該第六の躯体３９との枢結に係る回転運動の回転中心線が在り、
前記人体部位の連なりを擬した構成体の、該一方側の下肢とは反対側の股関節相当部分と該一方側の下肢とは反対側の肩関節相当部分とを結ぶ線分からの、該線分の垂直方向の、該第二の枢軸４１の中心線上の一点の最大乖離距離が、該線分の長さの２５％以下であり、
前記人体部位の連なりを擬した構成体の人体の左右相当方向の肩幅相当寸法が、前記人体部位の連なりを擬した構成体の人体の左右相当方向の腰幅相当寸法よりも大きい人体模型であることを特徴とするスポーツ力学構造モデルであり、具象的かつ明瞭に人体を表象する構成によって人の運動に係る旨を提示し、身体制御に供するさらなる観点とスポーツ主要運動原理運動の実証的探究に係る観点を提示すると共に、基本情報や拡充情報を提示する事が可能である特長がある。
【０２０２】
第一の躯体３４、第二の躯体３５、第三の躯体３６、第四の躯体３７、第五の躯体３８、第六の躯体３９の形状は、本発明が具象的で明瞭な人体模型を構成する事に整合する形状等とする事が好ましい。
【０２０３】
第一の枢軸４０、第二の枢軸４１、第三の枢軸４２の形状は中実の柱状や棒状、あるいは中空の筒状や管状等としてもよく、本発明の機能を満たす他の形状としてもよいが、本発明が具象的で明瞭な人体模型を構成する事に整合する形状等とする事が好ましい。
【０２０４】
第一の枢軸４０に係る軸架構成については、第一の枢軸４０に対して第一の躯体３４と第二の躯体３５の少なくとも一方が可動であればよく、第二の枢軸４１に係る軸架構成については、第二の枢軸４１に対して第二の躯体３５と第三の躯体３６の少なくとも一方が可動であればよく、第三の枢軸４２に係る軸架構成については、第三の枢軸４２に対して第三の躯体３６と第四の躯体３７の少なくとも一方が可動であればよい。
【０２０５】
第四の躯体３７と第五の躯体３８との枢結機構４３は、２つの躯体の一方の一部が他方の一部に摺動可能な状態に於いて２つの躯体の一方の一部と他方の一部とを緩嵌合する構造とする事により１自由度回転運動たる回動自在の機能を実現する構成としてもよく、あるいは、枢軸を介して２つの躯体を枢結する構造とする事により１自由度回転運動たる回動自在の機能を実現する構成としてもよいが、本発明の機能を満たす他の構成としてもよい。同様に、第五の躯体３８と第六の躯体３９との枢結機構４４は、２つの躯体の一方の一部が他方の一部に摺動可能な状態に於いて２つの躯体の一方の一部と他方の一部とを緩嵌合する構造とする事により１自由度回転運動たる回動自在の機能を実現する構成としてもよく、あるいは、枢軸を介して２つの躯体を枢結する構造とする事により１自由度回転運動たる回動自在の機能を実現する構成としてもよいが、本発明の機能を満たす他の構成としてもよい。第四の躯体３７と第五の躯体３８との枢結機構４３、また、第五の躯体３８と第六の躯体３９との枢結機構４４の構成に係る形状は本発明の機能を満たす形状であればよい。
【０２０６】
第一〜第六の躯体の部材、第一〜第三の枢軸の部材と軸架に係る部材、第四の躯体３７と第五の躯体３８との枢結に係る部材、第五の躯体３８と第六の躯体３９との枢結に係る部材は金属、プラスチック等の一定の剛性を備えた素材で形成するが、本発明の機能を満たす特性を備えた他の素材で形成してもよい。
【０２０７】
なお、極力不必要な要素を混入させないよう留意を払い、不必要な機能、趣意、思想、装飾、その他冗長性等を排し、本発明概念を明示した明確な人体模型とする事が望ましい。
【実施例１２】
【０２０８】
次に、発明の態様（１２）に係る本発明の実施例について図１１に基づいて説明する。
発明の態様（１２）に係る本発明の実施例は、
発明の態様（１１）に係る本発明を、前記該第三の枢軸に係る回転運動の回転中心線Ｋ−Ｋ、前記該第四の躯体と前記該第五の躯体との枢結に係る回転運動の回転中心線Ｌ−Ｌ、前記該第五の躯体と前記該第六の躯体との枢結に係る回転運動の回転中心線Ｍ−Ｍの３つの回転中心線のうち少なくとも２つ以上の回転中心線を平行の位置関係に構成して形成した人体模型であることを特徴とするスポーツ力学構造モデルであり、発明の態様（１１）の本発明に準じた特長があると共に、より効率的なもしくは能率的な身体制御の在り方に関する情報を提供する事が可能である特長がある。
【０２０９】
その他、各部の構成や形状、素材等に関しては、実施例１１の本発明に準ずるものとする。
【実施例１３】
【０２１０】
次に、発明の態様（１３）に係る本発明の実施例について図１２に基づいて説明する。
発明の態様（１３）に係る本発明の実施例は、
第一の躯体４５、
第二の躯体４６、
第三の躯体４７、
第四の躯体４８、
第五の躯体４９、
第一の枢軸５０、
第二の枢軸５１、
第三の枢軸５２を設け、
第一の枢軸５０を介して第一の躯体４５と第二の躯体４６とを軸架し第二の躯体４６は第一の躯体４５に対して第一の枢軸５０に係る回転運動の回転中心線廻りに１自由度回転運動たる回動自在の構成とし、
第二の枢軸５１を介して第二の躯体４６と第三の躯体４７とを軸架し第三の躯体４７は第二の躯体４６に対して第二の枢軸５１に係る回転運動の回転中心線廻りに１自由度回転運動たる回動自在の構成とし、
第三の枢軸５２を介して第三の躯体４７と第四の躯体４８とを軸架し第四の躯体４８は第三の躯体４７に対して第三の枢軸５２に係る回転運動の回転中心線廻りに１自由度回転運動たる回動自在の構成とし、
第四の躯体４８と第五の躯体４９とを枢結し、第五の躯体４９は第四の躯体４８に対し第四の躯体４８と第五の躯体４９との枢結に係る回転中心線廻りに１自由度回転運動たる回動自在の構成とした構造体が、
左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬した構成体であり、
該一方側の下肢とは反対側の下肢相当部位が滅却された構成であり、
該一方側の下肢とは反対側の上肢相当部位が滅却された構成であり、
該一方側の下肢とは反対側の胴側部相当部位を除く胴部相当部位が滅却された構成であり、
該一方側の下肢とは同側の上肢の上腕相当部位の長手方向中心線と該一方側の下肢とは同側の上肢の前腕相当部位の長手方向中心線とは同一直線を成す構成であり、
該第一の躯体４５は該一方側の下肢の大腿の一部と下腿と足との連なりを擬し、
該第二の躯体４６は骨盤を擬すか、
もしくは該一方側の下肢の大腿の一部と骨盤との連なりを擬すか、
もしくは該一方側の下肢の大腿の一部と該一方側の下肢とは反対側の胴側部の一部と骨盤との連なりを擬すか、
もしくは該一方側の下肢とは反対側の胴側部の一部と骨盤との連なりを擬し、
該第三の躯体４７は該一方側の下肢とは反対側の肩を擬すか、
もしくは該一方側の下肢とは反対側の胴側部の一部と該一方側の下肢とは反対側の肩との連なりを擬すか、
もしくは該一方側の下肢とは反対側の胴側部の一部と両肩を橋架する部位の一部と該一方側の下肢とは反対側の肩との連なりを擬すか、
もしくは両肩を橋架する部位の一部と該一方側の下肢とは反対側の肩との連なりを擬し、
該第四の躯体４８は該一方側の下肢とは同側の肩と該一方側の下肢とは同側の上腕と該一方側の下肢とは同側の前腕との連なりを擬すか、
もしくは両肩を橋架する部位の一部と該一方側の下肢とは同側の肩と該一方側の下肢とは同側の上腕と該一方側の下肢とは同側の前腕との連なりを擬し、
該第五の躯体４９は該一方側の下肢とは同側の手を擬し、
該一方側の下肢の大腿相当部には該第一の枢軸５０が在り、
該一方側の下肢とは反対側の胴側部相当部には該第二の枢軸５１が在り、
両肩を橋架する部位相当部には該第三の枢軸５２が在り、
該第四の躯体４８と該第五の躯体４９とが該一方側の下肢とは同側の前腕と該一方側の下肢とは同側の手を連結する手関節相当部に於いて枢結され、
該一方側の下肢とは同側の前腕と該一方側の下肢とは同側の手を連結する手関節相当部には該第四の躯体４８と該第五の躯体４９との枢結に係る回転運動の回転中心線が在り、
前記人体部位の連なりを擬した構成体の、該一方側の下肢とは反対側の股関節相当部分と該一方側の下肢とは反対側の肩関節相当部分とを結ぶ線分からの、該線分の垂直方向の、該第二の枢軸５１の中心線上の一点の最大乖離距離が、該線分の長さの２５％以下であり、
前記人体部位の連なりを擬した構成体の人体の左右相当方向の肩幅相当寸法が、前記人体部位の連なりを擬した構成体の人体の左右相当方向の腰幅相当寸法よりも大きい人体模型であることを特徴とするスポーツ力学構造モデルであり、スポーツ運動種をゴルフスイング運動等に特定して、具象的かつ明瞭に人体を表象する構成によって人の運動に係る旨を提示し、身体制御に供するさらなる観点と実証的探究に係る観点を提示すると共に、基本情報や拡充情報を提示する事が可能である特長がある。
【０２１１】
その他、各部の構成や形状、素材等に関しては、実施例１１の本発明に準ずるものとする。
【実施例１４】
【０２１２】
次に、発明の態様（１４）に係る本発明の実施例について図１３に基づいて説明する。
発明の態様（１４）に係る本発明の実施例は、
発明の態様（１３）に係る本発明を、前記該第三の枢軸に係る回転運動の回転中心線Ｎ−Ｎと前記該第四の躯体と前記該第五の躯体との枢結に係る回転運動の回転中心線Ｐ−Ｐとを平行の位置関係に構成して形成した人体模型であることを特徴とするスポーツ力学構造モデルであり、発明の態様（１３）の本発明に準じた特長があると共に、より効率的なもしくは能率的な身体制御の在り方に関する情報を提供する事が可能である特長がある。
【０２１３】
その他、各部の構成や形状、素材等に関しては、実施例１３の本発明に準ずるものとする。
【実施例１５】
【０２１４】
次に、発明の態様（１５）に係る本発明の実施例について図１４に基づいて説明する。
発明の態様（１５）に係る本発明の実施例は、
第一の躯体５４、
第二の躯体５５、
第三の躯体５６、
第四の躯体５７、
第五の躯体５８、
第一の枢軸５９、
第二の枢軸６０、
第三の枢軸６１を設け、
第一の枢軸５９を介して第一の躯体５４と第二の躯体５５とを軸架し第二の躯体５５は第一の躯体５４に対して第一の枢軸に係る回転運動の回転中心線廻りに１自由度回転運動たる回動自在の構成とし、
第二の枢軸６０を介して第二の躯体５５と第三の躯体５６とを軸架し第三の躯体５６は第二の躯体５５に対して第二の枢軸６０に係る回転運動の回転中心線廻りに１自由度回転運動たる回動自在の構成とし、
第三の枢軸６１を介して第三の躯体５６と第四の躯体５７とを軸架し第四の躯体５７は第三の躯体５６に対して第三の枢軸６１に係る回転運動の回転中心線廻りに１自由度回転運動たる回動自在の構成とし、
第四の躯体５７と第五の躯体５８とを枢結し、第五の躯体５８は第四の躯体５７に対し第四の躯体５７と第五の躯体５８との枢結に係る回転中心線廻りに１自由度回転運動たる回動自在の構成とした構造体が、
左右に識別した人体の一方側の下肢に発し、骨盤を経、該一方側の下肢とは反対側の胴側部を経、該一方側の下肢とは反対側の肩を経、両肩を橋架する部位を経、該一方側の下肢とは同側の肩を経、該一方側の下肢とは同側の上肢に至る連なりを擬した構成体であり、
該一方側の下肢とは反対側の下肢相当部位が滅却された構成であり、
該一方側の下肢とは反対側の上肢相当部位が滅却された構成であり、
該一方側の下肢とは反対側の胴側部相当部位を除く胴部相当部位が滅却された構成であり、
該両肩を橋架する部位及び両肩相当部位の長手方向中心線と該一方側の下肢とは同側の上肢の上腕相当部位の長手方向中心線とは同一直線を成す構成であり、
該第一の躯体５４は該一方側の下肢の大腿の一部と下腿と足との連なりを擬し、
該第二の躯体５５は骨盤を擬すか、
もしくは該一方側の下肢の大腿の一部と骨盤との連なりを擬すか、
もしくは該一方側の下肢の大腿の一部と該一方側の下肢とは反対側の胴側部の一部と骨盤との連なりを擬すか、
もしくは該一方側の下肢とは反対側の胴側部の一部と骨盤との連なりを擬し、
該第三の躯体５６は該一方側の下肢とは反対側の肩を擬すか、
もしくは該一方側の下肢とは反対側の胴側部の一部と該一方側の下肢とは反対側の肩との連なりを擬すか、
もしくは該一方側の下肢とは反対側の胴側部の一部と両肩を橋架する部位の一部と該一方側の下肢とは反対側の肩との連なりを擬すか、
もしくは両肩を橋架する部位の一部と該一方側の下肢とは反対側の肩との連なりを擬し、
該第四の躯体５７は該一方側の下肢とは同側の前腕を擬すか、
もしくは該一方側の下肢とは同側の上腕の一部と該一方側の下肢とは同側の前腕との連なりを擬すか、
もしくは該一方側の下肢とは同側の上腕と該一方側の下肢とは同側の前腕との連なりを擬すか、
もしくは該一方側の下肢とは同側の肩と該一方側の下肢とは同側の上腕と該一方側の下肢とは同側の前腕との連なりを擬すか、
もしくは両肩を橋架する部位の一部と該一方側の下肢とは同側の肩と該一方側の下肢とは同側の上腕と該一方側の下肢とは同側の前腕との連なりを擬し、
該第五の躯体５８は該一方側の下肢とは同側の手を擬し、
該一方側の下肢の大腿相当部には該第一の枢軸５９が在り、
該一方側の下肢とは反対側の胴側部相当部には該第二の枢軸６０が在り、
該両肩を橋架する部位相当部、もしくは該両肩を橋架する部位並びに該一方側の下肢とは同側の肩相当部、もしくは該両肩を橋架する部位並びに該一方側の下肢とは同側の肩並びに該一方側の下肢とは同側の上腕相当部には該第三の枢軸６１が在り、
該第四の躯体５７と該第五の躯体５８とが該一方側の下肢とは同側の前腕と該一方側の下肢とは同側の手を連結する手関節相当部に於いて枢結され、
該一方側の下肢とは同側の前腕と該一方側の下肢とは同側の手を連結する手関節相当部には該第四の躯体５７と該第五の躯体５８との枢結に係る回転運動の回転中心線が在り、
前記人体部位の連なりを擬した構成体の、該一方側の下肢とは反対側の股関節相当部分と該一方側の下肢とは反対側の肩関節相当部分とを結ぶ線分からの、該線分の垂直方向の、該第二の枢軸６０の中心線上の一点の最大乖離距離が、該線分の長さの２５％以下である人体模型であることを特徴とするスポーツ力学構造モデルであり、スポーツ運動種を野球投球運動等に特定して、具象的かつ明瞭に人体を表象する構成によって人の運動に係る旨を提示し、身体制御に供するさらなる観点と実証的探究に係る観点を提示すると共に、基本情報や拡充情報を提示する事が可能である特長がある。
【０２１５】
その他、各部の構成や形状、素材等に関しては、実施例１１の本発明に準ずるものとする。
【実施例１６】
【０２１６】
次に、発明の態様（１６）に係る本発明の実施例について図１５に基づいて説明する。
発明の態様（１６）に係る本発明の実施例は、
発明の態様（１５）に係る本発明を、前記該第三の枢軸に係る回転運動の回転中心線Ｑ−Ｑと前記該第四の躯体と前記該第五の躯体との枢結に係る回転運動の回転中心線Ｒ−Ｒとを平行の位置関係に構成して形成した人体模型であることを特徴とするスポーツ力学構造モデルであり、発明の態様（１５）の本発明に準じた特長があると共に、より効率的なもしくは能率的な身体制御の在り方に関する情報を提供する事が可能である特長がある。
【０２１７】
その他、各部の構成や形状、素材等に関しては、実施例１５の本発明に準ずるものとする。
【実施例１７】
【０２１８】
次に、発明の態様（１７）に係る本発明の実施例について図１６に基づいて説明する。
発明の態様（１７）に係る本発明の実施例は、
発明の態様（１１）〜発明の態様（１６）のいずれか１つの発明の態様に係る本発明を、前記該第一の枢軸に係る回転運動の回転中心線Ｓ−Ｓと前記該第二の枢軸に係る回転運動の回転中心線Ｔ−Ｔとをねじれの位置関係に構成して形成した人体模型であることを特徴とするスポーツ力学構造モデルであり、各々、発明の態様（１１）〜発明の態様（１６）の各本発明に準じた特長があると共に、上下体関連の身体パーツ運動間の位相差の観点から、より効率的なもしくは能率的な身体制御の在り方に関する情報を提供する事が可能である特長がある。
【０２１９】
その他、各部の構成や形状、素材等に関しては、実施例１１〜実施例１６の各本発明に準ずるものとする。
【０２２０】
なお、発明の態様（１１）〜発明の態様（１７）の本発明には、上記各発明の態様の実施例に於いて記載した特長があると共に、スポーツ主要運動原理に係る力学的構造をより直截的に表現した情報を提供する事が可能である特長がある。
【符号の説明】
【０２２１】
１〜９          本発明を構成する構成部材
１０〜１７      本発明を構成する連結機構
１８〜２０      本発明を構成する枢結機構
２１〜３３      本発明を構成する枢結機構
３４〜３９      本発明を構成する躯体
４０〜４２      本発明を構成する枢軸
４３、４４      本発明を構成する枢結機構
４５〜４９      本発明を構成する躯体
５０〜５２      本発明を構成する枢軸
５３            本発明を構成する枢結機構
５４〜５８      本発明を構成する躯体
５９〜６１      本発明を構成する枢軸
６２            本発明を構成する枢結機構
１００〜１１５  人体基礎モデルの構成部材
１１６〜１２７  人体基礎モデルの可動節
Ａ−Ａ          本発明構成に於ける回転運動の回転中心線
Ｂ−Ｂ          本発明構成に於ける回転運動の回転中心線
Ｃ−Ｃ          本発明構成に於ける回転運動の回転中心線
Ｄ−Ｄ          本発明構成に於ける回転運動の回転中心線
Ｅ−Ｅ          本発明構成に於ける回転運動の回転中心線
Ｆ−Ｆ          本発明構成に於ける回転運動の回転中心線
Ｇ−Ｇ          本発明構成に於ける回転運動の回転中心線
Ｈ−Ｈ          本発明構成に於ける回転運動の回転中心線
Ｊ−Ｊ          本発明構成に於ける回転運動の回転中心線
Ｋ−Ｋ          本発明構成に於ける回転運動の回転中心線
Ｌ−Ｌ          本発明構成に於ける回転運動の回転中心線
Ｍ−Ｍ          本発明構成に於ける回転運動の回転中心線
Ｎ−Ｎ          本発明構成に於ける回転運動の回転中心線
Ｐ−Ｐ          本発明構成に於ける回転運動の回転中心線
Ｑ−Ｑ          本発明構成に於ける回転運動の回転中心線
Ｒ−Ｒ          本発明構成に於ける回転運動の回転中心線
Ｓ−Ｓ          本発明構成に於ける回転運動の回転中心線
Ｔ−Ｔ          本発明構成に於ける回転運動の回転中心線
Ｖ−Ｖ          スポーツ運動原理に於ける第一の回転運動の回転中心線
Ｚ−Ｚ          スポーツ運動原理に於ける第二の回転運動の回転中心線
【図１】
2010274090.tif 000003
【図２】
2010274090.tif 000004
【図３】
2010274090.tif 000005
【図４】
2010274090.tif 000006
【図５】
2010274090.tif 000007
【図６】
2010274090.tif 000008
【図７】
2010274090.tif 000009
【図８】
2010274090.tif 000010
【図９】
2010274090.tif 000011
【図１０】
2010274090.tif 000012
【図１１】
2010274090.tif 000013
【図１２】
2010274090.tif 000014
【図１３】
2010274090.tif 000015
【図１４】
2010274090.tif 000016
【図１５】
2010274090.tif 000017
【図１６】
2010274090.tif 000018
【図１７】
2010274090.tif 000019
【図１８】
2010274090.tif 000020
【図１９】
2010274090.tif 000021
【図２０】
2010274090.tif 000022
【図２１】
2010274090.tif 000023
【図２２】
2010274090.tif 000024
【図２３】
2010274090.tif 000025
【図２４】
2010274090.tif 000026
【図２５】
2010274090.tif 000027
【図２６】
2010274090.tif 000028
【図２７】
2010274090.tif 000029
【図２８】
2010274090.tif 000030
【図２９】
2010274090.tif 000031
【図３０】
2010274090.tif 000032
【図３１】
2010274090.tif 000033
【図３２】
2010274090.tif 000034
【図３３】
2010274090.tif 000035
【図３４】
2010274090.tif 000036
【図３５】
2010274090.tif 000037
【図３６】
2010274090.tif 000038